(57)【要約】  ホスト車両をナビゲートするためのシステムは、少なくとも１つの処理デバイスを備えてもよい。少なくとも１つの処理デバイスは、画像取込デバイスから、前記ホスト車両の環境を表す少なくとも１つの画像を受信することを行うようにプログラミングされてもよい。少なくとも１つの処理デバイスは、前記少なくとも１つの画像を解析して、前記ホスト車両の前記環境内のオブジェクトを識別することを行うようにさらにプログラミングされてもよい。少なくとも１つの処理デバイスは、前記ホスト車両の位置を判定することを行うようにさらにプログラミングされてもよい。少なくとも１つの処理デバイスは、前記ホスト車両の前記判定された位置に関連付けられたマップ情報であって、前記ホスト車両の前記環境に関連付けられた高度情報を含む、マップ情報を受信することを行うようにさらにプログラミングされてもよい。少なくとも１つの処理デバイスは、少なくとも前記高度情報に基づいて、前記ホスト車両から前記オブジェクトまでの距離を判定することを行うようにさらにプログラミングされてもよい。少なくとも１つの処理デバイスは、前記判定された距離に基づいて、前記ホスト車両に対するナビゲーション動作を決定することを行うようにさらにプログラミングされてもよい。
2021517680.tif 000002
【特許請求の範囲】
【請求項１】
ホスト車両をナビゲートするためのシステムであって、前記システムは、
少なくとも１つの処理デバイスであって、
画像取込デバイスから、前記ホスト車両の環境を表す少なくとも１つの画像を受信することと、
前記少なくとも１つの画像を解析して、前記ホスト車両の前記環境内のオブジェクトを識別することと、
前記ホスト車両の位置を判定することと、
前記ホスト車両の前記判定された位置に関連付けられたマップ情報であって、前記ホスト車両の前記環境に関連付けられた高度情報を含む、マップ情報を受信することと、
少なくとも前記高度情報に基づいて、前記ホスト車両から前記オブジェクトまでの距離を判定することと、
前記判定された距離に基づいて、前記ホスト車両に対するナビゲーション動作を決定することと、
を行うようにプログラミングされる少なくとも１つの処理デバイスを備える、システム。
【請求項２】
前記高度情報は、前記ホスト車両の前記位置に対する高度の少なくとも１つのインジケーションを含む、請求項１に記載のシステム。
【請求項３】
前記高度情報は、前記ホスト車両の前記位置から離れる方向に延在する道路の高度プロファイルを含む、請求項１又は２に記載のシステム。
【請求項４】
前記ホスト車両から前記オブジェクトまでの前記距離の判定は、前記少なくとも１つの画像の解析にさらに基づく、請求項１から３のいずれか一項に記載のシステム。
【請求項５】
前記ホスト車両から前記オブジェクトまでの前記距離の判定は、前記ホスト車両の前記位置にさらに基づく、請求項１から４のいずれか一項に記載のシステム。
【請求項６】
前記ホスト車両の前記位置の判定は、前記ホスト車両の少なくとも１つのセンサの出力に基づく、請求項１から５のいずれか一項に記載のシステム。
【請求項７】
前記少なくとも１つのセンサは、ＧＰＳデバイス、速度センサ、又は加速度計を含む、請求項６に記載のシステム。
【請求項８】
前記ホスト車両の前記位置の判定は、道路セグメントに沿った前記ホスト車両のターゲット軌跡を表す予め定められた３次元スプラインに沿った、前記ホスト車両の位置の予測に基づき、前記予め定められた３次元スプラインに沿った前記ホスト車両の前記位置の前記予測は、少なくとも１つの認識されたランドマークの観測位置に基づく、請求項１から７のいずれか一項に記載のシステム。
【請求項９】
前記ホスト車両から前記オブジェクトまでの前記距離の判定は、前記ホスト車両の少なくとも１つのセンサの出力にさらに基づく、請求項１から８のいずれか一項に記載のシステム。
【請求項１０】
前記少なくとも１つのセンサは、ＧＰＳデバイス、速度センサ、又は加速度計を含む、請求項９に記載のシステム。
【請求項１１】
前記ナビゲーション動作は、前記ホスト車両のナビゲーションアクチュエータの少なくとも１つの調節を実行させることを含む、請求項１から１０のいずれか一項に記載のシステム。
【請求項１２】
前記ナビゲーションアクチュエータは、前記ホスト車両のステアリング機構と、ブレーキと、アクセルのうちの少なくとも１つを含む、請求項１１に記載のシステム。
【請求項１３】
前記オブジェクトはターゲット車両を含む、請求項１から１０のいずれか一項に記載のシステム。
【請求項１４】
ホスト車両をナビゲートするための方法であって、
画像取込デバイスから、前記ホスト車両の環境を表す少なくとも１つの画像を受信する段階と、
前記少なくとも１つの画像を解析して、前記ホスト車両の前記環境内のオブジェクトを識別する段階と、
前記ホスト車両の位置を判定する段階と、
前記ホスト車両の前記判定された位置に関連付けられたマップ情報であって、前記ホスト車両の前記環境に関連付けられた高度情報を含む、マップ情報を受信する段階と、
少なくとも前記高度情報に基づいて、前記ホスト車両から前記オブジェクトまでの距離を判定する段階と、
前記判定された距離に基づいて、前記ホスト車両に対するナビゲーション動作を決定する段階と、
を備える、方法。
【請求項１５】
前記高度情報は、前記ホスト車両の前記位置に対する高度の少なくとも１つのインジケーションを含む、請求項１４に記載の方法。
【請求項１６】
前記高度情報は、前記ホスト車両の前記位置から離れる方向に延在する道路の高度プロファイルを含む、請求項１４又は１５に記載の方法。
【請求項１７】
前記ホスト車両から前記オブジェクトまでの前記距離の判定は、前記少なくとも１つの画像の解析にさらに基づく、請求項１４から１６のいずれか一項に記載の方法。
【請求項１８】
前記ホスト車両から前記オブジェクトまでの前記距離の判定は、前記ホスト車両の前記位置にさらに基づく、請求項１４に記載の方法。
【請求項１９】
前記ホスト車両の前記位置の判定は、前記ホスト車両の少なくとも１つのセンサの出力に基づく、請求項１４から１８のいずれか一項に記載の方法。
【請求項２０】
前記少なくとも１つのセンサは、ＧＰＳデバイス、速度センサ、又は加速度計を含む、請求項１９に記載の方法。
【発明の詳細な説明】
【技術分野】
【０００１】
［関連出願の相互参照］
本願は、２０１８年４月３日に出願した米国仮特許出願第６２／６５２，０２９号、２０１８年４月３日に出願した米国仮特許出願第６２／６５２，０３９号の優先権の利益を主張する。上記の出願のすべてが、それらの全体に参照により本明細書に組み込まれる。
【背景技術】
【０００２】
本開示は、概して自律走行車両のナビゲーションに関する。
［背景情報］
【０００３】
技術が進展し続けるにつれて、車道でナビゲートすることが可能な完全な自律走行車両という目標が見えてきた。自律走行車両は、様々な要因を考慮して、対象とする目的地に安全かつ正確に到達するためにそれらの要因に基づいて適切な判断を行う必要があり得る。例えば、自律走行車両は、視覚情報（例えば、カメラから取り込まれた情報）を処理及び解釈する必要があり得、また、他の情報源（例えば、ＧＰＳデバイス、速度センサ、加速度計、サスペンションセンサなどから）から取得した情報を用い得る。同時に、目的地へナビゲートするために、自律走行車両は、特定の車道（例えば、複数車線の道路内の特定の車線）内の位置を識別し、他の車両と一緒にナビゲートし、障害物及び歩行者を回避し、交通信号及び標識を観測し、適切な交差点又はインターチェンジにおいてある道路から別の道路へ走行する必要もあり得る。車両がその目的地へ走行しながら、自律走行車両により収集された膨大な量の情報を利用及び解釈することで、多くの設計上の課題をもたらす。自律走行車両が解析、アクセス及び／又は格納を必要とし得る完全な量のデータ（例えば、取り込まれた画像データ、マップデータ、ＧＰＳデータ、センサデータなど）は、実際には自律ナビゲーションを制限する可能性があり、又は、さらに悪い影響を与え得る課題をもたらす。さらに、自律走行車両が従来のマッピング技術に依拠してナビゲートする場合、マップを格納及び更新するのに必要な完全な量のデータが、非常に困難な課題をもたらす。
【発明の概要】
【０００４】
本開示と矛盾しない実施形態は、自律走行車両のナビゲーションのためのシステム及び方法を提供する。開示される実施形態は、カメラを用いて自律走行車両のナビゲーション機能を提供してよい。例えば、開示される実施形態と矛盾しないように、開示されるシステムは、車両の環境を監視する１、２又はそれより多くのカメラを含んでよい。開示されるシステムは、例えば、カメラのうちの１又は複数により取り込まれた画像の解析に基づいて、ナビゲーション応答を提供してよい。
【０００５】
開示される実施形態と矛盾することなく、ホスト車両をナビゲートするためのシステムが提供される。システムは、少なくとも１つの処理デバイスを備えてもよい。少なくとも１つの処理デバイスは、画像取込デバイスから、ホスト車両の環境を表す少なくとも１つの画像を受信することを行うようにプログラミングされてもよい。少なくとも１つの処理デバイスは、少なくとも１つの画像を解析して、ホスト車両の環境内のオブジェクトを識別することを行うようにさらにプログラミングされてもよい。少なくとも１つの処理デバイスは、ホスト車両の位置を判定することを行うようにさらにプログラミングされてもよい。少なくとも１つの処理デバイスは、ホスト車両の判定された位置に関連付けられたマップ情報であって、ホスト車両の環境に関連付けられた高度情報を含む、マップ情報を受信することを行うようにさらにプログラミングされてもよい。少なくとも１つの処理デバイスは、少なくとも高度情報に基づいて、ホスト車両からオブジェクトまでの距離を判定することを行うようにさらにプログラミングされてもよい。少なくとも１つの処理デバイスは、判定された距離に基づいて、ホスト車両に対するナビゲーション動作を決定することを行うようにさらにプログラミングされてもよい。
【０００６】
開示される実施形態と矛盾することなく、ホスト車両をナビゲートするための方法が提供される。方法は、画像取込デバイスから、ホスト車両の環境を表す少なくとも１つの画像を受信する段階を含んでもよい。方法は、少なくとも１つの画像を解析して、ホスト車両の環境内のオブジェクトを識別する段階をさらに含んでもよい。方法は、ホスト車両の位置を判定する段階をさらに含んでもよい。方法は、ホスト車両の判定された位置に関連付けられたマップ情報であって、ホスト車両の環境に関連付けられた高度情報を含む、マップ情報を受信する段階をさらに含んでもよい。方法は、少なくとも高度情報に基づいて、ホスト車両からオブジェクトまでの距離を判定する段階をさらに含んでもよい。方法は、判定された距離に基づいて、ホスト車両に対するナビゲーション動作を決定する段階をさらに含んでもよい。
【０００７】
開示される実施形態と矛盾することなく、ホスト車両をナビゲートするためのシステムが提供される。システムは、少なくとも１つの処理デバイスを備えてもよい。少なくとも１つの処理デバイスは、画像取込デバイスから、ホスト車両の環境を表す少なくとも１つの画像を受信することを行うようにプログラミングされてもよい。少なくとも１つの処理デバイスは、少なくとも１つの画像を解析して、ホスト車両の環境内のオブジェクトを識別することを行うようにさらにプログラミングされてもよい。少なくとも１つの処理デバイスは、ホスト車両の位置を判定することを行うようにさらにプログラミングされてもよい。少なくとも１つの処理デバイスは、ホスト車両の判定された位置に関連付けられたマップ情報であって、ホスト車両の環境内の道路に関連付けられた車線幅情報を含む、マップ情報を受信することを行うようにさらにプログラミングされてもよい。少なくとも１つの処理デバイスは、少なくとも車線幅情報に基づいて、ホスト車両からオブジェクトまでの距離を判定することを行うようにさらにプログラミングされてもよい。少なくとも１つの処理デバイスは、判定された距離に基づいて、ホスト車両に対するナビゲーション動作を決定することを行うようにさらにプログラミングされてもよい。
【０００８】
開示される実施形態と矛盾することなく、ホスト車両をナビゲートするための方法が提供される。方法は、画像取込デバイスから、ホスト車両の環境を表す少なくとも１つの画像を受信する段階を含んでもよい。方法は、少なくとも１つの画像を解析して、ホスト車両の環境内のオブジェクトを識別する段階をさらに含んでもよい。方法は、ホスト車両の位置を判定する段階をさらに含んでもよい。方法は、ホスト車両の判定された位置に関連付けられたマップ情報であって、ホスト車両の環境内の道路に関連付けられた車線幅情報を含む、マップ情報を受信する段階をさらに含んでもよい。方法は、少なくとも車線幅情報に基づいて、ホスト車両からオブジェクトまでの距離を判定する段階をさらに含んでもよい。方法は、判定された距離に基づいて、ホスト車両に対するナビゲーション動作を決定する段階をさらに含んでもよい。
【０００９】
開示される実施形態と矛盾することなく、ホスト車両をナビゲートするためのシステムが提供される。システムは、少なくとも１つの処理デバイスを備えてもよい。少なくとも１つの処理デバイスは、画像取込デバイスから、ホスト車両の環境を表す少なくとも１つの画像を受信することを行うようにプログラミングされてもよい。少なくとも１つの処理デバイスは、複数の画像のうちの少なくとも１つを解析して、車両の環境内の第１オブジェクトを識別することであって、車両の環境内の第２オブジェクトにより、第１オブジェクト及び第１オブジェクトが位置する道路が少なくとも一部視認不能となっている、識別することを行うようにさらにプログラミングされてもよい。少なくとも１つの処理デバイスは、複数の画像のうちの少なくとも２つに基づいて、第１オブジェクトについてのスケール変化情報を判定することを行うようにさらにプログラミングされてもよい。少なくとも１つの処理デバイスは、第１オブジェクトについての判定されたスケール変化情報に基づいて、第１オブジェクトが位置する道路の車線に対する、第１オブジェクトの車線位置を判定することを行うようにさらにプログラミングされてもよい。少なくとも１つの処理デバイスは、第１オブジェクトの判定された車線位置に基づいて、ホスト車両に対するナビゲーション動作を決定することを行うようにさらにプログラミングされてもよい。
【００１０】
開示される実施形態と矛盾することなく、ホスト車両をナビゲートするための方法が提供される。方法は、画像取込デバイスから、ホスト車両の環境を表す複数の画像を受信する段階を含んでもよい。方法は、複数の画像のうちの少なくとも１つを解析して、車両の環境内の第１オブジェクトを識別する段階であって、車両の環境内の第２オブジェクトにより、第１オブジェクト及び第１オブジェクトが位置する道路が少なくとも一部視認不能となっている、識別する段階をさらに含んでもよい。方法は、複数の画像のうちの少なくとも２つに基づいて、第１オブジェクトについてのスケール変化情報を判定する段階をさらに含んでもよい。方法は、第１オブジェクトについての判定されたスケール変化情報に基づいて、第１オブジェクトが位置する道路の車線に対する、第１オブジェクトの車線位置を判定する段階をさらに含んでもよい。方法は、第１オブジェクトの判定された車線位置に基づいて、ホスト車両に対するナビゲーション動作を決定する段階をさらに含んでもよい。
【００１１】
開示される実施形態と矛盾することなく、ホスト車両をナビゲートするためのシステムが提供される。システムは、少なくとも１つの処理デバイスを備えてもよい。少なくとも１つの処理デバイスは、画像取込デバイスから、ホスト車両の環境を表す複数の画像を受信することを行うようにプログラミングされてもよい。少なくとも１つの処理デバイスは、複数の画像のうちの少なくとも１つを解析して、ホスト車両の環境内のターゲット車両を識別することを行うようにさらにプログラミングされてもよい。少なくとも１つの処理デバイスは、ホスト車両の環境に関連付けられたマップ情報を受信することを行うようにさらにプログラミングされてもよい。少なくとも１つの処理デバイスは、複数の画像の解析に基づいて、ターゲット車両の、ある期間内での軌跡を判定することを行うようにさらにプログラミングされてもよい。少なくとも１つの処理デバイスは、ターゲット車両の判定された軌跡及びマップ情報に基づいて、ホスト車両の環境内の道路に対する、ターゲット車両の位置を判定することを行うようにさらにプログラミングされてもよい。少なくとも１つの処理デバイスは、ターゲット車両の判定された位置に基づいて、ホスト車両に対するナビゲーション動作を決定することを行うようにさらにプログラミングされてもよい。
【００１２】
開示される実施形態と矛盾することなく、ホスト車両をナビゲートするための方法が提供される。方法は、画像取込デバイスから、ホスト車両の環境を表す複数の画像を受信する段階を含んでもよい。方法は、複数の画像のうちの少なくとも１つを解析して、ホスト車両の環境内のターゲット車両を識別する段階をさらに含んでもよい。方法は、ホスト車両の環境に関連付けられたマップ情報を受信する段階をさらに含んでもよい。方法は、複数の画像の解析に基づいて、ターゲット車両の、ある期間内での軌跡を判定する段階をさらに含んでもよい。方法は、ターゲット車両の判定された軌跡及びマップ情報に基づいて、ホスト車両の環境内の道路に対する、ターゲット車両の位置を判定する段階をさらに含んでもよい。方法は、ターゲット車両の判定された位置に基づいて、ホスト車両に対するナビゲーション動作を決定する段階をさらに含んでもよい。
【００１３】
他の開示される実施形態と矛盾することなく、非一時的なコンピュータ可読記憶媒体は、少なくとも１つの処理デバイスにより実行され、本明細書で説明される方法のいずれかを実行するプログラム命令を格納してよい。
【００１４】
上記の大まかな説明及び以下の詳細な説明は、例示及び説明に過ぎず、特許請求の範囲を限定するものではない。
【図面の簡単な説明】
【００１５】
本開示の一部に組み込まれ、その一部を構成する添付の図面は、様々な開示される実施形態を示す。図面は以下のとおりである。
【００１６】
【図１】開示される実施形態と矛盾しない例示的なシステムの概略図である。
【００１７】
【図２Ａ】開示される実施形態と矛盾しないシステムを含む例示的な車両の概略側面図である。
【００１８】
【図２Ｂ】開示される実施形態と矛盾しない図２Ａに示される車両及びシステムの概略平面図である。
【００１９】
【図２Ｃ】開示される実施形態と矛盾しないシステムを含む車両の別の実施形態の概略平面図である。
【００２０】
【図２Ｄ】開示される実施形態と矛盾しないシステムを含む車両のさらに別の実施形態の概略平面図である。
【００２１】
【図２Ｅ】開示される実施形態と矛盾しないシステムを含む車両のさらに別の実施形態の概略平面図である。
【００２２】
【図２Ｆ】開示される実施形態と矛盾しない例示的な車両制御システムの概略図である。
【００２３】
【図３Ａ】開示される実施形態と矛盾しない車両撮像システムのためのバックミラー及びユーザインタフェースを含む車両の内部の概略図である。
【００２４】
【図３Ｂ】開示される実施形態と矛盾しないバックミラーの後方及び車両のフロントガラスと向かい合って配置されるように構成されるカメラマウントの例の図である。
【００２５】
【図３Ｃ】開示される実施形態と矛盾しない異なる遠近から図３Ｂに示されるカメラマウントの図である。
【００２６】
【図３Ｄ】開示される実施形態と矛盾しないバックミラーの後方及び車両のフロントガラスと向かい合って配置されるように構成されるカメラマウントの例の図である。
【００２７】
【図４】開示される実施形態と矛盾しない１又は複数の演算を実行するための命令を格納するように構成されるメモリの例示的なブロック図である。
【００２８】
【図５Ａ】開示される実施形態と矛盾しない単眼画像解析に基づいて、１又は複数のナビゲーション応答を行うための例示的なプロセスを示すフローチャートである。
【００２９】
【図５Ｂ】開示される実施形態と矛盾しない画像のセット内の１又は複数の車両及び／又は歩行者を検出するための例示的なプロセスを示すフローチャートである。
【００３０】
【図５Ｃ】開示される実施形態と矛盾しない画像のセット内の路面標示及び／又は車線形状情報を検出するための例示的なプロセスを示すフローチャートである。
【００３１】
【図５Ｄ】開示される実施形態と矛盾しない画像のセット内の交通信号灯を検出するための例示的なプロセスを示すフローチャートである。
【００３２】
【図５Ｅ】開示される実施形態と矛盾しない車両経路に基づいて、１又は複数のナビゲーション応答を行うための例示的なプロセスを示すフローチャートである。
【００３３】
【図５Ｆ】開示される実施形態と矛盾しない先行車両が車線を変更しているかを判定するための例示的なプロセスを示すフローチャートである。
【００３４】
【図６】開示される実施形態と矛盾しないステレオ画像解析に基づいて、１又は複数のナビゲーション応答を行うための例示的なプロセスを示すフローチャートである。
【００３５】
【図７】開示される実施形態と矛盾しない画像の３つのセットの解析に基づいて、１又は複数のナビゲーション応答を行うための例示的なプロセスを示すフローチャートである。
【００３６】
【図８】開示される実施形態と矛盾しない自律走行車両のナビゲーションを提供するためのスパースマップを示す。
【００３７】
【図９Ａ】開示される実施形態と矛盾しない道路セグメントの部分の多項式表現を示す。
【００３８】
【図９Ｂ】開示される実施形態と矛盾しないスパースマップに含まれる特定の道路セグメントに対する車両のターゲット軌跡を表す３次元空間における曲線を示す。
【００３９】
【図１０】開示される実施形態と矛盾しないスパースマップに含まれ得る例示的なランドマークを示す。
【００４０】
【図１１Ａ】開示される実施形態と矛盾しない軌跡の多項式表現を示す。
【００４１】
【図１１Ｂ】開示される実施形態と矛盾しない複数車線の道路に沿うターゲット軌跡を示す。
【図１１Ｃ】開示される実施形態と矛盾しない複数車線の道路に沿うターゲット軌跡を示す。
【００４２】
【図１１Ｄ】開示される実施形態と矛盾しない例示的な道路シグネチャプロファイルを示す。
【００４３】
【図１２】開示される実施形態と矛盾しない自律走行車両のナビゲーションのために、複数の車両から受信したクラウドソーシングデータを用いるシステムの概略図である。
【００４４】
【図１３】開示される実施形態と矛盾しない複数の３次元スプラインにより表される例示的な自律走行車両の道路ナビゲーションモデルを示す。
【００４５】
【図１４】開示される実施形態と矛盾しない多くん運転から位置情報を結合することから生成されるマップの概要を示す。
【００４６】
【図１５】開示される実施形態と矛盾しないランドマークとして例示的な標識を用いて、２つの運転を長手方向に整列させた例を示す。
【００４７】
【図１６】開示される実施形態と矛盾しないランドマークとして例示的な標識を用いて、多くの運転を長手方向に整列させた例を示す。
【００４８】
【図１７】開示される実施形態と矛盾しないカメラ、車両及びサーバを用いて、運転データを生成するためのシステムの概略図である。
【００４９】
【図１８】開示される実施形態と矛盾しないスパースマップをクラウドソーシングするためのシステムの概略図である。
【００５０】
【図１９】開示される実施形態と矛盾しない道路セグメントに沿う自律走行車両のナビゲーションのためのスパースマップを生成するための例示的なプロセスを示すフローチャートである。
【００５１】
【図２０】開示される実施形態と矛盾しないサーバのブロック図を示す。
【００５２】
【図２１】開示される実施形態と矛盾しないメモリのブロック図を示す。
【００５３】
【図２２】開示される実施形態と矛盾しない車両に関連付けられる車両の軌跡をクラスタリングする処理を示す。
【００５４】
【図２３】開示される実施形態と矛盾しない自律ナビゲーションのために用いられ得る車両のナビゲーションシステムを示す。
【００５５】
【図２４】開示される実施形態と矛盾しないメモリのブロック図を示す。
【００５６】
【図２５Ａ】開示される実施形態と矛盾しない、道路上のオブジェクトに対するホスト車両の例示的位置を示す。
【００５７】
【図２５Ｂ】開示される実施形態と矛盾しない、例示的受信画像を示す。
【００５８】
【図２６】開示される実施形態と矛盾しない、ホスト車両をナビゲートするための例示的処理を示すフローチャートを示す。
【００５９】
【図２７Ａ】開示される実施形態と矛盾しない、３次元座標における２つの例示的スプラインを示す。
【００６０】
【図２７Ｂ】開示される実施形態と矛盾しない、例示的受信画像を示す。
【００６１】
【図２８Ａ】開示される実施形態と矛盾しない、３次元座標における２つの例示的スプラインを示す。
【００６２】
【図２８Ｂ】開示される実施形態と矛盾しない、例示的受信画像を示す。
【００６３】
【図２９Ａ】開示される実施形態と矛盾しない、２次元座標における例示的スプラインを示す。
【００６４】
【図２９Ｂ】開示される実施形態と矛盾しない、３次元座標における例示的スプラインを示す。
【００６５】
【図３０】開示される実施形態と矛盾しない、２次元座標に投影された例示的スプラインを示す。
【００６６】
【図３１】開示される実施形態と矛盾しない、ドロネー三角形分割の結果を示す。
【００６７】
【図３２】開示される実施形態と矛盾しない、カメラの位置特定に基づいて、画像に投影された関連三角形を示す。
【００６８】
【図３３】開示される実施形態と矛盾しない、ホスト車両をナビゲートするための例示的処理を示すフローチャートを示す。
【００６９】
【図３４Ａ】開示される実施形態と矛盾しない、道路上のオブジェクトに対するホスト車両の例示的位置を示す。
【００７０】
【図３４Ｂ】開示される実施形態と矛盾しない、例示的受信画像を示す。
【００７１】
【図３５Ａ】開示される実施形態と矛盾しない、道路上のオブジェクトに対するホスト車両の例示的位置を示す。
【００７２】
【図３５Ｂ】開示される実施形態と矛盾しない、ｔ１およびｔ２における例示的受信画像を示す。
【００７３】
【図３６Ａ】開示される実施形態と矛盾しない、道路上のオブジェクトに対するホスト車両の例示的位置を示す。
【００７４】
【図３６Ｂ】開示される実施形態と矛盾しない、例示的受信画像を示す。
【００７５】
【図３７】開示される実施形態と矛盾しない、ホスト車両をナビゲートするための例示的処理を示すフローチャートを示す。
【００７６】
【図３８Ａ】開示される実施形態と矛盾しない、道路上のオブジェクトに対するホスト車両の例示的位置を示す。
【００７７】
【図３８Ｂ】開示される実施形態と矛盾しない、例示的受信画像を示す。
【００７８】
【図３８Ｃ】開示される実施形態と矛盾しない、受信画像内のターゲット車両の位置（ｘ）と幅（ｗ）との間の関係を示す図を示す。
【００７９】
【図３９Ａ】開示される実施形態と矛盾しない、道路上のオブジェクトに対するホスト車両の例示的位置を示す。
【００８０】
【図３９Ｂ】開示される実施形態と矛盾しない、例示的受信画像を示す。
【００８１】
【図４０Ａ】開示される実施形態と矛盾しない、道路上のオブジェクトに対するホスト車両の例示的位置を示す。
【００８２】
【図４０Ｂ】開示される実施形態と矛盾しない、ｔ１での例示的受信画像を示す。
【００８３】
【図４０Ｃ】開示される実施形態と矛盾しない、ｔ２での例示的受信画像を示す。
【００８４】
【図４１】開示される実施形態と矛盾しない、ホスト車両をナビゲートするための例示的処理を示すフローチャートを示す。
【００８５】
【図４２】検出されたターゲット車両への距離が判定され得る、例示的運転シナリオの図を示す。
【発明を実施するための形態】
【００８６】
以下の詳細な説明では、添付の図面について言及する。可能な限り、同じ又は類似の部分を指すために、図面及び以下の説明では同じ参照番号が用いられる。いくつかの例示的な実施形態が本明細書で説明されるが、修正、適応及びその他の実装も可能である。例えば、図面に示される構成要素に対して、置換、追加又は修正が行われ得、本明細書で説明される例示的な方法は、開示される方法に対する段階を置き換え、並べ替え、除去し、又は、追加することにより修正され得る。したがって、以下の詳細な説明は、開示される実施形態及び例に限定されることはない。代わりに、適切な範囲が、添付の特許請求の範囲により定義される。
【００８７】
自律走行車両の概要
【００８８】
本開示において用いられるように、用語「自律走行車両」は、運転者の入力なしに、少なくとも１つのナビゲーションの変更を実施することが可能な車両を指す。「ナビゲーションの変更」は、車両のステアリング、ブレーキ又は加速のうちの１又は複数における変更を指す。自律的であるためには、車両は、完全に自動（例えば、運転者なし、又は、運転者の入力なしの完全な操作）である必要はない。むしろ、自律走行車両は、特定の期間の間に運転者の制御のもとで動作し、他の期間の間に運転者の制御なしで動作できるものを含む。自律走行車両はまた、車両ナビゲーションのいくつかの態様、例えば、（例えば、車両の車線制約間の車両のコースを保持する）ステアリングだけ制御するが、運転者に対する他の態様（例えば、ブレーキ）を残したままであり得る車両を含んでよい。場合によっては、自律走行車両は、車両のブレーキ、速度制御、及び／又は、ステアリングのうちの一部又はすべての態様を処理し得る。
【００８９】
人の運転者は、一般的に、車両を制御するために視覚的なきっかけ及び観測に頼っているので、したがって、交通インフラストラクチャは、車線標示、交通標識及び交通信号灯が運転者に視覚情報を提供するようにすべて設計された状態で形成される。交通インフラストラクチャのこれらの設計特性を考慮して、自律走行車両は、カメラと、車両の環境から取り込まれた視覚情報を解析する処理ユニットとを含み得る。視覚情報は、例えば、運転者により観測可能な交通インフラストラクチャの構成要素（例えば、車線標示、交通標識、交通信号灯など）、及び、他の障害物（例えば、他の車両、歩行者、ごみなど）を含み得る。さらに、自律走行車両はまた、格納された情報、例えば、ナビゲートするときに、車両の環境のモデルを提供する情報を用いてよい。例えば、車両は、ＧＰＳデータ、（例えば、加速度計、速度センサ、サスペンションセンサなどからの）センサデータ、及び／又は、他のマップデータを用いて、車両が走行している間の環境に関連する情報を提供してよく、車両は（他の車両と同様に）、当該情報を用いて、モデル上のそれ自身の位置を特定してよい。
【００９０】
本開示におけるいくつかの実施形態において、自律走行車両は、ナビゲートしている間に、（例えば、カメラ、ＧＰＳデバイス、加速度計、速度センサ、サスペンションセンサなどから）取得した情報を用いてよい。他の実施形態において、自律走行車両は、ナビゲートしている間に、車両による（又は、他の車両による）過去のナビゲーションから取得した情報を用いてよい。さらに他の実施形態において、自律走行車両は、ナビゲートしている間に取得した情報と、過去のナビゲーションから取得した情報との組み合わせを用いてよい。以下のセクションでは、開示される実施形態と矛盾しないシステムの概要を提供し、前向きの撮像システム及び当該システムと矛盾しない方法の概要が後に続く。その後に続くセクションは、自律走行車両のナビゲーションに対するスパースマップを構築、使用及び更新するためのシステム及び方法を開示する。
【００９１】
システムの概要
【００９２】
図１は、例示的に開示される実施形態と矛盾しないシステム１００のブロック図表現である。システム１００は、特定の実施例の要件によって様々なコンポーネントを含み得る。いくつかの実施形態において、システム１００は、処理ユニット１１０、画像取得ユニット１２０、位置センサ１３０、１又は複数のメモリユニット１４０、１５０、マップデータベース１６０、ユーザインタフェース１７０及び無線トランシーバ１７２を含み得る。処理ユニット１１０は、１又は複数の処理デバイスを含み得る。いくつかの実施形態において、処理ユニット１１０は、アプリケーションプロセッサ１８０、画像プロセッサ１９０又は任意の他の適切な処理デバイスを含み得る。同様に、画像取得ユニット１２０は、特定のアプリケーションの要件によって、任意の数の画像取得デバイス及ビーコンポーネントを含み得る。いくつかの実施形態において、画像取得ユニット１２０は、画像取込デバイス１２２、画像取込デバイス１２４及び画像取込デバイス１２６などの１又は複数の画像取込デバイス（例えば、カメラ）を含み得る。システム１００はまた、処理デバイス１１０を画像取得デバイス１２０に通信可能に接続するデータインタフェース１２８を含んでよい。例えば、データインタフェース１２８は、画像取得デバイス１２０により取得された画像データを処理ユニット１１０に伝送するための任意の１又は複数の有線及び／又は無線リンクを含み得る。
【００９３】
無線トランシーバ１７２は、無線周波数、赤外線周波数、磁界又は電界を用いて、１又は複数のネットワーク（例えば、セルラー、インターネットなど）に、エアインタフェースを介した伝送をやり取りするように構成される１又は複数のデバイスを含み得る。無線トランシーバ１７２は、任意の既知の規格（例えば、Ｗｉ−Ｆｉ（登録商標）、Ｂｌｕｅｔｏｏｔｈ（登録商標）、Ｂｌｕｅｔｏｏｔｈ  Ｓｍａｒｔ（登録商標）、８０２．１５．４、ＺｉｇＢｅｅ（登録商標）など）を用いて、データを伝送及び／又は受信してよい。そのような伝送は、ホスト車両から１又は複数の離れて配置されたサーバへの通信を含み得る。そのような伝送はまた、ホスト車両と、（例えば、ホスト車両の環境にいるターゲット車両を考慮して又はこれと一緒に、ホスト車両のナビゲーションの調整を容易にするために、）ホスト車両の環境にいる１又は複数のターゲット車両との間の通信（一方向又は双方向）、又は、伝送車両の近傍にいる不特定の受信者へのブロードキャスト伝送を含んでよい。
【００９４】
アプリケーションプロセッサ１８０及び画像プロセッサ１９０の両方は、様々なタイプの処理デバイスを含んでよい。例えば、アプリケーションプロセッサ１８０及び画像プロセッサ１９０のいずれか又は両方は、マイクロプロセッサ、プリプロセッサ（例えば、画像プリプロセッサ）、グラフィック処理ユニット（ＧＰＵ）、中央処理装置（ＣＰＵ）、サポート回路、デジタル信号プロセッサ、集積回路、メモリ、又は、アプリケーションの実行、及び、画像処理及び解析に適した任意の他のタイプのデバイスを含んでよい。いくつかの実施形態において、アプリケーションプロセッサ１８０及び／又は画像プロセッサ１９０は、任意のタイプのシングル又はマルチコアプロセッサ、モバイルデバイスマイクロコントローラ、中央処理装置などを含んでよい。例えば、インテル（登録商標）、ＡＭＤ（登録商標）などの製造業者から入手可能なプロセッサ、又は、ＮＶＩＤＩＡ（登録商標）、ＡＴＩ（登録商標）などのような製造業者から入手可能なＧＰＵなどを含む様々な処理デバイスが用いられてよく、様々なアーキテクチャ（例えば、ｘ８６プロセッサ、ＡＲＭ（登録商標）など）を含んでよい。
【００９５】
いくつかの実施形態において、アプリケーションプロセッサ１８０及び／又は画像プロセッサ１９０は、モービルアイ（登録商標）から入手可能なプロセッサチップのＥｙｅＱシリーズのいずれかを含んでよい。これらのプロセッサの設計はそれぞれ、ローカルメモリ及び命令セットを有する複数の処理ユニットを含む。そのようなプロセッサは、複数の画像センサから画像データを受信するためのビデオ入力を含んでよく、また、ビデオ出力機能を含んでよい。一例において、ＥｙｅＱ２は、３３２ＭＨｚで動作する９０ｎｍ−ミクロン技術を用いる。ＥｙｅＱ２アーキテクチャは、２つの浮動小数点、ハイパースレッド３２ビットＲＩＳＣ  ＣＰＵ（ＭＩＰＳ３２  ３４Ｋ  コア）、５つのＶｉｓｉｏｎ−Ｃｏｍｐｕｔｉｎｇ−Ｅｎｇｉｎｅｓ（ＶＣＥ）、３つのＶｅｃｔｏｒ−Ｍｉｃｒｏｃｏｄｅ  Ｐｒｏｃｅｓｓｏｒ（ＶＭＰ）、Ｄｅｎａｌｉ−６４ビットモバイルＤＤＲコントローラ、１２８−ビットのインターナルＳｏｎｉｃｓインターコネクト、１６ビットのデュアルビデオ入力及び１８ビットのビデオ出力コントローラ、１６チャネルＤＭＡ、及びいくつかの周辺機器で構成される。ＭＩＰＳ３４Ｋ  ＣＰＵは、５つのＶＣＥ、３つのＶＭＰ及びＤＭＡ、第２のＭＩＰＳ３４Ｋ  ＣＰＵ、及び、マルチチャネルＤＭＡ並びに他の周辺機器を管理する。５つのＶＣＥ、３つのＶＭＰ及びＭＩＰＳ３４Ｋ  ＣＰＵは、マルチファンクションバンドルアプリケーションにより要求される集中的な視覚計算を実行できる。別の例では、第三世代プロセッサであり、かつ、ＥｙｅＱ２よりも６倍以上高性能であるＥｙｅＱ３が、開示される実施形態において用いられ得る。他の例では、ＥｙｅＱ４及び／又はＥｙｅＱ５が、開示される実施形態において用いられ得る。もちろん、任意の新しい又は将来のＥｙｅＱ処理デバイスが、開示される実施形態と一緒に用いられてもよい。
【００９６】
本明細書で開示される処理デバイスのいずれかが、特定の機能を実行するように構成され得る。処理デバイス、例えば、説明したＥｙｅＱプロセッサ又は他のコントローラ又はマイクロプロセッサのいずれかを構成して特定の機能を実行することは、コンピュータ実行可能な命令をプログラミングすること、及び、処理デバイスの動作中の実行のために、処理デバイスに対してそれらの命令を利用可能にすることを含んでよい。いくつかの実施形態において、処理デバイスを構成することは、アーキテクチャ命令で処理デバイスを直接的にプログラミングすることを含んでよい。例えば、処理デバイス、例えば、フィールドプログラマブルゲートアレイ（ＦＰＧＡ）及び特定用途向け集積回路（ＡＳＩＣ）などは、例えば、１又は複数のハードウェア記述言語（ＨＤＬ）を用いて構成され得る。
【００９７】
他の実施形態において、処理デバイスを構成することは、動作中に処理デバイスにアクセス可能なメモリに実行可能な命令を格納することを含んでよい。例えば、処理デバイスは、動作中に、メモリにアクセスして、格納した命令を取得して実行してよい。いずれにしても、本明細書で開示されるセンシング、画像解析及び／又はナビゲーション機能を実行するように構成される処理デバイスは、ホスト車両の複数のハードウェアベースのコンポーネントの制御する専用のハードウェアベースのシステムを表す。
【００９８】
図１は、処理ユニット１１０に含まれる２つの別個の処理デバイスを示すが、より多く又はより少ない処理デバイスが用いられてよい。例えば、いくつかの実施形態において、単一の処理デバイスが、アプリケーションプロセッサ１８０及び画像プロセッサ１９０のタスクを遂行するために用いられてよい。他の実施形態において、これらのタスクは、２つより多くの処理デバイスにより実行されてよい。さらに、いくつかの実施形態において、システム１００は、他のコンポーネント、例えば、画像取得ユニット１２０を含まない１又は複数の処理ユニット１１０を含んでよい。
【００９９】
処理ユニット１１０は、様々なタイプのデバイスを有してよい。例えば、処理ユニット１１０は、コントローラ、画像プリプロセッサ、中央処理装置（ＣＰＵ）、グラフィック処理ユニット（ＧＰＵ）、サポート回路、デジタル信号プロセッサ、集積回路、メモリ、又は、画像処理及び解析用の任意の他のタイプのデバイスなどの様々なデバイスを含んでよい。画像プリプロセッサは、画像センサからの画像を取り込み、デジタル化して処理するビデオプロセッサを含んでよい。ＣＰＵは、任意の数のマイクロコントローラ又はマイクロプロセッサを有してよい。ＧＰＵは、任意の数のマイクロコントローラ又はマイクロプロセッサを有してもよい。サポート回路は、キャッシュ、電力供給、クロック、及び、入力−出力回路を含む、この技術分野で一般によく知られている任意の数の回路であってよい。メモリは、プロセッサにより実行された場合、システムの動作を制御するソフトウェアを格納してよい。メモリは、データベース及び画像処理ソフトウェアを含んでよい。メモリは、任意の数のランダムアクセスメモリ、リードオンリメモリ、フラッシュメモリ、ディスクドライブ、光記憶装置、テープストレージ、リムーバブルストレージ及び他のタイプの記憶装置を有してよい。一例において、メモリは、処理ユニット１１０とは別個であってよい。別の例において、メモリは、処理ユニット１１０に統合されてよい。
【０１００】
各メモリ１４０、１５０は、プロセッサ（例えば、アプリケーションプロセッサ１８０及び／又は画像プロセッサ１９０）により実行された場合、システム１００の様々な態様の動作を制御し得るソフトウェア命令を含んでよい。これらのメモリユニットは、様々なデータベース及び画像処理ソフトウェア、並びに、訓練されたシステム、例えば、ニューラルネットワーク又はディープニューラルネットワークなどを含んでよい。メモリユニットは、ランダムアクセスメモリ（ＲＡＭ）、リードオンリメモリ（ＲＯＭ）、フラッシュメモリ、ディスクドライブ、光記憶装置、テープストレージ、リムーバブルストレージ及び／又は任意の他のタイプの記憶装置を含んでよい。いくつかの実施形態において、メモリユニット１４０、１５０は、アプリケーションプロセッサ１８０及び／又は画像プロセッサ１９０とは別個であってよい。他の実施形態において、これらのメモリユニットは、アプリケーションプロセッサ１８０及び／又は画像プロセッサ１９０に統合されてよい。
【０１０１】
位置センサ１３０は、システム１００の少なくとも１つのコンポーネントに関連付けられた位置を判定するのに適した任意のタイプのデバイスを含んでよい。いくつかの実施形態において、位置センサ１３０は、ＧＰＳ受信機を含んでよい。そのような受信器は、グローバルポジショニングシステム衛星によりブロードキャストされた信号を処理することにより、ユーザの位置及び速度を判定できる。位置センサ１３０からの位置情報は、アプリケーションプロセッサ１８０及び／又は画像プロセッサ１９０に利用可能となり得る。
【０１０２】
いくつかの実施形態において、システム１００は、コンポーネント、例えば、車両２００の速度を測定するための速度センサ（例えば、回転速度計、速度計）、及び／又は、車両２００の加速を測定するための加速度計（単軸又は複数軸のいずれか）を含んでよい。
【０１０３】
ユーザインタフェース１７０は、システム１００の１又は複数のユーザに情報を提供するのに、又は、１又は複数のユーザからの入力を受信するのに適した任意のデバイスを含んでよい。いくつかの実施形態において、ユーザインタフェース１７０は、例えば、タッチスクリーン、マイク、キーボード、ポインタデバイス、トラックホイール、カメラ、ノブ、ボタンなどを含むユーザ入力デバイスを含んでよい。そのような入力デバイスを用いて、ユーザは、命令又は情報をタイピングし、音声コマンドを提供し、ボタン、ポインタ又は視線追跡機能を用いて、又は、又は、システム１００に情報を通信するための任意の他の適切な技術を通じて、画面上のメニューオプションを選択することにより、システム１００に情報入力又はコマンドを提供することができ得る。
【０１０４】
ユーザインタフェース１７０は、ユーザとの間で情報を提供及び受信し、例えば、アプリケーションプロセッサ１８０による使用のための情報を処理するように構成される１又は複数の処理デバイスを備えてよい。いくつかの実施形態において、そのような処理デバイスは、目の動きを認識及び追跡し、音声コマンドを受信及び解釈し、キーボード入力又はメニュー選択などに応答してタッチスクリーンに対して行われたタッチ及び／又はジェスチャーを認識及び解釈するための命令を実行してよい。いくつかの実施形態において、ユーザインタフェース１７０は、ディスプレイ、スピーカ、触覚デバイス、及び／又は、ユーザに出力情報を提供するための任意の他のデバイスを含んでよい。
【０１０５】
マップデータベース１６０は、システム１００に有用なマップデータを格納するための任意のタイプのデータベースを含んでよい。いくつかの実施形態において、マップデータベース１６０は、道路、水を使用した建築物（ｗａｔｅｒ  ｆｅａｔｕｒｅｓ）、地理的形状、会社、ポイントオブインタレスト、レストラン、ガソリンスタンドなどを含む様々な項目の基準座標系における位置に関連するデータを含んでよい。マップデータベース１６０は、そのような項目の位置だけでなく、例えば、格納した特徴のいずれかに関連付けられる名称を含むそれらの項目に関連する記述子も格納してよい。いくつかの実施形態において、マップデータベース１６０は、システム１００の他のコンポーネントとともに物理的に配置され得る。代替的に又はさらに、マップデータベース１６０又はその一部は、システム１００の他のコンポーネント（例えば、処理ユニット１１０）に対して離れて配置され得る。そのような実施形態において、マップデータベース１６０からの情報は、ネットワークへの有線又は無線データ接続を介して（例えば、セルラネットワーク及び／又はインターネットなどを介して）ダウンロードされ得る。場合によっては、マップデータベース１６０は、特定の道路特徴（例えば、車線標示）又はホスト車両に対するターゲット軌跡で構成される多項式表現を含むスパースデータモデルを格納してよい。そのようなマップを生成するシステム及び方法は、図８〜図１９を参照して以下で議論される。
【０１０６】
画像取込デバイス１２２、１２４及び１２６はそれぞれ、環境から少なくとも１つの画像を取り込むのに適した任意のタイプのデバイスを含んでよい。さらに、任意の数の画像取込デバイスは、画像プロセッサへの入力のための画像を取得するために用いられてよい。いくつかの実施形態において、単一の画像取込デバイスだけを含んでよいが、他の実施形態では、２、３又はさらに、４又はそれより多い画像取込デバイスを含んでよい。画像取込デバイス１２２、１２４及び１２６は、以下では、図２Ｂ〜図２Ｅを参照してさらに説明される。
【０１０７】
システム１００又はその様々なコンポーネントは、様々な異なるプラットフォームに組み込まれてよい。いくつかの実施形態において、システム１００は、図２Ａに示されるように、車両２００に含まれてよい。例えば、車両２００は、図１に関連して上述したように、処理ユニット１１０及びシステム１００の他のコンポーネントのいずれかを備えてよい。いくつかの実施形態において、車両２００は、単一の画像取込デバイス（例えば、カメラ）だけを備えてよいが、他の実施形態において、例えば、図２Ｂ〜図２Ｅに関連して議論されるように、複数の画像取込デバイスが用いられ得る。図２Ａに示されるように、例えば、車両２００の画像取込デバイス１２２及び１２４のいずれかが、ＡＤＡＳ（先進運転支援システム）撮像セットの一部であり得る。
【０１０８】
画像取得ユニット１２０の一部として車両２００に含まれる画像取込デバイスが、任意の適切な位置に配置されてよい。いくつかの実施形態において、図２Ａ〜図２Ｅ及び図３Ａ〜図３Ｃに示されるように、画像取込デバイス１２２は、バックミラーの近傍に配置されてよい。この位置は、車両２００の運転者の視線と同様の視線を提供してよく、運転者に何が見えて何が見えないかを判定する際に役立ち得る。画像取込デバイス１２２は、バックミラーの近くのいずれかの位置に配置されてよいが、ミラーの運転者側に画像取込デバイス１２２を設置することは、運転者の視野及び／又は視線を表す画像を取得するのにさらに役立ち得る。
【０１０９】
画像取得ユニット１２０の画像取込デバイスに対する他の位置が用いられてもよい。例えば、画像取込デバイス１２４は、車両２００のバンパー上又はバンパー内に配置されてよい。そのような位置は、広視野を有する画像取込デバイスに特に適し得る。バンパーに配置された画像取込デバイスの視線は、運転者の視線とは異なっていてよく、したがって、バンパーの画像取込デバイス及び運転者は、常に同じオブジェクトを見ているわけではない。画像取込デバイス（例えば、画像取込デバイス１２２、１２４及び１２６）は、他の位置に配置されてもよい。例えば、画像取込デバイスは、車両２００のサイドミラーの一方又は両方上又はその中に、車両２００のルーフに、車両２００のボンネットに、車両２００のトランクに、車両２００の側面に配置され、車両２００のウィンドウのいずれかの後方に取り付けられ、又は、車両２００のウィンドウのいずれかの正面に取り付けられ、車両２００の正面及び／又は背面にあるライト外観に又はライト外観の近くなどに搭載され得る。
【０１１０】
画像取込デバイスに加えて、車両２００は、システム１００の様々な他のコンポーネントを含んでよい。例えば、処理ユニット１１０は、車両のエンジン制御ユニット（ＥＣＵ）と統合されて、又は、ＥＣＵとは別個に、車両２００に含まれ得る。車両２００は、位置センサ１３０、例えば、ＧＰＳ受信機を備えてもよく、マップデータベース１６０、及び、メモリユニット１４０及び１５０を含んでもよい。
【０１１１】
以前に議論したように無線トランシーバ１７２は、１又は複数のネットワーク（例えば、セルラネットワーク、インターネットなど）を介してデータを伝送及び／又は受信してよい。例えば、無線トランシーバ１７２は、システム１００により収集されたデータを１又は複数のサーバにアップロードし、１又は複数のサーバからデータをダウンロードしてよい。無線トランシーバ１７２を介して、システム１００は、例えば、マップデータベース１６０、メモリ１４０及び／又はメモリ１５０に格納されたデータに対する周期的な又は要求に応じた更新を受信してよい。同様に、無線トランシーバ１７２は、システム１００から任意のデータ（例えば、画像取得ユニット１２０により取り込まれた画像、位置センサ１３０又は他のセンサ、車両制御システムなどにより受信されたデータ）及び／又は処理ユニット１１０により処理された任意のデータを１又は複数のサーバにアップロードしてよい。
【０１１２】
システム１００は、プライバシーレベル設定に基づいて、データをサーバに（例えば、クラウドに）アップロードしてよい。例えば、システム１００は、車両、及び／又は、車両の運転者／所有者を一意に識別し得るサーバに送信された複数のタイプのデータ（メタデータを含む）を規制又は制限するようにプライバシーレベル設定を実装してよい。そのような設定は、例えば、無線トランシーバ１７２を介してユーザにより設定されってよく、工場のデフォルト設定により、又は、無線トランシーバ１７２により受信されたデータにより初期化されてよい。
【０１１３】
いくつかの実施形態において、システム１００は、「高」プライバシーレベルに従って、データをアップロードしてよく、設定した設定の下、システム１００は、特定の車両及び／又は運転者／所有者に関する詳細情報を用いることなく、データ（例えば、経路、取り込まれた画像などに関連する位置情報）を伝送してよい。例えば、「高」プライバシー設定に従ってデータをアップロードするときに、システム１００は、車両の識別番号（ＶＩＮ）、又は、車両の運転者又は所有者の名前を含めなくてもよく、代わりに、データ、例えば、経路に関連する取り込まれた画像及び／又は限定された位置情報を伝送してよい。
【０１１４】
他のプライバシーレベルが考えられる。例えば、システム１００は、「中」プライバシーレベルに従って、データをサーバに伝送してよく、「高」プライバシーレベルの下では含まれない追加の情報、例えば、車両のメーカー及び／又はモデル、及び／又は車両タイプなどの（例えば、乗用車、スポーツ用多目的車、トラックなど）追加情報を含んでよい。いくつかの実施形態において、システム１００は、「低」プライバシーレベルに従ってデータをアップロードしてよい。「低」プライバシーレベル設定の下では、システム１００は、データをアップロードし、特定の車両、所有者／運転者、及び／又は、車両が走行する経路の一部又は全体を一意に識別するのに十分な情報を含んでよい。そのような「低」プライバシーレベルのデータは、例えば、ＶＩＮ、運転者／所有者の名前、出発前の車両の開始地点、車両の対象とする目的地、車両のメーカー及び／又はモデル、車両のタイプなどのうちの１又は複数を含み得る。
【０１１５】
図２Ａ、開示される実施形態と矛盾しない例示的な車両撮像システムの概略側面図である。図２Ｂは、図２Ａに示される実施形態の概略平面図の例示である。図２Ｂに示されるように、開示される実施形態は、車両２００のバックミラーの近傍及び／又は運転者の近くに配置される第１の画像取込デバイス１２２、車両２００のバンパー領域上又はバンパー領域内（例えば、バンパー領域２１０のうちの１つ）に配置される第２の画像取込デバイス１２４、及び、処理ユニット１１０を有するシステム１００をその車体に含む車両２００を含み得る。
【０１１６】
図２Ｃに示されるように、画像取込デバイス１２２及び１２４は両方とも、車両２００のバックミラーの近傍及び／又は運転者の近くに配置されてよい。さらに、２つの画像取込デバイス１２２及び１２４が図２Ｂ及び図２Ｃに示されるが、他の実施形態では、２つより多い画像取込デバイスを含み得ることが理解されるべきである。例えば、図２Ｄ及び図２Ｅに示される実施形態では、第１、第２及び第３の画像取込デバイス１２２、１２４及び１２６が、車両２００のシステム１００に含まれる。
【０１１７】
図２Ｄに示されるように、画像取込デバイス１２２は、車両２００のバックミラーの近傍及び／又は運転者の近くに配置されてよく、画像取込デバイス１２４及び１２６は、車両２００のバンパー領域上又はバンパー領域内（例えば、バンパー領域２１０のうちの１つ）に配置されてよい。図２Ｅに示されるように、画像取込デバイス１２２、１２４及び１２６は、車両２００のバックミラーの近傍及び／又は運転席の近くに配置されてよい。開示される実施形態は、画像取込デバイスの特定の数及び構成に限定されることはなく、画像取込デバイスは、車両２００内及び／又は車両２００上の任意の適当な位置に配置されてよい。
【０１１８】
開示される実施形態が車両に限定されることはなく、他のコンテキストに適用され得ることが理解されるべきである。開示される実施形態が、特定のタイプの車両２００に限定されることはなく、自動車、トラック、トレーラ及び他のタイプの車両を含むあらゆるタイプの車両に適用可能であり得ることも理解されたい。
【０１１９】
第１の画像取込デバイス１２２は、任意の好適なタイプの画像取込デバイスを含み得る。画像取込デバイス１２２は、光軸を含み得る。一例において、画像取込デバイス１２２は、グローバルシャッタを有するＡｐｔｉｎａ  Ｍ９Ｖ０２４  ＷＶＧＡセンサを含み得る。他の実施形態において、画像取込デバイス１２２は、１２８０×９６０画素の解像度を提供してよく、ローリングシャッタを含み得る。画像取込デバイス１２２は、様々な光学素子を含み得る。いくつかの実施形態において、例えば、画像取込デバイスに対して所望焦点距離及び視野を提供するために、１又は複数のレンズが含まれてよい。いくつかの実施形態において、画像取込デバイス１２２は、６ｍｍレンズ又は１２ｍｍレンズに関連付けられてよい。いくつかの実施形態において、画像取込デバイス１２２は、図２Ｄに示されるように、所望の視野（ＦＯＶ）２０２を有する画像を取り込むように構成されてよい。例えば、画像取込デバイス１２２は、例えば、４０度から５６度の範囲内の、４６度のＦＯＶ、５０度のＦＯＶ、５２度のＦＯＶ又はそれより大きいＦＯＶを含む標準のＦＯＶを有するように構成されてよい。代替的に、画像取込デバイス１２２は、２３から４０度の範囲内の狭ＦＯＶ、例えば、２８度のＦＯＶ又は３６度のＦＯＶを有するように構成されてよい。さらに、画像取込デバイス１２２は、１００から１８０度の範囲内の広ＦＯＶを有するように構成されてよい。いくつかの実施形態において、画像取込デバイス１２２は、広角のバンパーのカメラ、又は、最大で１８０度のＦＯＶを有するカメラを含み得る。いくつかの実施形態において、画像取込デバイス１２２は、約１００度の水平ＦＯＶを用いて、約２：１のアスペクト比（例えば、ＨｘＶ＝３８００×１９００画素）を有する７．２Ｍ画素の画像取込デバイスであってよい。そのような画像取込デバイスは、３つの画像取込デバイス構成の代わりに用いられてよい。著しいレンズの歪みに起因して、そのような画像取込デバイスの鉛直ＦＯＶは、画像取込デバイスが半径方向に対称なレンズを用いる実装において、５０度より大幅に小さくなり得る。例えば、そのようなレンズは、１００度の水平ＦＯＶを用いて、５０度よりも大きい鉛直ＦＯＶを可能にする半径方向に対称でなくてよい。
【０１２０】
第１の画像取込デバイス１２２は、車両２００に関連付けられるシーンに関連する複数の第１の画像を取得してよい。複数の第１の画像のそれぞれは、ローリングシャッタを用いて取り込まれ得る、一連の画像走査線として取得され得る。各走査線は、複数の画素を含み得る。
【０１２１】
第１の画像取込デバイス１２２は、第１の一連の画像走査線のそれぞれの取得に関連付けられる走査速度を有してよい。走査速度は、特定の走査線に含まれる各画素に関連付けられる画像データを画像センサが取得できる速度を指し得る。
【０１２２】
画像取込デバイス１２２、１２４及び１２６は、例えば、ＣＣＤセンサ又はＣＭＯＳセンサを含む任意の好適なタイプ及び数の画像センサを含んでよい。１つの実施形態において、ＣＭＯＳ画像センサは、ローリングシャッタと共に使用されてよく、行における各画素は一度に１つずつ読み取られ、画像フレーム全体が取り込まれるまで、行のスキャンは行ごとに進行する。いくつかの実施形態において、行は、フレームに対して上から下まで順次取り込まれ得る。
【０１２３】
いくつかの実施形態において、本明細書で開示される画像取込デバイス（例えば、画像取込デバイス１２２、１２４及び１２６）のうちの１又は複数は、高解像度カメラを構成してよく、５Ｍ画素、７Ｍ画素、１０Ｍ画素又はより大きい画素より大きい解像度を有してよい。
【０１２４】
ローリングシャッタの使用は、結果として、異なる時間に異なる行における画素が露光されて取り込まれる場合があり、取り込まれた画像フレームに、スキュー及び他の画像アーチファクトを生じ得る。一方、グローバルシャッタ又はシンクロナスシャッタで動作するように構成された画像取込デバイス１２２の場合、すべての画素は、同じ時間だけ、共通の露光時間中に露光されてもよい。結果として、グローバルシャッタを使用するシステムから収集されたフレーム内の画像データは、特定の時間におけるＦＯＶ全体のスナップショット（例えば、ＦＯＶ２０２）を表す。対照的に、ローリングシャッタを適用した場合、フレーム内の各行が露光され、データが異なる時間に取り込まれる。したがって、ローリングシャッタを有する画像取込デバイスでは、移動するオブジェクトに歪みが現れ得る。この現象は、以下でより詳細に説明される。
【０１２５】
第２の画像取込デバイス１２４及び第３の画像取込デバイス１２６は、任意のタイプの画像取込デバイスであってよい。第１の画像取込デバイス１２２のように、画像取込デバイス１２４及び１２６のそれぞれは、光軸を含み得る。１つの実施形態において、画像取込デバイス１２４及び１２６のそれぞれは、グローバルシャッタを有するＡｐｔｉｎａ  Ｍ９Ｖ０２４  ＷＶＧＡセンサを含み得る。代替的に、画像取込デバイス１２４及び１２６のそれぞれは、ローリングシャッタを含み得る。画像取込デバイス１２２のように、画像取込デバイス１２４及び１２６は、様々なレンズ及び光学素子を含むように構成されてよい。いくつかの実施形態において、画像取込デバイス１２４及び１２６に関連付けられるレンズは、ＦＯＶ（例えば、画像取込デバイス１２２に関連付けられるＦＯＶ２０２）と同じ又はそれより狭ＦＯＶ（例えば、ＦＯＶ２０４及び２０６）を提供してよい。例えば、画像取込デバイス１２４及び１２６は、４０度、３０度、２６度、２３度、２０度又はそれより低いＦＯＶを有してよい。
【０１２６】
画像取込デバイス１２４及び１２６は、車両２００に関連付けられるシーンに関連する複数の第２及び第３の画像を取得してよい。複数の第２及び第３の画像のそれぞれは、ローリングシャッタを用いて取り込まれ得る、第２及び第３の一連の画像走査線として取得され得る。各走査線又は行は、複数の画素を有してよい。画像取込デバイス１２４及び１２６は、第２及び第３の一連に含まれる画像走査線のそれぞれの取得に関連付けられる第２及び第３の走査速度を有し得る。
【０１２７】
各画像取込デバイス１２２、１２４及び１２６は、車両２００に対して任意の適切な位置及び方向に配置され得る。画像取込デバイス１２２、１２４及び１２６の相対的な配置は、画像取込デバイスから取得される情報を互いに結合する際に役立つように選択されてよい。例えば、いくつかの実施形態において、画像取込デバイス１２４に関連付けられるＦＯＶ（例えば、ＦＯＶ２０４）は、画像取込デバイス１２２に関連付けられるＦＯＶ（例えば、ＦＯＶ２０２）及び画像取込デバイス１２６に関連付けられるＦＯＶ（例えば、ＦＯＶ２０６）と部分的に又は完全に重複してよい。
【０１２８】
画像取込デバイス１２２、１２４及び１２６は、任意の適切な相対的な高さで、車両２００に配置されてよい。一例では、画像取込デバイス１２２、１２４及び１２６間には高さの差があり得、ステレオ解析を可能にするのに十分な視差情報を提供し得る。例えば、図２Ａに示されるように、２つの画像取込デバイス１２２及び１２４は、異なる高さを有する。画像取込デバイス１２２、１２４及び１２６間には、横方向のずれ差があってもよく、例えば、処理ユニット１１０によるステレオ解析のために追加の視差情報をもたらす。図２Ｃ及び図２Ｄに示されるように、横方向のずれにおける差は、ｄｘにより示され得る。いくつかの実施形態において、前方又は後方のずれ（例えば、範囲のずれ）が画像取込デバイス１２２、１２４及び１２６間に存在し得る。例えば、画像取込デバイス１２２は、画像取込デバイス１２４及び／又は画像取込デバイス１２６の０．５から２メートル又はそれより後方に配置されてよい。このタイプのずれは、画像取込デバイスのうちの１つが、他の画像取込デバイスの可能性のある死角をカバーすることを可能にし得る。
【０１２９】
画像取込デバイス１２２は、任意の適切な解像度機能（例えば、画像センサに関連付けられる画素の数）を有してよく、画像取込デバイス１２２に関連付けられる画像センサの解像度は、画像取込デバイス１２４及び１２６に関連付けられる画像センサの解像度より高い、低い、又は同じであってよい。いくつかの実施形態において、画像取込デバイス１２２及び／又は画像取込デバイス１２４及び１２６に関連付けられる画像センサは、６４０×４８０、１０２４×７６８、１２８０×９６０の解像度、又は、任意の他の適切な解像度を有してよい。
【０１３０】
フレームレート（例えば、次の画像フレームに関連付けられる画素データの取り込みに移る前に、画像取込デバイスが１つの画像フレームの画素データのセットを取得するレート）は制御可能であり得る。画像取込デバイス１２２に関連付けられるフレームレートは、画像取込デバイス１２４及び１２６に関連付けられるフレームレートより高い、低い、又は同じであってよい。画像取込デバイス１２２、１２４及び１２６に関連付けられるフレームレートは、フレームレートのタイミングに影響を与え得る様々な要因に依存し得る。例えば、画像取込デバイス１２２、１２４及び１２６のうちの１又は複数は、画像取込デバイス１２２、１２４及び／又は１２６における画像センサの１又は複数の画素に関連付けられる画像データを取得する前後に掛かる選択可能な画素遅延時間を含み得る。一般に、各画素に対応する画像データは、デバイスに対するクロックレート（例えば、１画素毎のクロックサイクル）に従って取得され得る。さらに、ローリングシャッタを含む実施形態では、画像取込デバイス１２２、１２４及び１２６のうちの１又は複数は、画像取込デバイス１２２、１２４及び／又は１２６における画像センサの画素の行に関連付けられる画像データを取得する前後に掛かる選択可能な水平ブランキング期間を含み得る。さらに、画像取込デバイス１２２、１２４及び／又は１２６のうちの１又は複数は、画像取込デバイス１２２、１２４及び１２６の画像フレームに関連付けられる画像データを取得する前後に掛かる選択可能な垂直ブランキング期間を含み得る。
【０１３１】
これらのタイミング制御は、それぞれのライン走査速度が異なる場合であっても、画像取込デバイス１２２、１２４及び１２６に関連付けられるフレームレートの同期を可能にし得る。さらに、以下でより詳細に議論されるように、これらの選択可能なタイミング制御は、要因（例えば、画像センサの解像度、最大ライン走査速度など）の中でも特に、画像取込デバイス１２２の視野が画像取込デバイス１２４及び１２６のＦＯＶとは異なる場合であっても、画像取込デバイス１２２のＦＯＶが画像取込デバイス１２４及び１２６の１又は複数のＦＯＶと重複する領域から画像取込の同期を可能にし得る。
【０１３２】
画像取込デバイス１２２、１２４及び１２６でのフレームレートのタイミングは、関連する画像センサの解像度に依存し得る。例えば、両方のデバイスに対する同様のライン走査速度を仮定すると、一方のデバイスが、６４０×４８０の解像度を有する画像センサを含み、他方のデバイスが１２８０×９６０の解像度を有する画像センサを含む場合、高い解像度を有するセンサから画像データのフレームを取得するのにより多くの時間が必要とされる。
【０１３３】
画像取込デバイス１２２、１２４及び１２６における画像データ取得のタイミングに影響を与え得る別の要因は、最大ライン走査速度である。例えば、画像取込デバイス１２２、１２４及び１２６に含まれる画像センサからの画像データの行の取得は、ある最小の時間量を必要とする。画素遅延時間が加えられていないと仮定すると、１行の画像データを取得するためのこの最小の時間量は、特定のデバイスに対する最大ライン走査速度に関連する。より高い最大ライン走査速度を提示するデバイスは、より低い最大ライン走査速度を有するデバイスより高いフレームレートを提供する可能性がある。いくつかの実施形態において、画像取込デバイス１２４及び１２６のうちの１又は複数は、画像取込デバイス１２２に関連付けられる最大ライン走査速度より高い最大ライン走査速度を有し得る。いくつかの実施形態において、画像取込デバイス１２４及び／又は１２６の最大ライン走査速度は、画像取込デバイス１２２の最大ライン走査速度よりも、１．２５倍、１．５倍、１．７５倍、２倍又はそれより大きくてよい。
【０１３４】
別の実施形態において、画像取込デバイス１２２、１２４及び１２６は、同じ最大ライン走査速度を有してもよいが、画像取込デバイス１２２は、その最大走査速度より小さい、又は、これに等しい走査速度で動作してよい。システムは、画像取込デバイス１２４及び１２６のうちの１又は複数が、画像取込デバイス１２２のライン走査速度に等しいライン走査速度で動作するように構成されてよい。他の事例では、システムは、画像取込デバイス１２４及び／又は画像取込デバイス１２６のライン走査速度が、画像取込デバイス１２２のライン走査速度よりも１．２５倍、１．５倍、１．７５倍、２倍又はそれより大きくなり得るように構成されてよい。
【０１３５】
いくつかの実施形態において、画像取込デバイス１２２、１２４及び１２６は、非対称であってよい。つまり、それらは、様々な視野（ＦＯＶ）及び焦点距離を有するカメラを含み得る。例えば、画像取込デバイス１２２、１２４及び１２６の視野は、車両２００の環境に対して任意の所望の領域を含み得る。いくつかの実施形態において、画像取込デバイス１２２、１２４及び１２６のうちの１又は複数は、車両２００の前方、車両２００の後方、車両２００の側方又はそれらの組み合わせにおける環境から画像データを取得するように構成され得る。
【０１３６】
さらに、各画像取込デバイス１２２、１２４及び／又は１２６に関連付けられる焦点距離は、各デバイスが車両２００に対して所望の距離範囲にあるオブジェクトの画像を取得するように、（例えば、適切なレンズなどを含めることにより）選択可能であり得る。例えば、いくつかの実施形態において、画像取込デバイス１２２、１２４及び１２６は、車両から数メートル内に近寄るオブジェクトの画像を取得してよい。画像取込デバイス１２２、１２４及び１２６は、車両からより遠い（例えば、２５ｍ、５０ｍ、１００ｍ、１５０ｍ又はそれより遠い）範囲にあるオブジェクトの画像を取得するように構成されてもよい。さらに、画像取込デバイス１２２、１２４及び１２６の焦点距離は、ある画像取込デバイス（例えば、画像取込デバイス１２２）が、相対的に車両の近く（例えば、１０ｍ以内又は２０ｍ以内）にあるオブジェクトの画像を取得できる一方、他の画像取込デバイス（例えば、画像取込デバイス１２４及び１２６）は、車両２００からより遠く（例えば、２０ｍ、５０ｍ、１００ｍ、１５０ｍなどより遠く）にあるオブジェクトの画像を取得できるように選択され得る。
【０１３７】
いくつかの実施形態によれば、１又は複数の画像取込デバイス１２２、１２４及び１２６のＦＯＶは、広角を有してよい。例えば、特に、車両２００の近傍にある領域の画像を取り込むために用いられ得る画像取込デバイス１２２、１２４及び１２６にとって、１４０度のＦＯＶを有する方が都合がよい。例えば、画像取込デバイス１２２は、車両２００の右側又は左側にある領域の画像を取り込むために用いられてよく、そのような実施形態において、画像取込デバイス１２２が広ＦＯＶ（例えば、少なくとも１４０度）を有することが望ましい場合がある。
【０１３８】
画像取込デバイス１２２、１２４及び１２６のそれぞれに関連付けられる視野は、それぞれの焦点距離に依存し得る。例えば、焦点距離が大きくなるにつれて、対応する視野が縮小する。
【０１３９】
画像取込デバイス１２２、１２４及び１２６は、任意の適切な視野を有するように構成され得る。ある特定の例において、画像取込デバイス１２２は、４６度の水平ＦＯＶを有してよく、画像取込デバイス１２４は、２３度の水平ＦＯＶを有してよく、画像取込デバイス１２６は、２３度と４６度との間の水平ＦＯＶを有してよい。別の例において、画像取込デバイス１２２は、５２度の水平ＦＯＶを有してよく、画像取込デバイス１２４は、２６度の水平ＦＯＶを有してよく、画像取込デバイス１２６は、２６度と５２度との間の水平ＦＯＶを有してよい。いくつかの実施形態において、画像取込デバイス１２４及び／又は画像取込デバイス１２６のＦＯＶに対する画像取込デバイス１２２のＦＯＶの比は、１．５から２．０まで変化し得る。他の実施形態において、この比は、１．２５と２．２５との間で変化し得る。
【０１４０】
システム１００は、画像取込デバイス１２２の視野が、画像取込デバイス１２４及び／又は画像取込デバイス１２６の視野と少なくとも一部又は完全に重複するように構成されてよい。いくつかの実施形態において、システム１００は、画像取込デバイス１２４及び１２６の視野が、例えば、画像取込デバイス１２２の視野の範囲内に含まれ（例えば、より狭く）、画像取込デバイス１２２の視野と共通の中央を共有するように構成され得る。他の実施形態において、画像取込デバイス１２２、１２４及び１２６は、隣接するＦＯＶを取り込んでよい、又は、それらのＦＯＶにおいて部分的に重複する部分を有してよい。いくつかの実施形態において、狭ＦＯＶの画像取込デバイス１２４及び／又は１２６の中央が広ＦＯＶのデバイス１２２の視野の下半分に配置され得るように、画像取込デバイス１２２、１２４及び１２６の視野は整列されてよい。
【０１４１】
図２Ｆは、開示される実施形態と矛盾しない例示的な車両制御システムの概略図である。図２Ｆに示されるように、車両２００は、スロットリングシステム２２０、ブレーキシステム２３０及びステアリングシステム２４０を含み得る。システム１００は、１又は複数のデータリンク（例えば、データを伝送するための任意の１又は複数の有線及び／又は無線リンクを介して、スロットリングシステム２２０、ブレーキシステム２３０及びステアリングシステム２４０のうちの１又は複数に入力（例えば、制御信号）を提供してよい。例えば、画像取込デバイス１２２、１２４及び／又は１２６により取得された画像の解析に基づいて、システム１００は、（例えば、加速させ、方向転換させ、車線変更させるなどにより）車両２００をナビゲートするために、スロットリングシステム２２０、ブレーキシステム２３０及びステアリングシステム２４０のうちの１又は複数に制御信号を提供してよい。さらに、システム１００は、車両２００の動作条件（例えば、速度、車両２００がブレーキしている及び／又は方向転換しているか、など）を示す入力を、スロットリングシステム２２０、ブレーキシステム２３０及びステアリングシステム２４のうちの１又は複数から受信してよい。さらなる詳細は、以下で、図４〜図７に関連して提供される。
【０１４２】
図３Ａに示されるように、車両２００は、車両２００の運転者又は搭乗者とインタラクションするためのユーザインタフェース１７０を含んでもよい。例えば、車両に適用されるユーザインタフェース１７０は、タッチスクリーン３２０、ノブ３３０、ボタン３４０及びマイク３５０を含み得る。車両２００の運転者又は搭乗者は、（例えば、ウィンカーハンドルを含む車両２００のステアリングコラム上又はその近くに例えば配置される）ハンドル及び（例えば、車両２００のステアリングホイールに配置される）ボタンなどを用いて、システム１００とインタラクションしてもよい。いくつかの実施形態において、マイク３５０は、バックミラー３１０に隣接して配置されてよい。同様に、いくつかの実施形態において、画像取込デバイス１２２は、バックミラー３１０の近くに配置されてよい。いくつかの実施形態において、ユーザインタフェース１７０は、１又は複数のスピーカ３６０（例えば、車両のオーディオシステムのスピーカ）を含んでもよい。例えば、システム１００は、スピーカ３６０を介して、様々な通知（例えば、アラート）を提供してよい。
【０１４３】
図３Ｂ〜図３Ｄは、開示される実施形態と矛盾しない、バックミラー（例えば、バックミラー３１０）の背後で、車両のフロントガラスに向き合って配置されるように構成される例示的なカメラマウント３７０の図である。図３Ｂに示されるように、カメラマウント３７０は、画像取込デバイス１２２、１２４及び１２６を含んでよい。画像取込デバイス１２４及び１２６は、グレアシールド３８０の背後に配置されてよく、グレアシールド３８０は、車両のフロントガラスにぴったり重なり、フィルム及び／又は反射防止用材料の構成を含み得る。例えば、グレアシールド３８０は、一致する傾きを有する車両のフロントガラスに対してシールドを揃えるように配置されてよい。いくつかの実施形態において、画像取込デバイス１２２、１２４及び１２６のそれぞれは、例えば、図３Ｄに図示されるように、グレアシールド３８０の背後に配置されてよい。開示される実施形態は、画像取込デバイス１２２、１２４及び１２６、カメラマウント３７０及びグレアシールド３８０の特定の構成に限定されることはない。図３Ｃは、正面からの図３Ｂに示されるカメラマウント３７０の図である。
【０１４４】
本開示を利用できる当業者により理解されるように、数々の変形及び／又は修正が、上記の開示される実施形態に行われてよい。例えば、必ずしもすべてのコンポーネントが、システム１００の動作に不可欠なわけではない。さらに、任意のコンポーネントは、システム１００の任意の適切な部分に配置されてよく、当該コンポーネントは開示される実施形態の機能性を提供しつつ、様々な構成に再構築されてよい。したがって、上記の構成は例であり、上述の構成に関わらず、システム１００は、車両２００の周辺を解析し、解析に応答して車両２００をナビゲートするように、広範囲な機能性を提供できる。
【０１４５】
以下でさらに詳細に議論され、様々な開示される実施形態と矛盾しないように、システム１００は、自律運転及び／又は運転者支援技術に関連する様々な特徴を提供してよい。例えば、システム１００は、画像データ、位置データ（例えば、ＧＰＳの位置情報）、マップデータ、速度データ、及び／又は、車両２００に含まれるセンサからのデータを解析してよい。システム１００は、例えば、画像取得ユニット１２０、位置センサ１３０及び他のセンサから、解析用のデータを収集してよい。さらに、システム１００は、収集されたデータを解析して、車両２００が特定の動作を行うべきか否かを判定し、次に、人の介在なしに判定された動作を自動的に行ってよい。例えば、人の介在なしに車両２００がナビゲートする場合、システム１００は、（例えば、スロットリングシステム２２０、ブレーキシステム２３０及びステアリングシステム２４０のうちの１又は複数に制御信号を送信することにより）車両２００のブレーキ、加速、及び／又は、ステアリングを自動的に制御してよい。さらに、システム１００は、収集されたデータを解析し、収集されたデータの解析に基づいて、車両の搭乗者に警告及び／又はアラートを発行してよい。システム１００により提供される様々な実施形態に関するさらなる詳細は、以下で提供される。
【０１４６】
前向きのマルチ撮像システム
【０１４７】
上述したように、システム１００は、マルチカメラシステムを用いる運転支援機能を提供してよい。マルチカメラシステムは、車両の進行方向を向いている１又は複数のカメラを用いてよい。他の実施形態において、マルチカメラシステムは、車両の側方又は車両の後部を向いている１又は複数のカメラを含んでよい。１つの実施形態において、例えば、システム１００は、２つのカメラ撮像システムを用いてよく、第１のカメラ及び第２のカメラ（例えば、画像取込デバイス１２２及び１２４）は、車両（例えば、車両２００）の前方及び／又は側方に配置されてよい。第１のカメラは、第２のカメラの視野より広い、より狭い、又は、部分的に重複する視野を有してよい。さらに、第１のカメラは、第１のカメラにより提供される画像の単眼画像解析を実行する第１の画像プロセッサに接続されてよく、第２のカメラは、第２のカメラにより提供される画像の単眼画像解析を実行する第２の画像プロセッサに接続されてよい。第１及び第２の画像プロセッサの出力（例えば、処理された情報）は組み合わせられてよい。いくつかの実施形態において、第２の画像プロセッサは、第１のカメラ及び第２のカメラの両方から画像を受信して、ステレオ解析を実行してよい。別の実施形態において、システム１００は、各カメラが異なる視野を有する３つのカメラ撮像システムを用いてよい。したがって、そのようなシステムは、車両の前方及び側方の両方の様々な距離に配置されているオブジェクトから導出された情報に基づいて判定を行ってよい。単眼画像解析への言及は、画像解析が単一の視点から（例えば、単一のカメラから）取り込まれた画像に基づいて実行される例を指し得る。ステレオ画像解析は、画像取込パラメータの１又は複数のバリエーションで取り込まれた２又はそれより多くの画像に基づいて画像解析が実行された例を指し得る。例えば、ステレオ画像解析を実行するのに適した取り込まれた画像は、２又はそれより多くの異なる位置から、様々な視野から、異なる焦点距離を用いて、視差情報と共になど、取り込まれた画像を含んでよい。
【０１４８】
例えば、１つの実施形態において、システム１００は、画像取込デバイス１２２、１２４及び１２６を用いて、３カメラ構成を実装してよい。そのような構成において、画像取込デバイス１２２は、狭視野（例えば、３４度、又は約２０から４５度などの範囲から選択された他の値）を提供してよく、画像取込デバイス１２４は、広視野（例えば、１５０度、又は約１００から約１８０度の範囲から選択された他の値）を提供してよく、画像取込デバイス１２６は、中間の視野（例えば、４６度、又は約３５から約６０度の範囲から選択される他の値）を提供してよい。いくつかの実施形態において、画像取込デバイス１２６は、主カメラ又はプライマリカメラとして動作し得る。画像取込デバイス１２２、１２４及び１２６は、バックミラー３１０の背後に配置され、実質的に並んで（例えば、６ｃｍ離れて）配置されていてよい。さらに、いくつかの実施形態において、上述したように、画像取込デバイス１２２、１２４及び１２６のうちの１又は複数は、車両２００のフロントガラスにぴったり重なるグレアシールド３８０の背後に取り付けられ得る。そのようなシールドは、画像取込デバイス１２２、１２４及び１２６に対する、車の内部からのあらゆる反射の影響を最小限に抑えるように動作し得る。
【０１４９】
別の実施形態において、図３Ｂ及び図３Ｃに関連して上述したように、広視野カメラ（例えば、上記の例における画像取込デバイス１２４）は、狭い及び主視野カメラ（例えば、上記の例における画像デバイス１２２及び１２６）より下部に取り付けられ得る。この構成は、広視野カメラからの自由な視線をもたらし得る。反射を減らすために、カメラは、車両２００のフロントガラスの近くに取り付けられてよく、反射した光を減衰させるために、カメラに偏光板を含み得る。
【０１５０】
３カメラシステムは、特定の性能特性を提供し得る。例えば、いくつかの実施形態は、別のカメラからの検出結果に基づいて、あるカメラによるオブジェクトの検出を検証する能力を含み得る。上述した３カメラ構成では、処理ユニット１１０は、３つの処理デバイス（例えば、上述したようなプロセッサチップの３つのＥｙｅＱシリーズ）を含んでよく、例えば、各処理デバイスは、画像取込デバイス１２２、１２４及び１２６のうちの１又は複数により取り込まれた画像を処理するのに特化している。
【０１５１】
３カメラシステムにおいて、第１の処理デバイスは、主カメラ及び狭視野カメラの両方から画像を受信してよく、狭ＦＯＶカメラの視覚処理を実行して、例えば、他の車両、歩行者、車線標示、交通標識、交通信号灯及び他の道路オブジェクトを検出し得る。さらに、第１の処理デバイスは、主カメラ及び狭カメラからの画像間の画素の視差を計算し、車両２００の環境の３Ｄ再構築を生成し得る。第１の処理デバイスは、次に、３Ｄ再構築を、３Ｄマップデータと、又は、別のカメラからの情報に基づいて算出された３Ｄ情報と結合してよい。
【０１５２】
第２の処理デバイスは、主カメラから画像を受信し、視覚処理を実行して、他の車両、歩行者、車線標示、交通標識、交通信号灯及び他の道路オブジェクトを検出し得る。さらに、第２の処理デバイスは、カメラのずれを計算し、当該ずれに基づいて、一連の画像間の画素の視差を計算し、シーン（例えば、動作からの構造）の３Ｄ再構築を生成し得る。第２の処理デバイスは、ステレオ３Ｄ画像と組み合わせられる対象の３Ｄ再構築に基づく動作からの構造を第１の処理デバイスに送信し得る。
【０１５３】
第３の処理デバイスは、広ＦＯＶカメラから画像受信し、当該画像を処理して、車両、歩行者、車線標示、交通標識、交通信号灯及び他の道路オブジェクトを検出し得る。第３の処理デバイスは、さらに、追加の処理命令を実行して画像を解析し、画像内を移動するオブジェクト、例えば、車線を変更する車両、歩行者などを識別し得る。
【０１５４】
いくつかの実施形態において、画像ベースの情報のストリームが独立して取り込まれて処理されることにより、システムの冗長性を提供するための機会を提供し得る。そのような冗長性は、例えば、第１の画像取込デバイス及びそのデバイスから処理された画像を用いて、少なくとも第２の画像取込デバイスからの画像情報を取り込んで処理することにより取得された情報を検証及び／又は補完することを含み得る。
【０１５５】
いくつかの実施形態において、システム１００は、車両２００にナビゲーション支援を提供する際に、２つの画像取込デバイス（例えば、画像取込デバイス１２２及び１２４）を用いてよく、第３の画像取込デバイス（例えば、画像取込デバイス１２６）を用いて、冗長性を提供し、他の２つの画像取込デバイスから受信したデータの解析を検証し得る。例えば、そのような構成において、画像取込デバイス１２２及び１２４は、車両２００をナビゲートするためにシステム１００によるステレオ解析のための画像を提供してよく、一方、画像取込デバイス１２６は、画像取込デバイス１２２及び／又は画像取込デバイス１２４から取り込まれた画像に基づいて取得した情報の冗長性及び検証を提供するために、システム１００による単眼解析のための画像を提供してよい。つまり、画像取込デバイス１２６（及び、対応する処理デバイス）は、（例えば、自動緊急ブレーキ（ＡＥＢ）システムを提供するために）画像取込デバイス１２２及び１２４から導出された解析に対するチェックを提供するための冗長サブシステムを提供するものととらえられ得る。さらに、いくつかの実施形態において、受信したデータの冗長性及び検証は、１又は複数のセンサから受信した情報（例えば、レーダ、ライダ、音響センサ、車両の外部の１又は複数のトランシーバから受信した情報など）に基づいて補完され得る。
【０１５６】
当業者であれば、上記のカメラ構成、カメラの配置、カメラの数、カメラの位置などが例に過ぎないことを認識するだろう。これらの構成要素及びシステム全体に対して説明したその他のものは、開示される実施形態の範囲から逸脱することなく、様々な異なる構成において組み立てられて用いられてよい。運転者支援及び／又は自律走行車両の機能性を提供するためのマルチカメラシステムの使用に関するさらなる詳細は、以下のとおりである。
【０１５７】
図４は、メモリ１４０及び／又は１５０の例示的な機能ブロック図であり、開示される実施形態と矛盾しない１又は複数の演算を実行するための命令が格納され／プログラミングされ得る。以下では、メモリ１４０に言及するが、当業者であれば、命令がメモリ１４０及び／又は１５０に格納されてよいことを認識するだろう。
【０１５８】
図４に示されるように、メモリ１４０は、単眼画像解析モジュール４０２、ステレオ画像解析モジュール４０４、速度及び加速度モジュール４０６、及び、ナビゲーション応答モジュール４０８を格納してよい。開示される実施形態は、メモリ１４０の特定の構成に限定されることはない。さらに、アプリケーションプロセッサ１８０及び／又は画像プロセッサ１９０は、メモリ１４０に含まれるモジュール４０２、４０４、４０６及び４０８のいずれかに格納されている命令を実行してよい。当業者であれば、処理ユニット１１０に対する以下の説明での言及は、アプリケーションプロセッサ１８０及び画像プロセッサ１９０に対して個々に又はまとめて言及し得ることを理解するだろう。したがって、以下の処理のいずれかの段階は、１又は複数の処理デバイスにより実行されてよい。
【０１５９】
１つの実施形態において、単眼画像解析モジュール４０２は、処理ユニット１１０により実行される場合、画像取込デバイス１２２、１２４及び１２６のうちの１つにより取得された画像のセットの単眼画像解析を実行する命令（例えば、コンピュータビジョンソフトウェア）を格納してよい。いくつかの実施形態において、処理ユニット１１０は、画像のセットからの情報を、追加の知覚情報（例えば、レーダ、ライダなどからの情報）と結合して、単眼画像解析を実行してよい。以下で、図５Ａ〜図５Ｄに関連して説明されるように、単眼画像解析モジュール４０２は、画像セット内の特徴セット、例えば、車線標示、車両、歩行者、道路標識、高速道路出口ランプ、交通信号灯、危険物、及び車両の環境に関連付けられる他の任意の特徴を検出するための命令を含み得る。解析に基づいて、（例えば、処理ユニット１１０を介して）システム１００は、ナビゲーション応答モジュール４０８に関連して以下で議論されるように、方向転換、車線変更及び加速度の変更など、車両２００における１又は複数のナビゲーション応答を実行させてよい。
【０１６０】
１つの実施形態において、ステレオ画像解析モジュール４０４は、処理ユニット１１０により実行される場合、画像取込デバイス１２２、１２４及び１２６のいずれかから選択された画像取込デバイスの組み合わせにより取得された第１及び第２の画像セットについてのステレオ画像解析を実行する命令（例えば、コンピュータビジョンソフトウェア）を格納し得る。いくつかの実施形態において、処理ユニット１１０は、第１及び第２の画像セットからの情報を追加の知覚情報（例えば、レーダからの情報）と結合して、ステレオ画像解析を実行してよい。例えば、ステレオ画像解析モジュール４０４は、画像取込デバイス１２４により取得された第１の画像のセット、及び、画像取込デバイス１２６により取得された第２の画像のセットに基づいてステレオ画像解析を実行するための命令を含み得る。以下で、図６に関連して説明されるように、ステレオ画像解析モジュール４０４は、第１及び第２の画像セット内の特徴のセット、例えば、車線標示、車両、歩行者、道路標識、高速道路出口ランプ、交通信号灯及び危険物などを検出するための命令を含み得る。解析に基づいて、処理ユニット１１０は、ナビゲーション応答モジュール４０８に関連して以下で議論されるように、方向転換、車線変更、及び、加速度の変更など、車両２００における１又は複数のナビゲーション応答を実行させてよい。さらに、いくつかの実施形態において、ステレオ画像解析モジュール４０４は、訓練されたシステム（例えば、ニューラルネットワーク又はディープニューラルネットワーク）、又は、訓練されていないシステム、例えば、コンピュータビジョンアルゴリズムを用いて、知覚情報が取り込まれて処理された環境内のオブジェクトを検出及び／又は分類するように構成され得るシステムに関連付けられる技術を実装してよい。１つの実施形態において、ステレオ画像解析モジュール４０４及び／又は他の画像処理モジュールは、訓練されているシステム及び訓練されていないシステムの組み合わせを用いるように構成されてよい。
【０１６１】
１つの実施形態において、速度及び加速度モジュール４０６は、車両２００の速度及び／又は加速度を変更させるように構成される車両２００内の１又は複数のコンピューティング及び電気機械デバイスから受信したデータを解析するように構成されるソフトウェアを格納してよい。例えば、処理ユニット１１０は、単眼画像解析モジュール４０２及び／又はステレオ画像解析モジュール４０４の実行から導出されたデータに基づいて、車両２００に対する目標速度を計算するように、速度及び加速度モジュール４０６に関連付けられた命令を実行してよい。そのようなデータは、例えば、目標位置、速度及び／又は加速度、近くの車両、歩行者又は道路オブジェクトに対する車両２００の位置及び／又は速度、道路の車線標示に対する車両２００の位置情報などを含み得る。さらに、処理ユニット１１０は、知覚入力（例えば、レーダからの情報）、及び、車両２００の他のシステム、例えば、車両２００のスロットリングシステム２２０、ブレーキシステム２３０及び／又はステアリングシステム２４０からの入力に基づいて、車両２００に対する目標速度を計算してよい。算出された目標速度に基づいて、処理ユニット１１０は、車両２００のスロットリングシステム２２０、ブレーキシステム２３０、及び／又は、ステアリングシステム２４０に電子信号を伝送して、例えば、物理的にブレーキを掛ける、又は、車両２００のアクセルを緩めることにより、速度及び／又は加速度を変更することをトリガし得る。
【０１６２】
１つの実施形態において、ナビゲーション応答モジュール４０８は、単眼画像解析モジュール４０２及び／又はステレオ画像解析モジュール４０４の実行から導出されたデータに基づいて、所望のナビゲーション応答を判定するように、処理ユニット１１０により実行可能なソフトウェアを格納してよい。そのようなデータは、近くの車両、歩行者及び道路オブジェクト、及び、車両２００の目標位置情報などに関連付けられる位置及び速度情報を含み得る。さらに、いくつかの実施形態において、ナビゲーション応答は、マップデータ、車両２００の予め定められた位置、及び／又は、単眼画像解析モジュール４０２及び／又はステレオ画像解析モジュール４０４の実行から検出された１又は複数のオブジェクトと車両２００との間の相対速度又は相対加速度に（部分的に又は完全に）基づいてよい。ナビゲーション応答モジュール４０８は、知覚入力（例えば、レーダからの情報）、及び、車両２００の他のシステム、例えば、車両２００のスロットリングシステム２２０、ブレーキシステム２３０及びステアリングシステム２４０からの入力に基づいて、所望のナビゲーション応答を判定してもよい。所望のナビゲーション応答に基づいて、処理ユニット１１０は、車両２００のスロットリングシステム２２０、ブレーキシステム２３０及びステアリングシステム２４０に電子信号を伝送して、例えば、車両２００のステアリングホイールを回転させて、予め定められた角度の回転を実現することにより、所望のナビゲーション応答をトリガしてよい。いくつかの実施形態において、処理ユニット１１０は、車両２００の速度の変更を算出するために、速度及び加速度モジュール４０６の実行への入力として、ナビゲーション応答モジュール４０８の出力（例えば、所望のナビゲーション応答）を用いてよい。
【０１６３】
さらに、本明細書で開示されるモジュール（例えば、モジュール４０２、４０４及び４０６）のいずれかは、訓練されたシステム（ニューラルネットワーク又はディープニューラルネットワークなど）又は訓練されていないシステムに関連付けられる技術を実装してよい。
【０１６４】
図５Ａは、開示される実施形態と矛盾しない、単眼画像解析に基づいて１又は複数のナビゲーション応答を行うための例示的なプロセス５００Ａを示すフローチャートである。段階５１０において、処理ユニット１１０は、処理ユニット１１０と画像取得ユニット１２０との間のデータインタフェース１２８を介して複数の画像を受信してよい。例えば、画像取得ユニット１２０に含まれるカメラ（例えば、視野２０２を有する画像取込デバイス１２２）は、車両２００の前方（又は、例えば、車両の側方又は後部）の領域の複数の画像を取り込み、それらをデータ接続（例えば、デジタル、有線、ＵＳＢ、無線、Ｂｌｕｅｔｏｏｔｈ（登録商標）など）を介して処理ユニット１１０に伝送してよい。処理ユニット１１０は、以下で図５Ｂ〜図５Ｄに関連してさらに詳細に説明されるように、段階５２０において、単眼画像解析モジュール４０２を実行して、複数の画像の解析を実行してよい。解析を実行することにより、処理ユニット１１０は、画像セット内の特徴セット、例えば、車線標示、車両、歩行者、道路標識、高速道路出口ランプ及び交通信号灯などを検出してよい。
【０１６５】
段階５２０において、処理ユニット１１０は、単眼画像解析モジュール４０２を実行し、様々な道路障害物、例えば、トラックのタイヤのパーツ、落下した道路標識、ルーズカーゴ及び小動物などを検出してもよい。道路障害物は、構造、形状、サイズ及び色によって異なり、そのような障害物の検出をより困難にし得る。いくつかの実施形態において、処理ユニット１１０は、単眼画像解析モジュール４０２を実行し、複数の画像に対するマルチフレーム解析を実行して道路障害物を検出し得る。例えば、処理ユニット１１０は、連続する画像フレーム間のカメラの動きを推定し、フレーム間の画素の視差を計算して道路の３Ｄマップを構築してよい。次に、処理ユニット１１０は、３Ｄマップを用いて、路面及び路面に存在する障害物を検出してよい。
【０１６６】
段階５３０において、処理ユニット１１０は、ナビゲーション応答モジュール４０８を実行して、段階５２０において実行された解析、及び、図４に関連して上述した技術に基づいて、車両２００における１又は複数のナビゲーション応答を行ってよい。ナビゲーション応答は、例えば、方向転換、車線変更及び加速度の変更などを含み得る。いくつかの実施形態において、処理ユニット１１０は、速度及び加速度モジュール４０６の実行から導出されたデータを用いて、１又は複数のナビゲーション応答を行ってよい。さらに、複数のナビゲーション応答は、同時に、順番に、又は、それらの任意の組み合わせで生じ得る。例えば、処理ユニット１１０は、例えば、車両２００のステアリングシステム２４０及びスロットリングシステム２２０に制御信号を連続して伝送することにより、車両２００を一車線向こう側に変えて、その後加速させてよい。代替的に、処理ユニット１１０は、例えば、車両２００のブレーキシステム２３０及びステアリングシステム２４０に制御信号を同時に伝送することにより、車両２００にブレーキをかけさせながら、同時に車線を変えてよい。
【０１６７】
図５Ｂは、開示される実施形態と矛盾しない、画像のセット内の１又は複数の車両及び／又は歩行者を検出するための例示的なプロセス５００Ｂを示すフローチャートである。処理ユニット１１０は、単眼画像解析モジュール４０２を実行して、プロセス５００Ｂを実施してよい。段階５４０において、処理ユニット１１０は、可能性のある車両及び／又は歩行者を表す候補オブジェクトのセットを判定してよい。例えば、処理ユニット１１０は、１又は複数の画像をスキャンし、当該画像を１又は複数の予め定められたパターンと比較し、各画像内に、関心のあるオブジェクト（例えば、車両、歩行者又はそれらの一部）を含み得る可能性のある位置を識別してよい。予め定められたパターンは、高い割合の「偽のヒット」及び低い割合の「見逃し」を実現するようなやり方で設計されてよい。例えば、処理ユニット１１０は、可能性のある車両又は歩行者として候補オブジェクトを識別するために、予め定められたパターンとの低閾値の類似性を用いてよい。そうすることにより、処理ユニット１１０が車両又は歩行者を表す候補オブジェクトを見逃す（例えば、識別していない）確率を減らすことが可能となり得る。
【０１６８】
段階５４２において、処理ユニット１１０は、候補オブジェクトのセットをフィルタリングし、分類基準に基づいて、特定の候補（例えば、無関係なオブジェクト又は関連性の低いオブジェクト）を除外してよい。そのような基準は、データベース（例えば、メモリ１４０に格納されているデータベース）に格納されたオブジェクトの種類に関連付けられている様々な特性から導出され得る。特性は、（例えば、車両２００に対する）オブジェクトの形状、寸法、質感、位置などを含み得る。したがって、処理ユニット１１０は、１又は複数の基準のセットを用いて、候補オブジェクトのセットから偽の候補を拒否してよい。
【０１６９】
段階５４４において、処理ユニット１１０は、画像の複数のフレームを解析して、候補オブジェクトのセット内のオブジェクトが車両及び／又は歩行者を表すかを判定してよい。例えば、処理ユニット１１０は、連続したフレームにわたって検出した候補オブジェクトを追跡し、検出されたオブジェクト（例えば、車両２００に対するサイズ、位置など）に関連付けられたフレームごとのデータを蓄積してよい。さらに、処理ユニット１１０は、検出されたオブジェクトに対するパラメータを推定し、オブジェクトのフレームごとの位置データを予測された位置と比較してよい。
【０１７０】
段階５４６において、処理ユニット１１０は、検出されたオブジェクトに対する測定値のセットを構築してよい。そのような測定値は、例えば、検出されたオブジェクトに関連付けられた（車両２００に対する）位置、速度及び加速度の値を含み得る。いくつかの実施形態において、処理ユニット１１０は、一連の時間ベースの観測、例えば、カルマンフィルタ又は線形二次推定（ＬＱＥ）を用いた推定技術に基づいて、及び／又は、異なるオブジェクトの種類（例えば、車、トラック、歩行者、自転車、道路標識など）に対する利用可能なモデル化データに基づいて、測定値を構築してよい。カルマンフィルタは、オブジェクトのスケールの測定に基づいてよく、ここで、スケールの測定値は、衝突までの時間（例えば、車両２００がオブジェクトに到達までの時間の長さ）に比例する。したがって、段階５４０−５４６を実行することによって、処理ユニット１１０は、取り込まれた画像のセット内に現れる車両及び歩行者を識別して、車両及び歩行者に関連付けられる情報（例えば、位置、速度、サイズ）を導出し得る。識別及び導出された情報に基づいて、処理ユニット１１０は、上記の図５Ａに関連して説明されたように、車両２００における１又は複数のナビゲーション応答を行ってよい。
【０１７１】
段階５４８において、処理ユニット１１０は、１又は複数の画像のオプティカルフロー解析を実行して、「偽のヒット」を検出する確率、及び、車両又は歩行者を表す候補オブジェクトを見逃す確率を減らし得る。オプティカルフロー解析は、例えば、他の車両及び歩行者に関連付けられる１又は複数の画像内の車両２００に対する、路面動作とは区別される動作パターンを解析することを指し得る。処理ユニット１１０は、異なる時間に取り込まれた複数の画像フレームにわたるオブジェクトの異なる位置を観測することにより、候補オブジェクトの動作を計算してよい。処理ユニット１１０は、候補オブジェクトの動作を算出するための数学的モデルへの入力として、位置及び時間の値を用いてよい。したがって、オプティカルフロー解析は、車両２００の近くにある車両及び歩行者を検出する別の方法を提供してよい。処理ユニット１１０は、段階５４０−５４６の組み合わせでオプティカルフロー解析を実行して、車両及び歩行者を検出するための冗長性を提供し、システム１００の信頼性を向上させ得る。
【０１７２】
図５Ｃは、開示される実施形態と矛盾しない、画像のセット内の路面標示及び／又は車線形状情報を検出するための例示的なプロセス５００Ｃを示すフローチャートである。処理ユニット１１０は、単眼画像解析モジュール４０２を実行してプロセス５００Ｃを実施してよい。段階５５０において、処理ユニット１１０は、１又は複数の画像をスキャンすることにより、オブジェクトのセットを検出してよい。車線標示、車線形状情報及び他の関連する路面標示のセグメントを検出するために、処理ユニット１１０は、オブジェクトのセットをフィルタリングして、無関係であると判定されたもの（例えば、わずかなくぼみ、小さな岩など）を除外してよい。段階５５２において、処理ユニット１１０は、同じ路面標示又は車線標示に属する段階５５０において検出されたセグメントを一緒にグループ化してよい。グループ化に基づいて、処理ユニット１１０は、検出されたセグメントを表すモデル、例えば、数学的なモデルを展開し得る。
【０１７３】
段階５５４において、処理ユニット１１０は、検出されたセグメントに関連付けられる測定値のセットを構築してよい。いくつかの実施形態において、処理ユニット１１０は、画像平面から現実世界の平面上に検出されたセグメントの射影を作成してよい。射影は、物理的な特性、例えば、検出された道路の位置、傾き、曲率及び曲率関数に対応する係数を有する３次多項式を用いて特徴付けられてよい。射影を生成する際に、処理ユニット１１０は、路面の変化、及び、車両２００に関連付けられるピッチ及びロールレートを考慮し得る。さらに、処理ユニット１１０は、路面に存在する位置及びモーションキューを解析することにより、道路の標高をモデルしてよい。さらに、処理ユニット１１０は、１又は複数の画像内の特徴点のセットを追跡することにより、車両２００に関連付けられているピッチ及びロールレートを推定してよい。
【０１７４】
段階５５６において、処理ユニット１１０は、例えば、連続する画像フレームにわたって検出されたセグメントを追跡すること、及び、検出されたセグメントに関連付けられているフレームごとのデータを蓄積することにより、マルチフレーム解析を実行してよい。処理ユニット１１０がマルチフレーム解析を実行するので、段階５５４で構築された測定値のセットは、より信頼できるものとなり、ますます高い信頼水準に関連付けられ得る。したがって、段階５５０、５５２、５５４及び５５６を実行することにより、処理ユニット１１０は、取り込まれた画像のセット内に現れる路面標示を識別し、車線形状情報を導出し得る。識別及び導出された情報に基づいて、処理ユニット１１０は、上記の図５Ａに関連して説明されたように、車両２００における１又は複数のナビゲーション応答を行ってよい。
【０１７５】
段階５５８において、処理ユニット１１０は、その周囲のコンテキストにおいて、車両２００に対する安全モデルをさらに展開するように、追加の情報源を考慮し得る。処理ユニット１１０は、安全モデルを用いて、システム１００が安全な方式で車両２００の自律制御を実行し得るコンテキストを画定してよい。安全モデルを展開するために、いくつかの実施形態において、処理ユニット１１０は、他の車両の位置及び動き、検出された道路の縁部及び境界、及び／又は、マップデータ（例えば、マップデータベース１６０からのデータ）から抽出された一般的な道路の道路形状描写を考慮してよい。追加の情報源を考慮することで、処理ユニット１１０は、路面標示及び車線の幾何学形状を検出するための冗長性を提供し、システム１００の信頼性を高め得る。
【０１７６】
図５Ｄは、開示される実施形態と矛盾しない、画像のセット内の交通信号灯を検出するための例示的なプロセス５００Ｄを示すフローチャートである。処理ユニット１１０は、単眼画像解析モジュール４０２を実行して、プロセス５００Ｄを実施してよい。段階５６０において、処理ユニット１１０は、画像のセットをスキャンすることができ、交通信号灯を含みそうな画像内の位置に現れるオブジェクトを識別してよい。例えば、処理ユニット１１０は、交通信号灯に対応する可能性が低いそれらのオブジェクトを除外して、候補オブジェクトのセットを構築するために、識別されたオブジェクトをフィルタリングしてよい。フィルタリングは、交通信号灯に関連付けられている様々な特性、例えば、（例えば、車両２００に対する）形状、寸法、テクスチャ、位置などに基づいて行われてよい。そのような特性は、交通信号灯及び交通制御信号についての複数の例に基づいてよく、データベースに格納されてよい。いくつかの実施形態において、処理ユニット１１０は、可能性のある交通信号灯を反映する候補オブジェクトのセットに対してマルチフレーム解析を実行してよい。例えば、処理ユニット１１０は、連続する画像フレームにわたって候補オブジェクトを追跡し、候補オブジェクトの現実世界の位置を推定し、（交通信号灯である可能性が低い）移動しているそれらのオブジェクトを取り除いてよい。いくつかの実施形態において、処理ユニット１１０は、候補オブジェクトに対して色解析を実行し、可能性のある交通信号灯の内部に現れる検出された色の相対位置を識別してよい。
【０１７７】
段階５６２において、処理ユニット１１０は、ジャンクションの幾何学形状を解析してよい。解析は、（ｉ）車両２００の側方のいずれかで検出された車線の数、（ｉｉ）道路上で検出されたマーキング（例えば、矢印マーク）、及び、（ｉｉｉ）マップデータから抽出されたジャンクションの記述（マップデータベース１６０からのデータなど）の任意の組み合わせに基づいてよい。処理ユニット１１０は、単眼解析モジュール４０２の実行から導出された情報を用いて解析を実行してよい。さらに、処理ユニット１１０は、段階５６０で検出された交通信号灯と車両２００の近くに現れる車線との間の対応関係を判定してよい。
【０１７８】
車両２００がジャンクションに近づくと、段階５６４において、処理ユニット１１０は、解析されたジャンクションの幾何学形状及び検出された交通信号灯に関連付けられる信頼水準を更新してよい。例えば、ジャンクションに実際に現れる数と比較された、ジャンクションに現れると推定される交通信号灯の数は、信頼水準に影響を与え得る。したがって、信頼水準に基づいて、処理ユニット１１０は、安全性の条件を改善するために、車両２００の運転者に制御を委任してよい。段階５６０、５６２及び５６４を実行することにより、処理ユニット１１０は、取り込まれた画像のセット内に現れる交通信号灯を識別し、ジャンクションの幾何学情報を解析してよい。識別及び解析に基づいて、処理ユニット１１０は、上記の図５Ａに関連して説明されたように、車両２００における１又は複数のナビゲーション応答を行ってよい。
【０１７９】
図５Ｅは、開示される実施形態と矛盾しない、車両経路に基づいて車両２００における１又は複数のナビゲーション応答を行うための例示的なプロセス５００Ｅを示すフローチャートである。段階５７０において、処理ユニット１１０は、車両２００に関連付けられる初期の車両経路を構築してよい。車両経路は、座標（ｘ，ｚ）に表される点のセットを用いて表されてよく、点のセット内の２点間の距離ｄｉは、１から５メートルの範囲に収まり得る。１つの実施形態において、処理ユニット１１０は、２つの多項式、例えば、左右の道路多項式を用いて、初期の車両経路を構築してよい。処理ユニット１１０は、２つの多項式間の幾何学的な中間点を計算し、もしあれば、予め定められたオフセット（例えば、スマート車線のオフセット）により、結果的な車両経路に含まれる各点をオフセットしてよい（ゼロのオフセットは、車線の中央での走行に対応し得る）。オフセットは、車両経路内の任意の２点間のセグメントと垂直な方向に行われてよい。別の実施形態において、処理ユニット１１０は、１つの多項式及び推定される車線幅を用いて、推定される車線幅の半分に加えて予め定められたオフセット（例えば、スマート車線のオフセット）だけ車両経路の各点をオフセットしてよい。
【０１８０】
段階５７２において、処理ユニット１１０は、段階５７０で構築された車両経路を更新してよい。処理ユニット１１０は、車両経路を表す点のセットにおける２点間の距離ｄｋが上述した距離ｄｉより短くなるように、高い解像度を用いて段階５７０で構築された車両経路を再構築してよい。例えば、距離ｄｋは、０．１から０．３メートルの範囲に収まり得る。処理ユニット１１０は、車両経路の全長に対応する（すなわち、車両経路を表す点のセットに基づいて）累積距離ベクトルＳを生じ得る放物線スプラインアルゴリズムを用いて車両経路を再構築してよい。
【０１８１】
段階５７４において、処理ユニット１１０は、段階５７２で構築された更新済みの車両経路に基づいて、（（ｘｌ，ｚｌ）として座標に表される）先読み点を判定してよい。処理ユニット１１０は、累積距離ベクトルＳから先読み点を抽出してよく、先読み点は、先読み距離及び先読み時間に関連付けられてよい。１０から２０メートルまでの範囲に下限を有し得る先読み距離は、車両２００の速度と先読み時間との積として算出され得る。例えば、車両２００の速度が落ちた場合、先読み距離も（例えば、下限に達するまで）縮まり得る。逆に、０．５から１．５秒までの範囲であり得る先読み時間は、車両２００におけるナビゲーション応答を行うことに関連付けられる１又は複数の制御ループ、例えば、進行方向の誤差追跡制御ループのゲインに比例し得る。例えば、進行方向の誤差追跡制御ループのゲインは、ヨーレートループの帯域幅、ステアリングアクチュエータループ、及び、車の横方向の運動状態などに依存し得る。したがって、進行方向の誤差追跡制御ループのゲインが高くなると、先読み時間が短くなる。
【０１８２】
段階５７６において、処理ユニット１１０は、段階５７４で判定された先読み点に基づいて、進行方向の誤差及びヨーレートコマンドを判定してよい。処理ユニット１１０は、先読み点の逆正接、例えば、ａｒｃｔａｎ（ｘｌ／ｚｌ）を算出することにより進行方向の誤差を判定してよい。処理ユニット１１０は、進行方向の誤差とハイレベル制御ゲインの積として、ヨーレートコマンドを判定してよい。先読み距離が下限にない場合、ハイレベル制御ゲインは、（２／先読み時間）に等しくなり得る。そうでない場合、ハイレベル制御ゲインは、（２×車両２００の速度／先読み距離）に等しくなり得る。
【０１８３】
図５Ｆは、開示される実施形態と矛盾しない、先行車両が車線を変更しているかを判定するための例示的なプロセス５００Ｆを示すフローチャートである。段階５８０において、処理ユニット１１０は、先行車両（例えば、車両２００の前方を走行する車両）に関連付けられているナビゲーション情報を判定してよい。例えば、処理ユニット１１０は、上記の図５Ａ及び図５Ｂに関連して説明された技術を用いて、先行車両の位置、速度（例えば、方向及び速度）、及び／又は、加速度を判定してよい。処理ユニット１１０は、上記の図５Ｅに関連して説明された技術を用いて、１又は複数の道路多項式、（車両２００に関連付けられる）先読み点、及び／又は、スネイルトレイル（例えば、先行車両がとる経路を記述する点のセット）を判定してもよい。
【０１８４】
段階５８２において、処理ユニット１１０は、段階５８０で判定されたナビゲーション情報を解析してよい。１つの実施形態において、処理ユニット１１０は、スネイルトレイルと道路多項式との間の（例えば、軌跡に沿う）距離を計算してよい。軌跡に沿うこの距離の分散が、予め定められた閾値（例えば、直線道路では０．１から０．２メートル、適度にカーブした道路では０．３から０．４メートル、及び、急カーブのある道路では０．５から０．６メートル）を超える場合、処理ユニット１１０は、先行車両が車線を変更しそうであると判定してよい。複数の車両が車両２００の前方を走行していることが検出された場合、処理ユニット１１０は、各車両に関連付けられたスネイルトレイルを比較してよい。比較に基づいて、処理ユニット１１０は、スネイルトレイルが他の車両のスネイルトレイルと一致していない車両が車線を変更しそうであると判定してよい。処理ユニット１１０は、（先行車両に関連付けられている）スネイルトレイルの曲率を先行車両が走行している道路セグメントの予想される曲率とさらに比較してよい。予想される曲率は、マップデータから（例えば、マップデータベース１６０からのデータから）、道路多項式から、他の車両のスネイルトレイルから、及び、道路についての予備知識などから抽出されてよい。スネイルトレイルの曲率と道路セグメントの予想される曲率との差が、予め定められた閾値を超える場合、処理ユニット１１０は、先行車両が車線を変更しそうであると判定してよい。
【０１８５】
別の実施形態において、処理ユニット１１０は、特定の期間（例えば、０．５から１．５秒）にわたって、先行車両の瞬間の位置を（車両２００に関連付けられている）先読み点と比較してよい。先行車両の瞬間の位置と先読み点との間の距離が、特定の期間中に変化した場合、変化の累積的合計が予め定められた閾値（例えば、直線道路では０．３から０．４メートル、適度にカーブした道路では０．７から０．８メートル、及び、急カーブのある道路では１．３から１．７メートル）を超えた場合、処理ユニット１１０は、先行車両が車線を変更しそうであると判定してよい。別の実施形態において、処理ユニット１１０は、軌跡に沿って走行した横方向距離を予想されるスネイルトレイルの曲率と比較することにより、スネイルトレイルの幾何学形状を解析してよい。予想される曲率半径は、計算（δｚ２＋δｘ２）／２／（δｘ）に従って判定されてよく、ここで、δｘは走行した横方向距離を表し、δｚは、走行した長手方向の距離を表す。走行した横方向距離と予想される曲率との間の差が、予め定められた閾値（例えば、５００から７００メートル）を超えた場合、処理ユニット１１０は、先行車両が車線を変更しそうであると判定してよい。別の実施形態において、処理ユニット１１０は、先行車両の位置を解析してよい。先行車両の位置により、道路多項式（例えば、先行車両が道路多項式の上部にオーバーレイされる）が視認不能になっている場合、処理ユニット１１０は、先行車両が車線を変更しそうであると判定してよい。先行車両の前方に別の車両が検出されるように、及び、２つの車両のスネイルトレイルが平行でないような位置に先行車両がいる場合、処理ユニット１１０は、（より近い）先行車両が車線を変更しそうであると判定してよい。
【０１８６】
段階５８４において、処理ユニット１１０は、段階５８２で実行された解析に基づいて、先行車両２００が車線を変更しているか否かを判定してよい。例えば、処理ユニット１１０は、段階５８２で実行された個々の解析の重み付けされた平均に基づいた判定を行ってよい。そのようなスキームの下、例えば、特定のタイプの解析に基づいて、先行車両が車線を変更しそうであるとの処理ユニット１１０による判定は、「１」の値が割り当てられてよい（「０」は、先行車両が車線を変更しそうにないとの判定を表す）。段階５８２で実行された異なる解析は、異なる重みが割り当てられてよく、開示される実施形態では、解析及び重みの特定の組み合わせに限定されることはない。
【０１８７】
図６は、開示される実施形態と矛盾しない、ステレオ画像解析に基づいて１又は複数のナビゲーション応答を行うための例示的なプロセス６００を示すフローチャートである。段階６１０において、処理ユニット１１０は、データインタフェース１２８を介して第１及び第２の複数の画像を受信してよい。例えば、画像取得ユニット１２０に含まれるカメラ（例えば、視野２０２及び２０４を有する画像取込デバイス１２２及び１２４）は、車両２００の前方の領域の第１及び第２の複数の画像を取り込み、それらをデジタル接続（例えば、ＵＳＢ、無線、Ｂｌｕｅｔｏｏｔｈ（登録商標）など）を介して処理ユニット１１０に伝送してよい。いくつかの実施形態において、処理ユニット１１０は、２又はそれより多くのデータインタフェースを介して第１及び第２の複数の画像を受信してよい。開示される実施形態は、特定のデータインタフェース構成又はプロトコルに限定されることはない。
【０１８８】
段階６２０において、処理ユニット１１０は、ステレオ画像解析モジュール４０４を実行し、第１及び第２の複数の画像のステレオ画像解析を実行して、車両の前方の道路についての３Ｄマップを作成し、画像内の特徴、例えば、車線標示、車両、歩行者、道路標識、高速道路出口ランプ、交通信号灯及び道路障害物などを検出し得る。ステレオ画像解析は、上記の図５Ａ〜図５Ｄに関連して説明された段階と同様の態様で実行され得る。例えば、処理ユニット１１０は、ステレオ画像解析モジュール４０４を実行し、第１及び第２の複数の画像内の候補オブジェクト（例えば、車両、歩行者、路面標示、交通信号灯、道路障害物など）を検出し、様々な基準に基づいて候補オブジェクトのサブセットを取り除き、マルチフレーム解析を実行して、測定値を構築し、残りの候補オブジェクトに対する信頼水準を判定してよい。上記の段階を実行する際に、処理ユニット１１０は、１つの画像のセットのみからの情報よりはむしろ、第１及び第２の複数の画像の両方からの情報を考慮してよい。例えば、処理ユニット１１０は、第１及び第２の複数の画像の両方に現れる候補オブジェクトに対する画素レベルのデータ（又は、取り込まれた画像の２つのストリームからの他のデータサブセット）における差を解析してよい。別の例として、処理ユニット１１０は、オブジェクトが、複数の画像のうちの１つに現れているが、他の画像には現れていないことを観測することにより、又は、２つの画像ストリームに現れるオブジェクトに対して存在し得る他の差に関連して、（例えば、車両２００に対する）候補オブジェクトの位置及び／又は速度を推定してよい。例えば、車両２００に対する位置、速度及び／又は加速度は、画像ストリームの一方又は両方に現れるオブジェクトに関連付けられる特徴の軌跡、位置、動作特性などに基づいて判定され得る。
【０１８９】
段階６３０において、処理ユニット１１０は、ナビゲーション応答モジュール４０８を実行して、段階６２０において実行された解析、及び、図４に関連して上述したような技術に基づいて、車両２００における１又は複数のナビゲーション応答を行ってよい。ナビゲーション応答は、例えば、方向転換、車線変更、加速度の変更、速度の変更及びブレーキなどを含み得る。いくつかの実施形態において、処理ユニット１１０は、速度及び加速度モジュール４０６の実行から導出されたデータを用いて、１又は複数のナビゲーション応答を行ってよい。さらに、複数のナビゲーション応答は、同時に、順番に、又は、それらの任意の組み合わせで生じ得る。
【０１９０】
図７は、開示される実施形態と矛盾しない、画像の３つのセットの解析に基づいて、１又は複数のナビゲーション応答を行うための例示的なプロセス７００を示すフローチャートである。段階７１０において、処理ユニット１１０は、データインタフェース１２８を介して第１、第２及び第３の複数の画像を受信してよい。例えば、画像取得ユニット１２０に含まれるカメラ（例えば、視野２０２、２０４及び２０６を有する画像取込デバイス１２２、１２４及び１２６）は、車両２００の前方、及び／又は、側方の領域の第１、第２及び第３の複数の画像を取り込み、それらをデジタル接続（例えば、ＵＳＢ、無線、Ｂｌｕｅｔｏｏｔｈ（登録商標）など）を介して処理ユニット１１０に伝送してよい。いくつかの実施形態において、処理ユニット１１０は、３又はそれより多くのデータインタフェースを介して、第１、第２及び第３の複数の画像を受信してよい。例えば、画像取込デバイス１２２、１２４、１２６のそれぞれは、処理ユニット１１０にデータを通信するために関連するデータインタフェースを有してよい。開示される実施形態は、特定のデータインタフェース構成又はプロトコルに限定されることはない。
【０１９１】
段階７２０において、処理ユニット１１０は、第１、第２及び第３の複数の画像を解析して、画像内の特徴、例えば、車線標示、車両、歩行者、道路標識、高速道路出口ランプ、交通信号灯及び道路障害物などを検出してよい。解析は、上記の図５Ａ〜図５Ｄ及び図６に関連して説明された段階と同様の態様で実行されてよい。例えば、処理ユニット１１０は、第１、第２及び第３の複数の画像のそれぞれに対して、（例えば、単眼画像解析モジュール４０２の実行を介して、上記の図５Ａ〜図５Ｄに関連して説明された段階に基づいて）単眼画像解析を実行してよい。代替的に、処理ユニット１１０は、第１及び第２の複数の画像、第２及び第３の複数の画像、及び／又は、第１及び第３の複数の画像に対して、（例えば、ステレオ画像解析モジュール４０４の実行を介して、上記の図６に関連して説明された段階に基づいて）ステレオ画像解析を実行してよい。第１、第２及び／又は第３の複数の画像の解析に対応する処理された情報が組み合わせられてよい。いくつかの実施形態において、処理ユニット１１０は、単眼及びステレオ画像解析の組み合わせを実行してよい。例えば、処理ユニット１１０は、第１の複数の画像に対して、（例えば、単眼画像解析モジュール４０２の実行を介して）単眼画像解析を実行し、第２及び第３の複数の画像に対して、（例えば、ステレオ画像解析モジュール４０４の実行を介して）ステレオ画像解析を実行してよい。画像取込デバイス１２２、１２４及び１２６の構成（それらのそれぞれの位置及び視野２０２、２０４及び２０６を含む）は、第１、第２及び第３の複数の画像に対して行われる解析のタイプに影響を与え得る。開示される実施形態は、画像取込デバイス１２２、１２４及び１２６の特定の構成、又は、第１、第２及び第３の複数の画像に対して行われる解析のタイプに限定されることはない。
【０１９２】
いくつかの実施形態において、処理ユニット１１０は、段階７１０及び７２０で取得及び解析された画像に基づいて、システム１００に対するテストを実行してよい。そのようなテストは、画像取込デバイス１２２、１２４及び１２６の特定の構成に対して、システム１００の全体的な性能のインジケータを提供してよい。例えば、処理ユニット１１０は、「偽のヒット」（例えば、システム１００が、車両又は歩行者の存在を間違って判定した場合）及び「見逃し」の割合を判定してよい。
【０１９３】
段階７３０において、処理ユニット１１０は、第１、第２及び第３の複数の画像のうちの２つから導出された情報に基づいて、車両２００における１又は複数のナビゲーション応答を行ってよい。第１、第２及び第３の複数の画像のうちの２つを選択することは、様々な要素、例えば、複数の画像のそれぞれにおいて検出されたオブジェクトの数、タイプ及びサイズなどに依存し得る。処理ユニット１１０は、画像品質及び解像度、画像内に反映される効果的な視野、取り込まれたフレームの数、及び、関心のある１又は複数の物体がフレームに実際に現れる程度（例えば、オブジェクトが現れるフレームのパーセンテージ、それぞれのそのようなフレームにおいて現れるオブジェクトの割合など）などに基づいた選択を行ってもよい。
【０１９４】
いくつかの実施形態において、処理ユニット１１０は、他の画像源から導出された情報と矛盾しない１つの画像源から導出された情報の程度を判定することにより、第１、第２及び第３の複数の画像のうちの２つから導出された情報を選択してよい。例えば、処理ユニット１１０は、画像取込デバイス１２２、１２４及び１２６のそれぞれから導出された処理された情報（単眼解析によるものか、ステレオ解析によるものか、又は、これら２つの任意の組み合わせによるものか）を結合し、画像取込デバイス１２２、１２４及び１２６のそれぞれから取り込まれた画像にわたって合致する視覚インジケータ（例えば、車線標示、検出された車両及びその位置及び／又は経路、検出された交通信号灯など）を判定してよい。処理ユニット１１０は、取り込まれた画像にわたって一貫性のない情報（例えば、車線を変更している車両、車両２００に近すぎる車両を示す車線モデルなど）を除外してもよい。したがって、処理ユニット１１０は、一貫性のある情報及び一貫性のない情報の判定に基づいて、第１、第２及び第３の複数の画像のうちの２つから導出された情報を選択してよい。
【０１９５】
ナビゲーション応答は、例えば、方向転換、車線変更及び加速度の変更などを含み得る。処理ユニット１１０は、段階７２０において実行された解析、及び、図４に関連して上述したような技術に基づいて、１又は複数のナビゲーション応答を行ってよい。処理ユニット１１０は、速度及び加速度モジュール４０６の実行から導出されるデータを用いて、１又は複数のナビゲーション応答を行ってもよい。いくつかの実施形態において、処理ユニット１１０は、第１、第２及び第３の複数の画像のいずれか内で検出されたオブジェクトと車両２００との間の相対位置、相対速度及び／又は相対加速度に基づいて、１又は複数のナビゲーション応答を行ってよい。複数のナビゲーション応答が、同時に、順番に、又は、それらの任意の組み合わせで生じ得る。
【０１９６】
自律走行車両のナビゲーションに対するスパース道路モデル
【０１９７】
いくつかの実施形態において、開示されるシステム及び方法は、自律走行車両のナビゲーションに対するスパースマップを用いてよい。特に、スパースマップは、道路セグメントに沿う自律走行車両のナビゲーションのためであってよい。例えば、スパースマップは、多量のデータを格納及び／又は更新することなく、自律走行車両をナビゲートするために十分な情報を提供してよい。以下でさらに詳細に議論されるように、自律走行車両は、スパースマップを用いて、１又は複数の格納された軌跡に基づいて、１又は複数の道路をナビゲートしてよい。
【０１９８】
自律走行車両のナビゲーションに関するスパースマップ
【０１９９】
いくつかの実施形態において、開示されるシステム及び方法は、自律走行車両のナビゲーションのためのスパースマップを生成してよい。例えば、スパースマップは、過剰なデータストレージ又はデータ転送レートを必要とすることなく、ナビゲーションに十分な情報を提供し得る。以下でさらに詳細に議論されるように、車両（自律走行車両であってよい）は、スパースマップを用いて、１又は複数の道路をナビゲートしてよい。例えば、いくつかの実施形態において、スパースマップは、車両ナビゲーションのために十分であり得るが、小さいデータフットプリントも示す道路及び当該道路に沿う潜在的なランドマークに関連するデータを含み得る。例えば、以下で詳細に説明されるスパースデータマップは、詳細なマップ情報、例えば、道路に沿って収集された画像データを含むデジタルマッピングと比較して、ストレージ空間及びデータ転送帯域幅が大幅に少なくなり得る。
【０２００】
例えば、道路セグメントの詳細な表現を格納するよりはむしろ、スパースデータマップは、道路に沿う好ましい車両経路の３次元多項式表現を格納してよい。これらの経路は、ほとんどデータストレージ空間を必要とし得ない。さらに、説明したスパースデータマップにおいて、ランドマークは、ナビゲーションに役立てるために、スパースマップ道路モデルにおいて識別され、含められ得る。これらのランドマークは、車両ナビゲーションを有効にするのに適切な任意の間隔で配置されてよいが、場合によっては、そのようなランドマークは、高密度かつ短い間隔でモデルにおいて、識別され、含められる必要はない。むしろ、場合によっては、少なくとも５０メートル、少なくとも１００メートル、少なくとも５００メートル、少なくとも１キロメートル又は少なくとも２キロメートル分、間隔が空いているランドマークに基づいて、ナビゲーションが可能であり得る。他のセクションでより詳細に議論されるように、車両が車道に沿って走行する際に、様々なセンサ及びデバイス、例えば、画像取込デバイス、グローバルポジショニングシステムセンサ、モーションセンサなどを備える車両により収集又は測定されたデータに基づいて、スパースマップが生成され得る。場合によっては、特定の車道に沿う１又は複数の車両の複数の運転中に収集されたデータに基づいて、スパースマップが生成され得る。１又は複数の車両の複数の運転を用いてスパースマップを生成することは、スパースマップを「クラウドソーシングする」と称され得る。
【０２０１】
開示される実施形態と矛盾することなく、自律走行車両システムは、ナビゲーションのためにスパースマップを用いてよい。例えば、開示されるシステム及び方法は、自律走行車両に対する道路ナビゲーションモデルを生成するためにスパースマップを供給してよく、スパースマップ及び／又は生成された道路ナビゲーションモデルを用いて、道路セグメントに沿って自律走行車両をナビゲートしてよい。本開示と矛盾しないスパースマップは、自律走行車両が、関連する道路セグメントに沿って移動するときに通過し得る予め定められた軌跡を表し得る１又は複数の３次元輪郭を含み得る。
【０２０２】
本開示と矛盾しないスパースマップは、１又は複数の道路特徴を表すデータを含んでもよい。そのような道路特徴は、認識されたランドマーク、道路シグネチャプロファイル及び車両をナビゲートするのに有用な任意の他の道路関連の特徴を含み得る。本開示と矛盾しないスパースマップは、スパースマップに含まれる相対的に少量のデータに基づいて、車両の自律ナビゲーションを可能にし得る。例えば、道路の詳細な表現、例えば、道路縁部、道路曲率、道路セグメントに関連付けられた画像、又は、道路セグメントに関連付けられた他の物理的な特徴を詳しく説明するデータを含むよりはむしろ、スパースマップについての開示される実施形態は、相対的に小さいストレージ空間（及び、スパースマップの一部が車両に転送される場合は、相対的に小さい帯域幅）を必要としてよいが、さらに自律走行車両のナビゲーションのために十分に提供してよい。以下でさらに詳細に議論される開示されたスパースマップの小さいデータフットプリントは、少量のデータしか必要としない道路関連要素の表現を格納することによりいくつかの実施形態において実現され得るが、依然として、自律ナビゲーションを可能にする。
【０２０３】
例えば、道路の様々な態様の詳細な表現を格納するよりはむしろ、開示されたスパースマップは、車両が道路に沿って進み得る１又は複数の軌跡の多項式表現を格納してよい。したがって、開示されたスパースマップを用いて道路に沿ったナビゲーションを可能するために、道路の物理的な性質に関する詳細を格納する（又は、転送する必要がある）よりはむしろ、場合によっては、道路の物理的な態様を解釈する必要なく、むしろ、その走行経路を特定の道路セグメントに沿った軌跡（例えば、多項式スプライン）と揃えることで、車両が特定の道路セグメントに沿ってナビゲートされてよい。このようにして、車両は、車道画像、道路パラメータ、道路レイアウトなどの格納を含む手法よりもストレージ空間がかなり少なくなり得る格納された軌跡（例えば、多項式スプライン）に主に基づいてナビゲートされ得る。
【０２０４】
道路セグメントに沿う格納された軌跡の多項式表現に加えて、開示されたスパースマップは、道路特徴を表し得るスモールデータオブジェクトを含んでもよい。いくつかの実施形態において、スモールデータオブジェクトは、デジタル署名を含んでよく、デジタル署名は、道路セグメントに沿って走行する車両に搭載されたセンサ（例えば、カメラ又は、サスペンションセンサなどの他のセンサ）から取得されたデジタル画像（又は、デジタル信号）から導出される。デジタル署名は、センサにより取得された信号に関連する縮小したサイズを有し得る。いくつかの実施形態において、デジタル署名は、例えば、その後の運転中に、センサにより取得される信号から道路特徴を検出及び識別するように構成される分類機能と互換性を有するように作成され得る。いくつかの実施形態において、その後の時点で、同じ道路セグメントに沿って走行しているカメラが搭載された車両により取り込まれる道路特徴の画像（又は、格納された署名が画像に基づいていない、及び／又は、他のデータを含む場合、センサにより生成されたデジタル信号）に基づいて、道路特徴が、格納された署名と相関がある、又はこれとマッチングする能力を維持しつつ、デジタル署名は、デジタル署名ができるだけ少ないフットプリントを有するように作成されてよい。
【０２０５】
いくつかの実施形態において、データオブジェクトのサイズは、さらに、道路特徴の一意性に関連付けられてよい。例えば、車両に搭載されたカメラにより検出可能な道路特徴について、車両に搭載されたカメラシステムが、特定のタイプの道路特徴、例えば、道路標識に関連付けられるように、その道路特徴に対応する画像データを区別することが可能な分類器に結合され、そのような道路標識は、その領域において局所的に一意（例えば、近くに同一の道路標識又は同じタイプの道路標識が存在しない）であり、道路特徴及びその位置のタイプを示すデータを格納するのに十分であり得る。
【０２０６】
以下でさらに詳細に議論されるように、道路特徴（例えば、道路セグメントに沿うランドマーク）は、相対的数バイトで道路特徴を表現し得るスモールデータオブジェクトとして格納されてよいが、同時に、そのようなナビゲーションのための特徴を認識及び用いるのに十分な情報を提供する。一例では、道路標識は、車両のナビゲーションの基礎となり得る認識されたランドマークとして識別され得る。道路標識の表現は、例えば、ランドマークのタイプ（例えば、停止標識）を示す数バイトのデータ、及び、ランドマークの位置（例えば、座標）を示す数バイトのデータを含むスパースマップに格納されてよい。（例えば、ランドマークに基づいて検索、認識及びナビゲートするのに十分な表現を用いる）ランドマークのそのような軽いデータ表現に基づいたナビゲートは、スパースマップに関連付けられるデータオーバーヘッドを大幅に増加させることなく、スパースマップに関連付けられる所望のレベルのナビゲーション機能性を提供してよい。ランドマーク（及び他の道路特徴）のこの無駄のない表現は、特定の道路特徴を検出、識別及び／又は分類するように構成されるそのような車両に含まれ搭載されたセンサ及びプロセッサを利用し得る。
【０２０７】
例えば、所与の領域において、標識、又はもっと言えば、特定のタイプの標識が局所的に一意である場合（例えば、他の標識が存在しない、又は、同じタイプの他の標識が存在しない場合）、スパースマップは、ランドマークのタイプ（標識、又は特定のタイプの標識）を示すデータを用いてよく、ナビゲーション（例えば、自律ナビゲーション）中に、自律走行車両に搭載されたカメラが、標識を含む領域の（又は特定のタイプの標識）の画像を取り込んだ場合、プロセッサは、画像を処理し、（画像内に実際に存在する場合）標識を検出し、標識として（又は特定のタイプの標識として）画像を分類し、当該画像の位置をスパースマップに格納されている標識の位置と相関させてよい。
【０２０８】
スパースマップの生成
【０２０９】
いくつかの実施形態において、スパースマップは、道路セグメントに沿って広がる路面特徴、及び、道路セグメントに関連付けられる複数のランドマークとのうちの少なくとも１つのライン表現を含み得る。特定態様において、スパースマップは、「クラウドソーシング」を介して、例えば、１又は複数の車両が道路セグメントを通過するときに取得された複数の画像の画像解析を通じて、生成されてよい。
【０２１０】
図８は、１又は複数の車両、例えば、車両２００（自律走行車両であってよい）が、自律走行車両のナビゲーションを提供するためにアクセスし得るスパースマップ８００を示す。スパースマップ８００は、メモリ、例えば、メモリ１４０又は１５０に格納され得る。そのようなメモリデバイスは、任意のタイプの非一時的ストレージデバイス又はコンピュータ可読媒体を含み得る。例えば、いくつかの実施形態において、メモリ１４０又は１５０は、ハードドライブ、コンパクトディスク、フラッシュメモリ、磁気ベースのメモリデバイス、光学ベースのメモリデバイスなどを含み得る。いくつかの実施形態において、スパースマップ８００は、メモリ１４０又は１５０又は他のタイプのストレージデバイスに格納され得るデータベース（例えば、マップデータベース１６０）に格納されてよい。
【０２１１】
いくつかの実施形態において、スパースマップ８００は、車両２００に搭載されて提供されるストレージデバイス又は非一時的なコンピュータ可読媒体（例えば、車両２００に搭載されたナビゲーションシステムに含まれるストレージデバイス）に格納され得る。車両２００に提供されるプロセッサ（例えば、処理ユニット１１０）は、車両が道路セグメントを通過するときに、自律走行車両２００を案内するためのナビゲーション命令を生成するために、車両２００に搭載されて提供されるストレージデバイス又はコンピュータ可読媒体に格納されるスパースマップ８００にアクセスしてよい。
【０２１２】
しかしながら、スパースマップ８００は、車両に対してローカルに格納される必要はない。いくつかの実施形態において、スパースマップ８００は、車両２００又は車両２００に関連付けられるデバイスと通信するリモートサーバに提供されるストレージデバイス又はコンピュータ可読媒体に格納され得る。車両２００に提供されるプロセッサ（例えば、処理ユニット１１０）は、リモートサーバからスパースマップ８００に含まれるデータを受信してよく、車両２００の自律運転を案内するためのデータを実行してよい。そのような実施形態において、リモートサーバは、スパースマップ８００のすべて又はその一部だけを格納してよい。したがって、車両２００及び／又は１又は複数の追加の車両に搭載されて提供されるストレージデバイス又はコンピュータ可読媒体は、スパースマップ８００のその他の部分を格納してよい。
【０２１３】
さらに、そのような実施形態において、スパースマップ８００は、様々な道路セグメント（例えば、車両の数十、数百、数千又は数百万など）を通過する複数の車両にアクセス可能となり得る。スパースマップ８００が複数のサブマップを含んでよいことも留意されたい。例えば、いくつかの実施形態において、スパースマップ８００は、車両をナビゲートする際に用いられ得る数百、数千、数百又はそれより多くのサブマップを含んでよい。そのようなサブマップは、ローカルマップと称されてよく、車道に沿って走行する車両は、車両が走行している位置に関連する任意の数のローカルマップにアクセスしてよい。スパースマップ８００のローカルマップ部分は、スパースマップ８００のデータベースに対するインデックスとして、全球測位衛星システム（ＧＮＳＳ）キーを用いて格納してよい。したがって、本システムにおいて、ホスト車両をナビゲートするためのステアリング角度の計算が、ホスト車両のＧＮＳＳ位置、道路特徴又はランドマークに頼ることなく実行され得る一方、そのようなＧＮＳＳ情報は、関連するローカルマップの検索用に用いられてよい。
【０２１４】
一般に、スパースマップ８００は、車道に沿って１又は複数の車両が走行するときに、それらから収集されたデータに基づいて生成されてよい。例えば、１又は複数の車両に乗せられたセンサ（例えば、カメラ、速度計、ＧＰＳ、加速度計など）を用いて、車道に沿って１又は複数の車両が走行する軌跡が記録されてよく、車道に沿って後続の移動を行う車両に対する好ましい軌跡の多項式表現は、１又は複数の車両により走行された収集された軌跡に基づいて判定され得る。同様に、１又は複数の車両により収集されたデータは、特定の車道に沿う可能性のあるランドマークを識別するのに役立ち得る。通過する車両から収集されたデータは、例えば、道路幅プロファイル、道路粗さプロファイル、動線間隔プロファイル、道路条件などの道路プロファイル情報を識別するために用いられてもよい。収集された情報を用いて、スパースマップ８００は、１又は複数の自律走行車両をナビゲートする際に用いるために、（例えば、ローカルストレージに対して、又は、オンザフライデータ伝送を介して）生成及び供給されてよい。しかしながら、いくつかの実施形態において、マップの生成は、マップの初期生成時に終了しない場合がある。以下でより詳細に議論されるように、それらの車両がスパースマップ８００に含まれる車道を通過し続けながら、スパースマップ８００は、車両から収集されたデータに基づいて継続的に又は定期的に更新されてよい。
【０２１５】
スパースマップ８００に記録されるデータは、グローバルポジショニングシステム（ＧＰＳ）データに基づく位置情報を含んでよい。例えば、ランドマークの位置、道路プロファイルの位置などを含む様々なマップ要素について、例えば、位置情報がスパースマップ８００に含まれてよい。スパースマップ８００に含まれるマップ要素の位置は、車道を通過する車両から収集されたＧＰＳデータを用いて取得され得る。例えば、特定されたランドマークを通過する車両は、車両に関連付けられたＧＰＳ位置情報、及び、（例えば、車両に搭載された１又は複数のカメラから収集されたデータの画像解析に基づく）車両に対する特定されたランドマークの位置の判定を用いて、特定されたランドマークの位置を判定してよい。特定されたランドマーク（又は、スパースマップ８００に含まれる他の任意の特徴）のそのような位置判定は、追加の車両が特定されたランドマークの位置を通ったときに、繰り返され得る。追加の位置判定の一部又はすべては、特定されたランドマークに対するスパースマップ８００に格納されている位置情報を精緻化するために用いられてよい。例えば、いくつかの実施形態において、スパースマップ８００に格納されている特定の特徴に対する複数の位置測定値は、一緒に平均化されてよい。しかしながら、任意の他の数学的な演算が、マップ要素に対して複数の判定された位置に基づいて、マップ要素の格納された位置を精緻化するために用いられてもよい。
【０２１６】
開示される実施形態のスパースマップは、相対的少ない量の格納されたデータを用いて、車両の自律ナビゲーションを可能にし得る。いくつかの実施形態において、スパースマップ８００は、道路１キロメートル当たり２ＭＢ未満、道路１キロメートル当たり１ＭＢ未満、道路１キロメートル当たり５００ｋＢ未満、又は、道路１キロメートル当たり１００ｋＢ未満のデータ密度（例えば、ターゲット軌跡、ランドマーク及び任意の他の格納された道路特徴を表すデータを含む）を有してよい。いくつかの実施形態において、スパースマップ８００のデータ密度は、道路１キロメートル当たり１０ｋＢ未満、もっと言えば、道路１キロメートル当たり２ｋＢ未満（例えば、１キロメートル当たり１．６ｋＢ）、又は、道路１キロメートル当たり１０ｋＢ以下、又は、道路１キロメートル当たり２０ｋＢ以下であってよい。いくつかの実施形態において、すべてではないとしても、米国の車道のほとんどが、合計４ＧＢ又はそれ未満のデータを有するスパースマップを用いて自律的にナビゲートされ得る。これらのデータ密度の値は、スパースマップ８００全体にわたる、スパースマップ８００内のローカルマップにわたる、及び／又は、スパースマップ８００内の特定の道路セグメントにわたる平均を表し得る。
【０２１７】
述べたように、スパースマップ８００は、道路セグメントに沿う自律運転又はナビゲーションを案内するための複数のターゲット軌跡８１０の表現を含んでよい。そのようなターゲット軌跡は、３次元スプラインとして格納され得る。例えば、スパースマップ８００に格納されたターゲット軌跡は、特定の道路セグメントに沿う車両の以前の通過時における２又はそれより多くの再構築された軌跡に基づいて判定されてよい。道路セグメントは、単一のターゲット軌跡又は複数のターゲット軌跡に関連付けられてよい。例えば、２車線道路では、第１方向における道路に沿った走行の対象経路を表すために、第１のターゲット軌跡が格納されてよく、別の方向（例えば、第１方向とは反対）における道路に沿った走行の対象経路を表すために、第２のターゲット軌跡が格納されてよい。特定の道路セグメントに関して、追加のターゲット軌跡が格納され得る。例えば、複数車線の道路では、複数車線の道路に関連付けられる１又は複数の車線にいる車両に対する走行の対象経路を表す１又は複数のターゲット軌跡が格納されてよい。いくつかの実施形態において、複数車線の道路の各車線は、独自のターゲット軌跡に関連付けられてよい。他の実施形態において、複数車線の道路上に存在する車線よりも少ないターゲット軌跡が格納されてよい。そのような場合、複数車線の道路をナビゲートする車両は、格納されたターゲット軌跡のいずれかを用いて、ターゲット軌跡が格納される車線からの車線オフセットの量を考慮して、そのナビゲーションを案内してよい（例えば、３車線高速道路のうち最も左側の車線において、車両が走行しており、ターゲット軌跡が、高速道路の中央車線に対してしか格納されていない場合、車両は、ナビゲーション命令を生成するときに、中央車線と最も左側の車線との間の車線オフセットの量を考慮することにより、中央車線のターゲット軌跡を用いてナビゲートしてよい）。
【０２１８】
いくつかの実施形態において、ターゲット軌跡は、車両が走行するときに、車両が取るべき理想的な経路を表し得る。ターゲット軌跡は、例えば、走行車線のほぼ中央に配置されてよい。他の場合、ターゲット軌跡は、道路セグメントに関して他の箇所に配置されてよい。例えば、ターゲット軌跡は、道路の中央、道路の縁部又は車線の縁部などとほぼ一致し得る。そのような場合、ターゲット軌跡に基づくナビゲーションは、ターゲット軌跡の位置に対して維持されるべき判定された量のオフセットを含んでよい。さらに、いくつかの実施形態において、ターゲット軌跡の位置に対して維持されるべき判定された量のオフセットは、車両のタイプに基づいて異なり得る（例えば、ターゲット軌跡の少なくとも一部に沿って、２つの車軸を含む乗用車は、２つより多くの車軸を含むトラックとは異なるオフセットを有し得る）。
【０２１９】
スパースマップ８００は、特定の道路セグメント、ローカルマップなどに関連付けられる複数の予め定められたランドマーク８２０に関連するデータを含んでもよい。以下でより詳細に議論されるように、これらのランドマークは、自律走行車両のナビゲーションの際に用いられ得る。例えば、いくつかの実施形態において、ランドマークは、格納されたターゲット軌跡に対する車両の現在位置を判定するために用いられ得る。この位置情報を用いて、自律走行車両は、判定された位置におけるターゲット軌跡の方向に一致するように、進行方向を調節でき得る。
【０２２０】
複数のランドマーク８２０は、任意の適切な間隔でスパースマップ８００に識別及び格納されてよい。いくつかの実施形態において、ランドマークは、相対的に高い密度（例えば、数メートルごと又はそれ以上）で格納されてよい。しかしながら、いくつかの実施形態において、かなり大きめのランドマークスペーシング値が使用されてよい。例えば、スパースマップ８００において、識別（又は認識）されるランドマークは、１０メートル、２０メートル、５０メートル、１００メートル、１キロメートル又は２キロメートル分、間隔が空いていてよい。場合によっては、特定されたランドマークは、２キロメートルよりもさらに離れた距離で配置されてよい。
【０２２１】
ランドマーク間、したがって、ターゲット軌跡に対する車両位置の判定の間、車両がセンサを用いて、そのエゴモーションを判定し、ターゲット軌跡に対するその位置を推定するデッドレコニングに基づいて、車両はナビゲートしてよい。デッドレコニングによるナビゲーション中に誤差が蓄積し得るので、ターゲット軌跡に対する経時的な位置判定は、次第に正確ではなくなる場合がある。車両は、スパースマップ８００に存在するランドマーク（それらの既知の位置）を用いて、位置判定においてデッドレコニングによって誘導される誤差を取り除き得る。このようにして、スパースマップ８００に含まれる特定されたランドマークは、ターゲット軌跡に対する車両の正確な位置が判定され得るナビゲーション用アンカーとしての役割を果たし得る。適切な場所の位置において、特定の量の誤差が許容可能であり得るので、特定されたランドマークは、自律走行車両に常に利用可能である必要はない。むしろ、適切なナビゲーションは、依然として、上記で述べたように、１０メートル、２０メートル、５０メートル、１００メートル、５００メートル、１キロメートル、２キロメートル又はそれより長いランドマークスペーシングに基づくことが可能であり得る。いくつかの実施形態において、道路１ｋｍごとに１つの特定されたランドマークの密度は、１ｍ以内の長手方向の位置判定精度を維持するのに十分であり得る。したがって、道路セグメントに沿って現れるすべての可能性のあるランドマークがスパースマップ８００に格納される必要があるわけではない。
【０２２２】
さらに、いくつかの実施形態において、車線標示は、ランドマークスペーシング中の車両の位置を特定するために用いられ得る。ランドマークスペーシング中の車線標示を用いることにより、デッドレコニングによるナビゲーション中の蓄積が最小化され得る。
【０２２３】
ターゲット軌跡及び特定されたランドマークに加えて、スパースマップ８００は、様々な他の道路特徴に関連する情報を含んでよい。例えば、図９Ａは、スパースマップ８００に格納され得る特定の道路セグメントに沿う曲線の表現を示す。いくつかの実施形態において、道路の単一の車線は、道路の左側及び右側についての３次元多項式記述によりモデル化されてよい。単一の車線の左側及び右側を表すそのような多項式が図９Ａに示される。道路がいくつの車線を有し得るかに関わらず、図９Ａに示されるのと同様のやり方で多項式を用いて、道路が表されてよい。例えば、複数車線の道路の左側及び右側は、図９Ａに示されるものと同様の多項式により表されてよく、複数車線の道路に含まれる中間の車線標示（例えば、車線の境界を表す破線マーキング、異なる方向に走行する車線間の境界を表す黄色の実線など）は、図９Ａに示されるものなどの多項式を用いて表されてもよい。
【０２２４】
図９Ａに示されるように、車線９００は、多項式（例えば、１次、２次、３次又は任意の適切な次数の多項式）を用いて表されてよい。例として、車線９００は２次元の車線として示されており、多項式は２次元多項式として示される。図９Ａに示されるように、車線９００は、左側９１０及び右側９２０を含む。いくつかの実施形態において、１より大きい多項式は、道路又は車線の境界の各側の位置を表すために用いられてよい。例えば、左側９１０及び右側９２０のそれぞれは、任意の適切な長さの複数の多項式により表され得る。場合によっては、多項式は、約１００ｍの長さを有し得るが、１００ｍより長い又は短い他の長さが用いられてもよい。さらに、ホスト車両が車道に沿って走行するときに、その後に遭遇する多項式に基づいて、ナビゲートする際にシームレスな移行を促すために、多項式は、互いに重なり合うことができる。例えば、左側９１０及び右側９２０のそれぞれは、長さ約１００メートルのセグメント（予め定められた第１範囲の例）に分離され、約５０メートル分、互いに重なり合う複数の３次多項式により表されてよい。左側９１０及び右側９２０を表す多項式は、同じ次数を有していてもいなくてもよい。例えば、いくつかの実施形態において、いくつかの多項式は、２次多項式であってよく、いくつかは、３次多項式であってよい、及び、いくつかは、４次多項式であってよい。
【０２２５】
図９Ａに示される例において、車線９００の左側９１０は、３次多項式の２つのグループにより表される。第１のグループは、多項式セグメント９１１、９１２及び９１３を含む。第２のグループは、多項式セグメント９１４、９１５及び９１６を含む。２つのグループ、互いに実質的に平行である一方、道路のそれらのそれぞれの側の位置に従う。多項式セグメント９１１、９１２、９１３、９１４、９１５及び９１６は、約１００メートルの長さを有し、連続して隣接するセグメントと約５０メートル分重なり合う。しかしながら、前述のように、異なる長さ及び異なる重なり合う量の多項式が用いられてもよい。例えば、多項式は、５００ｍ、１ｋｍ又はそれより長い長さを有してよく、重なり合う量は、０から５０ｍ、５０ｍから１００ｍ、又は１００ｍより大きく変化してよい。さらに、図９Ａが、２Ｄ空間（例えば、紙の表面上）に拡張した多項式を表したものとして示されるが、これらの多項式は、Ｘ−Ｙ湾曲に加えて道路セグメント内の高度変化を表すために、３次元（例えば、高さ成分を含む）に広がる曲線を表し得ることが理解されるべきである。図９Ａに示される例では、車線９００の右側９２０は、さらに、多項式セグメント９２１、９２２及び９２３を有する第１のグループと、及び多項式セグメント９２４、９２５及び９２６を有する第２のグループとにより表される。
【０２２６】
スパースマップ８００のターゲット軌跡に戻ると、図９Ｂは、特定の道路セグメントに沿って走行する車両に対するターゲット軌跡を表す３次元多項式を示す。ターゲット軌跡は、ホスト車両が特定の道路セグメントに沿って走行すべきＸ−Ｙ経路だけでなく、道路セグメントに沿って走行するときに、ホスト車両が経験する高度変化も表す。したがって、スパースマップ８００における各ターゲット軌跡は、図９Ｂに示される３次元多項式９５０のように、１又は複数の３次元多項式により表され得る。スパースマップ８００は、複数の軌跡（例えば、世界中の車道に沿う様々な道路セグメントに沿った車両の軌跡を表すために、数１００万又は数１０億又はそれ以上の軌跡）を含み得る。いくつかの実施形態において、各ターゲット軌跡は、３次元多項式セグメントをつなぐスプラインに対応し得る。
【０２２７】
スパースマップ８００に格納された多項式曲線のデータフットプリントに関して、いくつかの実施形態において、各３次多項式は、４つのパラメータにより表されてよく、それぞれは、４バイトのデータを必要とする。適切な表現は、１００ｍごとに約１９２バイトデータを必要とする３次多項式で取得され得る。これは、時速約１００ｋｍで走行するホスト車両に対するデータ使用／転送要件では、毎時約２００ｋＢに相当し得る。
【０２２８】
スパースマップ８００は、幾何学記述子及びメタデータの組み合わせを用いて車線ネットワークを説明し得る。上述したように、幾何学形状は、多項式又はスプラインにより説明され得る。メタデータは、車線の数、特別な特性（例えば、カープール車線）及び可能性ある他のスパースラベルを説明し得る。そのようなインジケータの総フットプリントは、ごくわずかであり得る。
【０２２９】
したがって、本開示される実施形態に係るスパースマップは、道路セグメントに沿って広がる路面特徴の少なくとも１つのライン表現、路面特徴に実質的に対応する道路セグメントに沿う経路を表す各ライン表現を含み得る。上述したように、いくつかの実施形態において、路面特徴の少なくとも１つのライン表現は、スプライン、多項式表現又は曲線を含んでよい。さらに、いくつかの実施形態において、路面特徴は、道路縁部又は車線標示のうちの少なくとも一方を含んでよい。さらに、「クラウドソーシング」に関して以下で議論されるように、路面特徴は、１又は複数の車両が道路セグメントを通過するときに取得された複数の画像の画像解析を通じて識別され得る。
【０２３０】
前述のように、スパースマップ８００は、道路セグメントに関連付けられる複数の予め定められたランドマークを含んでよい。ランドマークの実画像を格納し、例えば、取り込まれた画像及び格納された画像に基づく画像認識解析に依存するよりはむしろ、スパースマップ８００内の各ランドマークは、格納された実画像が必要とするよりも少ないデータを用いて表され、認識されてよい。ランドマークを表すデータは、道路に沿うランドマークを説明又は識別するのに十分な情報をさらに含んでよい。ランドマークの実画像よりはむしろランドマークの特性を説明するデータを格納することは、スパースマップ８００のサイズを減らし得る。
【０２３１】
図１０は、スパースマップ８００において表され得るランドマークのタイプの例を示す。ランドマークは、道路セグメントに沿う任意の視認可能で識別可能なオブジェクトを含んでよい。ランドマークは、それらが一定であり、それらの位置及び／又はコンテンツに関してあまり変化しないように選択されてよい。スパースマップ８００に含まれるランドマークは、車両が特定の道路セグメントを通過するときのターゲット軌跡に関する車両２００の位置を判定する際に有用であり得る。ランドマークの例は、交通標識、方向標識、一般的な標識（例えば、長方形の標識）、沿道構造物（例えば、街灯柱、反射板など）及び任意の他の適切なカテゴリを含んでよい。いくつかの実施形態において、道路上の車線標示がスパースマップ８００内のランドマークとして含まれてもよい。
【０２３２】
図１０に示されるランドマークの例は、交通標識、方向標識、沿道構造物及び一般的な標識を含む。交通標識は、例えば、速度制限標識（例えば、速度制限標識１０００）、イールド標識（ｙｉｅｌｄ  ｓｉｇｎ）（例えば、イールド標識１００５）、経路番号標識（例えば、経路番号標識１０１０）、交通信号灯標識（例えば、交通信号灯標識１０１５）、停止標識（例えば、停止標識１０２０）を含んでよい。方向標識は、異なる位置への１又は複数の方向を示す１又は複数の矢印を含む標識を含んでよい。例えば、方向標識は、車両を異なる道路又は場所へ案内するための矢印、及び、車両を道路から離れる方に外れる方に案内する矢印を有する出口の標識１０３０などを有する高速道路標識１０２５を含んでよい。したがって、複数のランドマークのうちの少なくとも１つは道路標識を含んでよい。
【０２３３】
一般的な標識は、交通とは無関係であり得る。例えば、一般的な標識は、広告用に用いられる掲示板、又は、２つの国、州、群、市又は町の間の境界に隣接するウェルカムボードを含んでよい。図１０は、一般的な標識１０４０（「Ｊｏｅ'ｓ  Ｒｅｓｔａｕｒａｎｔ」）を示す。一般的な標識１０４０は、長方形の形状を有し得るが、図１０に示されるように、一般的な標識１０４０は、他の形状、例えば、正方形、円形、三角形などを有してもよい。
【０２３４】
ランドマークは、沿道構造物（ｒｏａｄｓｉｄｅ  ｆｉｘｔｕｒｅｓ）を含んでもよい。沿道構造物は、標識ではないオブジェクトであってよく、交通又は方向に関連していなくてもよい。例えば、沿道構造物は、街灯柱（例えば、街灯柱１０３５）、電柱、交通信号灯の柱などを含んでよい。
【０２３５】
ランドマークは、自律走行車両のナビゲーションシステムにおける使用のために特別に設計され得るビーコンを含んでもよい。例えば、そのようなビーコンは、ホスト車両をナビゲートする際に役立つように、予め定められた間隔で配置されるスタンドアロン構造を含んでよい。そのようなビーコンは、道路セグメントに沿って走行する車両により識別又は認識され得る既存の道路標識に加えられる視覚／グラフィック情報（例えば、アイコン、エンブレム、バーコードなど）を含んでもよい。そのようなビーコンは、電子コンポーネントを含んでもよい。そのような実施形態において、電子ビーコン（例えば、ＲＦＩＤタグなど）は、非視覚情報をホスト車両に伝送するために用いられ得る。そのような情報は、例えば、ホスト車両がターゲット軌跡に沿ってその位置を判定する際に用いられ得るランドマークの識別情報及び／又はランドマークの位置情報を含んでよい。
【０２３６】
いくつかの実施形態において、スパースマップ８００に含まれるランドマークは、予め定められたサイズのデータオブジェクトにより表され得る。ランドマークを表すデータは、特定のランドマークを識別するための任意の適切なパラメータを含み得る。例えば、いくつかの実施形態において、スパースマップ８００に格納されるランドマークは、例えば、ランドマークの物理的サイズ（例えば、既知のサイズ／スケールに基づいてランドマークへの距離の推定をサポートする）、以前のランドマークへの距離、横方向のオフセット、高さ、タイプコード（例えば、ランドマークのタイプ−どのようなタイプの方向標識、交通標識など）、ＧＰＳ座標（例えば、グローバルな位置特定をサポートする）及び、任意の他の適切なパラメータなどのパラメータを含み得る。各パラメータは、データサイズに関連付けられ得る。例えば、ランドマークのサイズは、８バイトのデータを用いて格納されてよい。以前のランドマークへの距離、横方向のオフセット、及び高さは、１２バイトのデータを用いて規定されてよい。方向標識又は交通標識などのランドマークに関連付けられるタイプコードは、約２バイトのデータを必要とし得る。一般的な標識について、一般的な標識の識別を可能にする画像署名は、５０バイトのデータストレージを用いて格納され得る。ランドマークのＧＰＳ位置は、１６バイトのデータストレージに関連付けられ得る。各パラメータに対するこれらのデータサイズは例に過ぎず、他のデータサイズも用いられてよい。
【０２３７】
この方式で、スパースマップ８００にランドマークを表すことは、データベースにランドマークを効率的に表すための無駄のない解決策を提示し得る。いくつかの実施形態において、標識は、セマンティックな標識及び非セマンティックな標識と称され得る。セマンティックな標識は、標準的な意味がある任意の分類の標識（例えば、速度制限標識、警告標識、方向標識など）を含み得る。非セマンティックな標識は、標準的な意味に関連付けられていない任意の標識（例えば、事業所を識別する一般的な広告標識など）を含み得る。例えば、各セマンティックな標識は、３８バイト（例えば、サイズに対して８バイト、以前のランドマークへの距離、横方向のオフセット及び高さに対して１２バイト、タイプコードに対して２バイト、及び、ＧＰＳ座標に対して１６バイト）のデータで表され得る。スパースマップ８００は、タグシステムを用いてランドマークのタイプを表してよい。場合によっては、各交通標識又は方向標識は、独自のタグに関連付けられてよく、ランドマークの識別情報の一部としてデータベースに格納され得る。例えば、データベースは、様々な交通標識を表すために約１０００の異なるタグを含んでよく、方向標識を表すために約１００００の異なるタグを含んでよい。もちろん、任意の適切な数のタグが用いられてよく、追加のタグが必要に応じて作成されてよい。いくつかの実施形態において、汎用の標識は、約１００バイトより小さい（例えば、サイズに対して８バイト、以前のランドマークへの距離、横方向のオフセット及び高さに対して１２バイト、画像署名に対して５０バイト、及び、ＧＰＳ座標に対して１６バイトを含む約８６バイト）を用いて表され得る。
【０２３８】
したがって、画像署名を必要としないセマンティックな道路標識について、スパースマップ８００に対するデータ密度影響は、ランドマークの密度が５０ｍ当たり約１つと比較的高い場合であっても、１キロメートル当たり約７６０バイト（例えば、１ｋｍ当たり２０個のランドマーク×１ランドマーク当たり３８バイト＝７６０バイト）であり得る。画像署名コンポーネントを含む汎用の標識を考慮しても、データ密度影響は、１ｋｍ当たり約１．７２ｋＢ（例えば、１ｋｍ当たり２０個のランドマーク×１ランドマーク当たり８６バイト＝１７２０バイト）である。セマンティックな道路標識について、これは、時速１００ｋｍで走行する車両に対する１時間当たりのデータ使用量が約７６ｋＢに相当する。汎用の標識について、これは、時速１００ｋｍで走行する車両に対して１時間当たり約１７０ｋＢに相当する。
【０２３９】
いくつかの実施形態において、概して長方形のオブジェクト、例えば、長方形の標識は、１００バイト以下のデータによりスパースマップ８００において表され得る。スパースマップ８００における概して長方形のオブジェクト（例えば、一般的な標識１０４０）の表現は、概して長方形のオブジェクトに関連付けられる簡略化した画像署名（例えば、簡略化した画像署名１０４５）を含み得る。この簡略化した画像署名は、例えば、例えば汎用の標識を認識されたランドマークとして識別するのに寄与するように用いられ得る。そのような簡略化した画像署名（例えば、オブジェクトを表す実画像データから導出された画像情報）は、オブジェクトの実画像を格納する必要性、又は、ランドマークを認識するために実画像に対して実行される画像解析と比較する必要性を回避し得る。
【０２４０】
図１０を参照すると、スパースマップ８００は、一般的な標識１０４０の実画像よりはむしろ、一般的な標識１０４０に関連付けられる簡略化した画像署名１０４５を含んでよい又は格納してよい。例えば、画像取込デバイス（例えば、画像取込デバイス１２２、１２４又は１２６）は、一般的な標識１０４０の画像を取り込み、プロセッサ（例えば、画像プロセッサ１９０、又は、ホスト車両に乗せられた、又は、ホスト車両に対して離れて配置された、画像を処理できる任意の他のプロセッサ）は、画像解析を実行して、一般的な標識１０４０に関連付けられた一意の署名又はパターンを含む簡略化した画像署名１０４５を抽出／作成してよい。１つの実施形態において、簡略化した画像署名１０４５は、形状、色、パターン、明度パターン、又は、一般的な標識１０４０を説明するための一般的な標識１０４０の画像から抽出され得る他の任意の特徴を含み得る。
【０２４１】
例えば、図１０において、簡略化した画像署名１０４５に示される円形、三角形及び星形は、異なる色の領域を表し得る。円、三角及び星により表されるパターンは、スパースマップ８００に、例えば、画像署名を含むように指定される５０バイト内に格納され得る。特に、円形、三角形及び星形は、そのような形状が画像署名の一部として格納されることを示すことを必ずしも意味するものではない。むしろ、これらの形状は、識別可能な色差、テクスチャ領域、グラフィック形状、又は、汎用の標識に関連付けられ得る特性の他のバリエーションを有する認識可能な領域を概念的に表すことを意味する。そのような簡略化した画像署名は、一般的な標識の形式でランドマークを識別するために用いられ得る。例えば、簡略化した画像署名は、例えば、自律走行車両に搭載されたカメラを用いて取り込まれた画像データと格納された簡略化した画像署名の比較に基づいて同じ−同じでない解析（ｓａｍｅ−ｎｏｔ−ｓａｍｅ  ａｎａｌｙｓｉｓ）を実行するために用いられ得る。
【０２４２】
したがって、複数のランドマークは、１又は複数の車両が道路セグメントを通過するときに取得された複数の画像の画像解析を通じて識別され得る。「クラウドソーシング」に関して以下で説明されるように、いくつかの実施形態において、複数のランドマークを識別するための画像解析は、ランドマークが現れていない画像に対する、ランドマークが現れている画像の割合が閾値を超えている場合、可能性のあるランドマークを承認することを含み得る。さらに、いくつかの実施形態において、複数のランドマークを識別するための画像解析は、ランドマークが現れている画像に対する、ランドマークが現れていない画像の割合が閾値を超えている場合、可能性のあるランドマークを拒否することを含み得る。
【０２４３】
ホスト車両が特定の道路セグメントでのナビゲートに用い得るターゲット軌跡に戻ると、図１１Ａは、スパースマップ８００を構築又は維持する処理の間に取り込まれた多項式表現の軌跡を示す。スパースマップ８００に含まれるターゲット軌跡の多項式表現は、同じ道路セグメントに沿った車両の以前の通過時における２又はそれより多くの再構築された軌跡に基づいて判定され得る。いくつかの実施形態において、スパースマップ８００に含まれるターゲット軌跡の多項式表現は、同じ道路セグメントに沿った車両の以前の通過時における２又はそれより多くの再構築された軌跡の集合であり得る。いくつかの実施形態において、スパースマップ８００に含まれるターゲット軌跡の多項式表現は、同じ道路セグメントに沿った車両の以前の通過時における２又はそれより多くの再構築された軌跡の平均であり得る。他の数学的な演算は、道路セグメントに沿って通過する車両から収集された再構築された軌跡に基づいて、道路経路に沿うターゲット軌跡を構築するためにも用いられ得る。
【０２４４】
図１１Ａに示されるように、異なる時間に多数の車両２００が道路セグメント１１００を走行し得る。各車両２００は、道路セグメントに沿って車両が走行した経路に関連するデータを収集してよい。特定の車両により走行される経路は、可能性のある情報源の中でも特にカメラデータ、加速度計情報、速度センサ情報、及び／又は、ＧＰＳ情報に基づいて判定され得る。そのようなデータは、道路セグメントに沿って走行する車両の軌跡を再構築するために用いられてよく、これらの再構築された軌跡に基づいて、ターゲット軌跡（又は、複数のターゲット軌跡）は、特定の道路セグメントに対して判定され得る。そのようなターゲット軌跡は、車両が道路セグメントに沿って走行するときの、（例えば、自律ナビゲーションシステムにより案内される）ホスト車両の好ましい経路を表してよい。
【０２４５】
図１１Ａに示される例において、第１の再構築された軌跡１１０１は、第１の時間期間（例えば、１日目）に道路セグメント１１００を通過する第１の車両から受信したデータに基づいて判定されてよく、第２の再構築された軌跡１１０２は、第２の時間期間（例えば、２日目）に道路セグメント１１００を通過する第２の車両から取得されてよく、第３の再構築された軌跡１１０３は、第３の時間期間（例えば、３日目）に道路セグメント１１００を通過する第３の車両から取得されてよい。各軌跡１１０１、１１０２及び１１０３は、３次元多項式などの多項式により表され得る。いくつかの実施形態において、再構築された軌跡のいずれかが、道路セグメント１１００を通過する車両上で、組み立てられ得ることに留意されたい。
【０２４６】
さらに又は代替的に、そのような再構築された軌跡は、道路セグメント１１００を通過する車両から受信した情報に基づいて、サーバ側で判定され得る。例えば、いくつかの実施形態において、車両２００は、道路セグメント１１００に沿うそれらの動き（例えば、数ある中でも特に、ステアリング角度、進行方向、時間、位置、速度、検知された道路の幾何学形状、及び／又は、検知されたランドマーク）に関連するデータを１又は複数のサーバに伝送してよい。サーバは、受信したデータに基づいて、車両２００に対する軌跡を再構築してよい。サーバは、第１、第２及び第３の軌跡１１０１、１１０２及び１１０３に基づいて、その後に同じ道路セグメント１１００に沿って走行する自律走行車両のナビゲーションを案内するためのターゲット軌跡を生成してもよい。ターゲット軌跡が、道路セグメントの単一の以前の通過に関連付けられ得る一方、いくつかの実施形態において、スパースマップ８００に含まれる各ターゲット軌跡は、同じ道路セグメントを通過する車両の２又はそれより多くの再構築された軌跡に基づいて判定され得る。図１１Ａにおいて、ターゲット軌跡は、１１１０により表される。いくつかの実施形態において、ターゲット軌跡１１１０は、第１、第２及び第３の軌跡１１０１、１１０２及び１１０３の平均に基づいて生成され得る。いくつかの実施形態において、スパースマップ８００に含まれるターゲット軌跡１１１０は、２又はそれより多くの再構築された軌跡の集合（例えば、重み付けされた組み合わせ）であり得る。
【０２４７】
図１１Ｂ及び図１１Ｃは、地理的な領域１１１１内に存在する道路セグメントに関連付けられるターゲット軌跡の概念をさらに示す。図１１Ｂに示されるように、地理的な領域１１１１内の第１の道路セグメント１１２０は、第１方向における車両走行に対して指定される２つの車線１１２２、及び、第１方向とは反対の第２方向における車両走行に対して指定される２つの追加の車線１１２４を含む複数車線道路を含み得る。車線１１２２及び車線１１２４は、２重の黄色い車線１１２３によって分離されていてよい。地理的な領域１１１１は、道路セグメント１１２０と交わる分岐した道路セグメント１１３０を含んでもよい。道路セグメント１１３０は、２車線道路を含んでよく、各車線は異なる走行方向に対して指定される。地理的な領域１１１１は、他の道路特徴、例えば、停止線１１３２、停止標識１１３４、速度制限標識１１３６及びハザードサイン１１３８を含んでもよい。
【０２４８】
図１１Ｃに示されるように、スパースマップ８００は、地理的な領域１１１１内の車両の自律ナビゲーションを支援するための道路モデルを含むローカルマップ１１４０を含み得る。例えば、ローカルマップ１１４０は、地理的な領域１１１１内の道路セグメント１１２０及び／又は１１３０に関連付けられる１又は複数の車線に対するターゲット軌跡を含み得る。例えば、ローカルマップ１１４０は、車線１１２２を通過するときに、自律走行車両がアクセス又は依存し得るターゲット軌跡１１４１及び／又は１１４２を含み得る。同様に、ローカルマップ１１４０は、車線１１２４を通過するときに、自律走行車両がアクセス又は依存し得るターゲット軌跡１１４３及び／又は１１４４を含み得る。さらに、ローカルマップ１１４０は、道路セグメント１１３０を通過するときに、自律走行車両がアクセス又は依存し得るターゲット軌跡１１４５及び／又は１１４６を含み得る。ターゲット軌跡１１４７は、車線１１２０（特に、車線１１２０の最も右側の車線に関連付けられているターゲット軌跡１１４１に関連する）から道路セグメント１１３０（特に、道路セグメント１１３０の第１の側に関連付けられているターゲット軌跡１１４５に関連する）へ移行するときに、自律走行車両が進むべき好ましい経路を表す。同様に、ターゲット軌跡１１４８は、道路セグメント１１３０（特に、ターゲット軌跡１１４６に関する）から道路セグメント１１２４の一部（特に、示されるように、車線１１２４の左側車線に関連付けられているターゲット軌跡１１４３に関する）へ移行するときに自律走行車両が進むべき好ましい経路を表す。
【０２４９】
スパースマップ８００は、地理的な領域１１１１に関連付けられる他の道路関連特徴の表現を含んでもよい。例えば、スパースマップ８００は、地理的な領域１１１１において識別される１又は複数のランドマークの表現を含んでもよい。そのようなランドマークは、停止線１１３２に関連付けられる第１のランドマーク１１５０、停止標識１１３４に関連付けられる第２のランドマーク１１５２、速度制限標識１１５４に関連付けられる第３のランドマーク、及び、ハザードサイン１１３８に関連付けられる第４のランドマーク１１５６を含んでよい。そのようなランドマークは、例えば、示されるターゲット軌跡いずれかに対するその現在位置を判定する際に、自律走行車両を支援するために用いられてよく、判定された位置におけるターゲット軌跡の方向と一致するように、車両がその進行方向を調節してよい。
【０２５０】
いくつかの実施形態において、スパースマップ８００は、道路シグネチャプロファイルを含んでもよい。そのような道路シグネチャプロファイルは、道路に関連付けられる少なくとも１つのパラメータにおいて、任意の識別可能／測定可能なバリエーションに関連付けられてよい。例えば、場合によっては、そのようなプロファイルは、路面情報におけるバリエーション、例えば、特定の道路セグメントの表面粗さにおけるバリエーション、特定の道路セグメントにわたる道路幅におけるバリエーション、特定の道路セグメントに沿って塗装された点線の間の距離におけるバリエーション、特定の道路セグメントに沿う道路曲率におけるバリエーションなどに関連付けられてよい。図１１Ｄは、道路シグネチャプロファイル１１６０の例を示す。プロファイル１１６０は、上記で挙げられたパラメータのいずれかを表し得る一方、他にも一例において、プロファイル１１６０は、例えば、車両が特定の道路セグメントを走行しているときに、サスペンションのずれの量を示す出力を提供する１又は複数のセンサを監視することにより取得されるような、路面の粗さの測定を表してよい。
【０２５１】
代替的に又は同時に、プロファイル１１６０は、特定の道路セグメントを走行する車両に搭載されたカメラを介して取得される画像データに基づいて判定される道路幅のバリエーションを表してよい。そのようなプロファイルは、例えば、特定のターゲット軌跡に対する自律走行車両の特定の位置を判定する際に有用であり得る。つまり、道路セグメントを通過するときに、自律走行車両は、道路セグメントに関連付けられる１又は複数のパラメータに関連付けられるプロファイルを測定してよい。測定されたプロファイルが、道路セグメントに沿う位置に対するパラメータバリエーションをプロットする予め定められたプロファイルと相互に関連があり得／一致し得る場合、道路セグメントに沿う現在位置、したがって、道路セグメントのターゲット軌跡に対する現在位置を判定するために、測定され予め定められたプロファイルが（例えば、測定され予め定められたプロファイルの対応する部分を重ね合わせることにより）用いられてよい。
【０２５２】
いくつかの実施形態において、スパースマップ８００は、自律走行車両のユーザ、環境条件、及び／又は、運転に関連する他のパラメータに関連付けられる異なる特性に基づいた異なる軌道を含み得る。例えば、いくつかの実施形態において、異なる軌跡は、異なるユーザの好み及び／又はプロファイルに基づいて生成され得る。そのような異なる軌跡を含むスパースマップ８００は、異なるユーザの異なる自律走行車両に提供され得る。例えば、一部のユーザは、有料道路を回避することを優先させてよく、一方、その他のユーザは、経路上に有料道路が存在するかに関わらず、最も短い又は最も速い経路を取ることを優先させてよい。開示されるシステムは、そのような異なるユーザの好み又はプロファイルに基づいた異なる軌道を用いて、異なるスパースマップを生成してよい。別の例として、一部のユーザは、高速車線で走行することを優先させてよく、一方、他のユーザは、常に、中央車線に位置を保持することを優先させてよい。
【０２５３】
異なる軌跡は、異なる環境条件、例えば、日中及び夜間、雪、雨、霧などに基づいて、スパースマップ８００を生成され及びこれに含まれ得る。異なる環境条件下で運転する自律走行車両は、そのような異なる環境条件に基づいて生成されたスパースマップ８００が提供され得る。いくつかの実施形態において、自律走行車両に提供されるカメラは、環境条件を検出してよく、スパースマップを生成及び提供するサーバにそのような情報を返してよい。例えば、サーバは、検出された環境条件下の自律運転にとってより適切又は安全であり得る軌跡を含めるように、すでに生成されたスパースマップ８００を生成又は更新してよい。環境条件に基づくスパースマップ８００の更新は、自律走行車両が道路に沿って走行するときに、動的に実行され得る。
【０２５４】
運転に関連する他の異なるパラメータは、異なる自律走行車両に異なるスパースマップを生成及び提供するための基準として用いられてもよい。例えば、自律走行車両が高速で走行しているときに、方向転換が厳しくなり得る。自律走行車両が特定の軌跡に従う際に、同車両が特定の車線内を維持し得るように、道路よりはむしろ、特定の車線に関連付けられる軌跡がスパースマップ８００に含まれ得る。自律走行車両に搭載されたカメラにより取り込まれた画像が、車両が車線の外側にドリフトした（例えば、車線標示を越えた）ことを示す場合、特定の軌跡に従って指定された車線に車両を戻し得るように車両内で動作がトリガされてよい。
【０２５５】
スパースマップのクラウドソーシング
【０２５６】
いくつかの実施形態において、開示されるシステム及び方法は、自律走行車両のナビゲーションに対するスパースマップを生成してよい。例えば、開示されるシステム及び方法は、１又は複数の自律走行車両が道路のシステムに沿ってナビゲートするために用い得るスパースマップの生成のためにクラウドソーシングされたデータを用いてよい。本明細書で用いられるような「クラウドソーシング」は、異なる時間に道路セグメントを走行する様々な車両（例えば、自律走行車両）からデータが受信されることを意味し、そのようなデータは、道路モデルを生成及び／又は更新するために用いられる。次に、モデルは、自律走行車両のナビゲーションを支援するために、道路セグメントに沿って後に走行する車両又は他の車両に伝送されてよい。道路モデルは、自律走行車両が道路セグメントを通過するときに、それらが進むべき好ましい軌跡を表す複数のターゲット軌跡を含み得る。ターゲット軌跡は、車両からサーバに伝送され得る道路セグメントを通過する車両から収集される再構築される実際の軌跡と同じであり得る。いくつかの実施形態において、ターゲット軌跡は、道路セグメントを通過するときに、１又は複数の車両が以前に取った実際の軌跡とは異なり得る。ターゲット軌跡は、（例えば、平均化、又は、任意の他の適切な演算を通じて）実際の軌跡に基づいて生成され得る。
【０２５７】
車両がサーバにアップロードし得る車両の軌跡データは、車両に対して実際の再構築された軌跡に対応してよく、又は、車両の実際の再構築された軌跡に基づく又は関連し得るが実際の再構築された軌跡とは異なり得る推奨された軌跡に対応してよい。例えば、車両は、それらの実際の再構築された軌跡を修正し、修正された実際の軌跡をサーバに提出（例えば、推奨）してよい。道路モデルは、他の車両の自律ナビゲーションに対するターゲット軌跡として、推奨され、修正された軌跡を用いてよい。
【０２５８】
軌跡情報に加えて、スパースデータマップ８００を構築する際に使用され得る他の情報は、可能性のあるランドマーク候補に関連する情報を含み得る。例えば、情報のクラウドソーシングを通じて、開示されるシステム及び方法は、環境内の可能性のあるランドマークを識別し、ランドマークの位置を精緻化してよい。ランドマークは、ターゲット軌跡に沿って車両の位置を判定及び／又は調節するために、自律走行車両のナビゲーションシステムにより用いられてよい。
【０２５９】
車両が道路に沿って走行するときに、車両が生成し得る再構築された軌跡は、任意の適切な方法により取得されてよい。いくつかの実施形態において、再構築された軌跡は、例えば、エゴモーション推定（例えば、カメラ、したがって、車両の車体の３次元並進及び３次元回転）を用いて、車両に対する動きのセグメントを互いに結合することにより展開され得る。回転及び並進推定は、他のセンサ又はデバイス、例えば、慣性センサ及び速度センサからの情報と共に１又は複数の画像取込デバイスにより取り込まれた画像の解析に基づいて判定され得る。例えば、慣性センサは、加速度計、又は、車体の並進及び／又は回転の際の変化を測定するように構成される他の適したセンサを含み得る。車両は、車両の速度を測定する速度センサを含み得る。
【０２６０】
いくつかの実施形態において、カメラ（したがって、車体）のエゴモーションは、取り込まれた画像のオプティカルフロー解析に基づいて推定され得る。画像のシーケンスのオプティカルフロー解析は、画像のシーケンスから画素の動作を識別し、識別した動作に基づいて、車両の動きを判定する。エゴモーションは、車両が辿った道路セグメントに関連付けられた軌跡を再構築するために、経時的に道路セグメントに沿って統合され得る。
【０２６１】
異なる時間に、道路セグメントに沿った複数の車両の複数の運転により収集されるデータ（例えば、再構築された軌跡）は、スパースデータマップ８００に含まれる（例えば、ターゲット軌跡などを含む）道路モデルを構築するために用いられてよい。異なる時間に、道路セグメントに沿う複数の運転において複数の車両により収集されたデータは、モデルの精度を向上させるために平均化されてもよい。いくつかの実施形態において、道路の幾何学形状及び／又はランドマークに関するデータは、異なる時間に、共通の道路セグメントを通じて走行する複数の車両から受信され得る。異なる車両から受信されるそのようなデータは、道路モデルを生成し、及び／又は、道路モデルを更新するように組み合わせられ得る。
【０２６２】
道路セグメントに沿って再構築された軌跡の幾何学形状（及び、ターゲット軌跡も）は、３次元空間内の曲線により表されてよく、３次元多項式をつなぐスプラインであってよい。再構築された軌跡の曲線は、車両に設置されたカメラにより取り込まれたビデオストリーム又は複数の画像の解析から判定されてよい。いくつかの実施形態において、車両の現在位置の数メートル前方にある各フレーム又は画像において、位置が識別される。この位置は、予め定められた時間期間内に車両が走行することが予想される場所である。この操作は、フレームごとに繰り返されてよく、同時に、車両はカメラのエゴモーション（回転及び並進）を計算してよい。各フレーム又は画像において、カメラに取り付けられた基準フレーム内の車両により、所望の経路に対する短い範囲のモデルが生成される。短い範囲のモデルは、いくつかの座標フレーム内の道路の３次元モデルを取得するために一緒に結合されてよく、任意の又は予め定められた座標フレームであってよい。次に、道路の３次元モデルは、適切な次数で構成される１又は複数の多項式を含む、又は、接続し得る、スプラインによりフィッテイングされてよい。
【０２６３】
各フレームにおいて短い範囲の道路モデルを完成させるために、１又は複数の検出モジュールが用いられてよい。例えば、ボトムアップ車線検出モジュールが用いられてよい。ボトムアップ車線検出モジュールは、車線標示が道路に描かれている場合に有用であり得る。このモジュールは、画像内のエッジを見つけて、それらを一緒に組み立てて車線標示を形成し得る。第２モジュールは、ボトムアップ車線検出モジュールと一緒に用いられてよい。第２モジュールは、入力画像から正確な短い範囲の経路を予測するように訓練され得る、端末間のディープニューラルネットワークである。両方のモジュールにおいて、道路モデルは、画像の座標フレームにおいて検出され、カメラに仮想的に取り付けられ得る３次元空間に変換されてよい。
【０２６４】
再構築された軌跡のモデル化方法は、長期間にわたるエゴモーションの統合に起因する、ノイズ成分を含み得る誤差の蓄積を伴い得るが、生成されるモデルは、局所的なスケールにわたるナビゲーションに十分な精度を提供し得るので、そのような誤差は、重要ではない。さらに、衛星画像又は測地測量などの外部の情報源を用いることにより、統合された誤差を打ち消すことが可能である。例えば、開示されるシステム及び方法は、ＧＮＳＳ受信器を用いて、蓄積された誤差を打ち消してよい。しかしながら、ＧＮＳＳポジショニング信号は、常に取得可能で正確なわけではない場合がある。開示されるシステム及び方法は、ＧＮＳＳポジショニングの有効性及び精度に深く依存しないステアリングアプリケーションを可能にし得る。そのようなシステムにおいて、ＧＮＳＳ信号の使用が制限される場合がある。例えば、いくつかの実施形態において、開示されるシステムは、データベースのインデックス作成の目的だけのためにＧＮＳＳ信号を用いてよい。
【０２６５】
いくつかの実施形態において、自律走行車両のナビゲーションステアリングアプリケーションについて関連し得る距離範囲（例えば、局所的なスケール）は、約５０メートル、１００メートル、２００メートル、３００メートルなどであってよい。主に、先の軌跡を計画し、道路モデルにおける車両の位置特定という２つの目的のために幾何学な道路モデルが用いられるため、そのような距離が用いられてよい。いくつかの実施形態において、１．３秒先（又は、１．５秒、１．７秒、２秒などの任意の時間）に配置されたターゲット点に従って、制御アルゴリズムが車両を操縦する場合、タスクを計画することは、４０メートル前方の典型的な範囲（又は、２０メートル、３０メートル、５０メートルなどの任意の他の適切な前方距離）にわたるモデルを用いてよい。位置特定タスクは、別の欄でより詳細に説明される「テールアライメント」と呼ばれる方法に従って、自動車の６０メートル後方（又は、任意の他の適切な距離、例えば、５０メートル、１００メートル、１５０メートルなど）の典型的な範囲にわたる道路モデルを用いる。開示されるシステム及び方法は、計画された軌跡が、例えば、車線中央から３０ｃｍ以上逸れないように、特定の範囲、例えば、１００メートルにわたって十分な精度を有する幾何学モデルを生成し得る。
【０２６６】
上記で説明したように、３次元道路モデルは、短い範囲の部分を検出し、それらを互いに結合することで構築され得る。結合は、カメラにより取り込まれたビデオ及び／又は画像、車両の動きに反射する慣性センサからのデータ、及び、ホスト車両の速度信号を用いて、６段階のエゴモーションモデルを計算することにより有効にされ得る。蓄積された誤差は、約１００メートルなど、一部の局所的な距離範囲に対しては十分小さくなり得る。これはすべて、特定の道路セグメントにわたる単一の運転において完了し得る。
【０２６７】
いくつかの実施形態において、結果的なモデルを平均化し、その精度をさらに向上させるために複数の運転が用いられてよい。同じ自動車が複数回同じ経路を走行してよく、又は複数の自動車が、それらが収集したモデルのデータをセントラルサーバに送信してよい。いずれの場合でも、マッチング手順は、ターゲット軌跡を生成するために、重なり合うモデルを識別し、平均を可能にするように実行され得る。構築されるモデル（例えば、ターゲット軌跡を含む）は、束基準を満たすと、ステアリングのために用いられ得る。さらなるモデル改善のために、かつ、インフラの変化に適応するために、さらにその後の運転が用いられ得る。
【０２６８】
複数の自動車間の運転経験（例えば、検知データ）の共有は、それらがセントラルサーバに接続されている場合に実現可能になる。各車両クライアントは、その現在位置に関連し得る普遍的な道路モデルの部分的なコピーを格納し得る。車両とサーバとの間の双方向更新手順が車両及びサーバにより実行され得る。上述した小型フットプリントの概念は、開示されるシステム及び方法に、極めて狭い帯域幅を用いて、双方向更新を実行可能にする。
【０２６９】
可能性のあるランドマークに関連する情報が判定されてもよく、セントラルサーバに転送されてもよい。例えば、開示されるシステム及び方法は、ランドマークを含む１又は複数の画像に基づいて、可能性のあるランドマークについての１又は複数の物理的な特性を判定してよい。物理的な特性は、物理的サイズランドマークの（例えば、高さ、幅）、車両からランドマークまでの距離、以前のランドマークに対するランドマーク間の距離、ランドマークの横方向の位置（例えば、走行車線に関連するランドマークの位置）、ランドマークのＧＰＳ座標、ランドマークのタイプ、ランドマークにあるテキストの識別情報などを含み得る。例えば、車両は、カメラにより取り込まれた１又は複数の画像を解析して、速度制限標識などの可能性のあるランドマークを検出し得る。
【０２７０】
車両は、１又は複数の画像の解析に基づいて、車両からランドマークまでの距離を判定し得る。いくつかの実施形態において、当該距離は、スケーリング方法及び／又はオプティカルフロー方法などの適切な画像解析方法を用いたランドマークの画像の解析に基づいて判定され得る。いくつかの実施形態において、開示されるシステム及び方法は、可能性のあるランドマークのタイプ又は分類を判定するように構成され得る。スパースマップに格納されている特定の可能性のあるランドマークが予め定められたタイプ又は分類に対応すると、車両が判定した場合、車両がランドマークのタイプ又は分類のインジケーションをその位置と共にサーバに通信するだけで十分な場合がある。サーバは、そのようなインジケーションを格納し得る。その後に、他の車両は、ランドマークの画像を取り込んで、（例えば、分類器を用いて）当該画像を処理し、画像を処理した結果を、ランドマークのタイプに関してサーバに格納されているインジケーションと比較し得る。様々なタイプのランドマークがあり得、異なるタイプのランドマークは、アップロード対象の異なるタイプのデータに関連付けられて、サーバに格納されてよく、異なる処理を搭載する車両は、ランドマークを検出して、ランドマークに関する情報をサーバに通信してよく、システムを搭載した車両は、サーバからランドマークのデータを受信し、自律ナビゲーションの際にランドマークを識別するために、当該ランドマークのデータを用いてよい。
【０２７１】
いくつかの実施形態において、道路セグメントを走行する複数の自律走行車両は、サーバと通信し得る。車両（又はクライアント）は、（例えば、エゴモーション統合を通じて）その運転を表す曲線を任意の座標フレームに生成し得る。車両は、同じフレーム内にランドマークを検出し、それらを位置特定し得る。車両は、曲線及びランドマークをサーバにアップロードし得る。サーバは、複数の運転にわたって車両からのデータを収集し、統合された道路モデルを生成し得る。例えば、図１９に関して以下で議論されるように、サーバは、アップロードされた曲線及びランドマークを用いて、統合された道路モデルを有するスパースマップを生成し得る。
【０２７２】
サーバは、モデルをクライアント（例えば、車両）に供給してもよい。例えば、サーバは、スパースマップを１又は複数の車両に供給してよい。サーバは、車両から新たなデータを受信した場合、モデルを継続的に又は定期的に更新してよい。例えば、サーバは、新たなデータを処理して、当該データが、サーバ上の新たなデータの更新又は作成をトリガすべき情報を含むかを評価し得る。サーバは、自律走行車両のナビゲーションを提供するために、更新されたモデル又は更新を車両に供給し得る。
【０２７３】
サーバは、車両から受信した新たなデータが、モデルに対する更新をトリガすべきか、新たなデータの作成をトリガすべきかを判定するための１又は複数の基準を用い得る。例えば、新たなデータが、特定の位置にあった以前に認識されたランドマークがもはや存在していない、又は、別のランドマークによって置き換えられていることを示す場合、サーバは、新たなデータがモデルに対する更新をトリガすべきであると判定し得る。別の例として、道路セグメントが閉鎖されていることを新たなデータが示す場合、かつ、これが他の車両から受信したデータにより裏付けられている場合、サーバは、新たなデータがモデルに対する更新をトリガすべきであると判定し得る。
【０２７４】
サーバは、モデルに対する更新が関連付けられている道路セグメントを走行している１又は複数の車両に更新されたモデル（又は、モデルの更新された部分）を供給してよい。サーバは、モデルに対する更新が関連付けられている、道路セグメントを走行する予定の車両、又は、計画された移動が道路セグメントを含む車両に更新されたモデルを供給してもよい。例えば、更新が関連付けられている道路セグメントに到達する前の別の道路セグメントに沿って、自律走行車両が走行している間、サーバは、車両が道路セグメントに到達する前に、自律走行車両に更新又は更新されたモデルを供給し得る。
【０２７５】
いくつかの実施形態において、リモートサーバは、複数のクライアント（例えば、共通の道路セグメントに沿って走行する車両）から軌跡及びランドマークを収集し得る。サーバは、複数の車両から収集した軌跡に基づいて、ランドマークを用いて曲線を一致させ、平均道路モデルを作成し得る。サーバは、道路のグラフ及び各ノードにおける最確経路、又は、道路セグメントの接続を計算してもよい。例えば、リモートサーバは、軌跡を揃えて、収集した軌跡からクラウドソーシングされたスパースマップを生成し得る。
【０２７６】
サーバは、共通の道路セグメント、例えば、複数の車両により測定されるような一方のランドマークから他方のランドマーク（例えば、道路セグメントに沿った、以前のもの）の間の距離に沿って走行される複数の車両から受信したランドマーク属性を平均化して、弧の長さパラメータを判定し、経路に沿う位置特定及び各クライアント車両に対する速度較正をサポートし得る。サーバは、共通の道路セグメントに沿って走行され、同じランドマークが認識されている複数の車両により測定されたランドマークの物理的寸法を平均化し得る。平均化された物理的寸法は、距離の推定、例えば、車両からランドマークまでの距離をサポートするために用いられ得る。サーバは、共通の道路セグメントに沿って走行され、同じランドマークが認識されている複数の車両により測定されたランドマークの横方向の位置（例えば、車両がランドマークへ走行している車線からの位置）を平均化し得る。平均化された横方向の部分は、車線指定をサポートするために用いられ得る。サーバは、同じ道路セグメントに沿って走行され、同じランドマークが認識されている複数の車両により測定されたランドマークのＧＰＳ座標を平均化し得る。ランドマークの平均化されたＧＰＳ座標は、道路モデルにおいて、ランドマークのグローバルな位置特定又はポジショニングをサポートするために用いられ得る。
【０２７７】
いくつかの実施形態において、サーバは、車両から受信したデータに基づいて、モデルの変更、例えば、工事、迂回路、新しい標識、標識の除去などを識別し得る。サーバは、車両から新たなデータを受信した際に、モデルを継続的に又は定期的に若しくは即座に更新し得る。サーバは、自律ナビゲーションを提供するために、モデルに更新を供給してよい、又は、車両に更新されたモデルを供給してよい。例えば、以下でさらに議論されるように、サーバは、クラウドソーシングされたデータを用いて、車両により検出された「ゴースト」ランドマークを取り除き得る。
【０２７８】
いくつかの実施形態において、サーバは、自律運転中の運転者の干渉を解析し得る。サーバは、干渉が発生した時点及び位置で車両から受信したデータ、及び／又は、干渉が発生した時の前に受信したデータを解析し得る。サーバは、干渉が発生させ、又は、干渉に緊密に関連しているデータの特定の部分、例えば、一時的な車線通行止めの設定を示すデータ、道路内の歩行者を示すデータを識別し得る。サーバは、識別されたデータに基づいてモデルを更新し得る。例えば、サーバは、モデルに格納されている１又は複数の軌跡を修正し得る。
【０２７９】
図１２は、クラウドソーシングを用いて、スパースマップを生成する（及び、クラウドソーシングされたスパースマップを用いて供給しナビゲートする）システムの概略図である。図１２は、１又は複数の車線を含む道路セグメント１２００を示す。複数の車両１２０５、１２１０、１２１５、１２２０及び１２２５は、（図１２では同時に道路セグメント１２００上に現れるように示されているが）同時に又は異なる時間に道路セグメント１２００を走行し得る。車両１２０５、１２１０、１２１５、１２２０及び１２２５のうちの少なくとも１つは、自律走行車両であってよい。本例を簡単にするために、車両１２０５、１２１０、１２１５、１２２０及び１２２５のすべてが自律走行車両であると仮定する。
【０２８０】
各車両は、他の実施形態において開示される車両（例えば、車両２００）と同様であってよく、他の実施形態において開示される車両に含まれる又はこれに関連付けられるコンポーネント又はデバイスを含んでよい。各車両は、画像取込デバイス又はカメラ（例えば、画像取込デバイス１２２又はカメラ１２２）を備え得る。各車両は、点線で示されるような無線通信経路１２３５を通じて、１又は複数のネットワークを介して（例えば、セルラネットワーク及び／又はインターネットなどを介して）リモートサーバ１２３０と通信し得る。各車両は、サーバ１２３０にデータを伝送し、サーバ１２３０からデータを受信し得る。例えば、サーバ１２３０は、異なる時間に道路セグメント１２００を走行する複数の車両からデータを収集してよく、自律走行車両の道路ナビゲーションモデルを生成するために収集されたデータ、又は、又はモデルに対する更新を処理してよい。サーバ１２３０は、サーバ１２３０にデータを伝送した車両に、自律走行車両の道路ナビゲーションモデル又はモデルに対する更新を伝送し得る。サーバ１２３０は、その後に道路セグメント１２００を走行する他の車両に、自律走行車両の道路ナビゲーションモデル又はモデルに対する更新を伝送し得る。
【０２８１】
車両１２０５、１２１０、１２１５、１２２０及び１２２５が道路セグメント１２００を走行しているときに、車両１２０５、１２１０、１２１５、１２２０及び１２２５により収集（例えば、検出、検知又は測定）されたナビゲーション情報は、サーバ１２３０に伝送され得る。いくつかの実施形態において、ナビゲーション情報は、共通の道路セグメント１２００に関連付けられ得る。ナビゲーション情報は、各車両が道路セグメント１２００にわたって走行するときに、車両１２０５、１２１０、１２１５、１２２０及び１２２５のそれぞれに関連付けられる軌跡を含み得る。いくつかの実施形態において、軌跡は、車両１２０５に提供される様々なセンサ及びデバイスにより検知されるデータに基づいて再構築され得る。例えば、軌跡は、加速度計データ、速度データ、ランドマークのデータ、道路の幾何学形状又はプロファイルデータ、車両の配置データ、エゴモーションデータのうちの少なくとも１つに基づいて再構築され得る。いくつかの実施形態において、軌跡は、慣性センサ、例えば、加速度計からのデータ、及び、速度センサにより検知された車両１２０５の速度に基づいて再構築され得る。さらに、いくつかの実施形態において、軌跡は、３次元並進及び／又は３次元回転（又は回転動作）を示し得るカメラの検知されたエゴモーションに基づいて、（例えば、車両１２０５、１２１０、１２１５、１２２０及び１２２５のそれぞれに搭載されたプロセッサにより）判定され得る。カメラ（したがって、車体）のエゴモーションは、カメラにより取り込まれた１又は複数の画像の解析から判定され得る。
【０２８２】
いくつかの実施形態において、車両１２０５の軌跡は、車両１２０５に搭載されたプロセッサにより判定され、サーバ１２３０に伝送されてよい。他の実施形態において、サーバ１２３０は、車両１２０５に提供される様々なセンサ及びデバイスにより検知されたデータを受信し、車両１２０５からデータした受信に基づいて軌跡を判定し得る。
【０２８３】
いくつかの実施形態において、車両１２０５、１２１０、１２１５、１２２０及び１２２５からサーバ１２３０に伝送されるナビゲーション情報は、路面、道路の幾何学形状又は道路プロファイルに関するデータを含んでよい。道路セグメント１２００の幾何学形状は、車線構成及び／又はランドマークを含んでよい。車線構成は、道路セグメント１２００の車線の総数、車線のタイプ（例えば、一方向車線、双方向車線、走行車線、追い越し車線など）、車線上のマーキング、車線の幅などを含んでよい。いくつかの実施形態において、ナビゲーション情報は、車線指定、例えば、車両走行する複数の車線のうち、１つの車線を含んでよい。例えば、車線指定は、左側又は右側から３番目の車線を車両が走行していることを示す数値「３」に関連付けられてよい。別の例として、車線指定は、車両が中央車線を走行していることを示すテキスト値「中央車線」に関連付けられてよい。
【０２８４】
サーバ１２３０は、非一時的なコンピュータ可読媒体、例えば、ハードドライブ、コンパクトディスク、テープ、メモリなどにナビゲーション情報を格納し得る。サーバ１２３０は、（例えば、サーバ１２３０に含まれるプロセッサを通じて）複数の車両１２０５、１２１０、１２１５、１２２０及び１２２５から受信したナビゲーション情報に基づいて、共通の道路セグメント１２００に対する自律走行車両の道路ナビゲーションモデルの少なくとも一部を生成してよく、スパースマップの一部として当該モデルを格納してよい。サーバ１２３０は、異なる時間に道路セグメントの車線を走行する複数の車両（例えば、１２０５、１２１０、１２１５、１２２０及び１２２５）から受信したクラウドソーシングされたデータ（例えば、ナビゲーション情報）に基づいて、各車線に関連付けられる軌跡を判定し得る。サーバ１２３０は、クラウドソーシングされたナビゲーションデータに基づいて判定された複数の軌跡に基づいて、自律走行車両の道路ナビゲーションモデル又はモデルの一部（例えば、更新された部分）を生成し得る。車両のナビゲーションシステムに提供される既存の自律走行車両の道路ナビゲーションモデルを更新するために、道路セグメント１２００を走行している自律走行車両１２０５、１２１０、１２１５、１２２０及び１２２５のうちの１又は複数、又は、その後に道路セグメントを走行する任意の他の自律走行車両に、サーバ１２３０は、モデル又はモデルの更新された部分を伝送し得る。自律走行車両の道路ナビゲーションモデルは、共通の道路セグメント１２００に自律的に沿ってナビゲートする際に自律走行車両により用いられ得る。
【０２８５】
上記で説明したように、自律走行車両の道路ナビゲーションモデルは、スパースマップ（例えば、図８に示されるスパースマップ８００）に含まれ得る。スパースマップ８００は、道路に沿う道路の幾何学形状及び／又はランドマークに関連するデータのスパース記録を含んでよく、自律走行車両の自律ナビゲーションを案内するのに十分な情報を提供し得るが、過剰なデータストレージを要求することはない。いくつかの実施形態において、自律走行車両の道路ナビゲーションモデルは、スパースマップ８００とは別々に格納されてよく、当該モデルがナビゲーション用に実行されるときに、スパースマップ８００からのマップデータを用いてよい。いくつかの実施形態において、自律走行車両の道路ナビゲーションモデルは、自律走行車両１２０５、１２１０、１２１５、１２２０及び１２２５、又は、その後に道路セグメント１２００に沿って走行する他の車両の自律ナビゲーションを案内するために、道路セグメント１２００に沿うターゲット軌跡を判定するためのスパースマップ８００に含まれるマップデータを用いてよい。例えば、自律走行車両の道路ナビゲーションモデルが車両１２０５のナビゲーションシステムに含まれるプロセッサにより実行される場合、モデルは、プロセッサに、車両１２０５の現在走行中のコースを検証及び／又は修正するために、スパースマップ８００に含まれる予め定められた軌跡と、車両１２０５から受信したナビゲーション情報に基づいて判定された軌跡を比較させてよい。
【０２８６】
自律走行車両の道路ナビゲーションモデルにおいて、道路特徴又はターゲット軌跡の幾何学形状は、３次元空間において曲線で符号化され得る。１つの実施形態において、曲線は、１又は複数の接続３次元多項式を含む３次元スプラインであってよい。当業者であれば、データを適合するために、スプラインが一連の多項式により区分的に定義された数値関数であり得ることを理解するだろう。道路の３次元幾何学形状データを適合するためのスプラインは、線形スプライン（１次）、二次スプライン（２次）、３次元スプライン（３次）又は任意の他のスプライン（他の次数）、又は、それらの組み合わせを含み得る。スプラインは、道路の３次元幾何学形状データのデータポイントをつなぐ（例えば、適合させる）異なる次元の１又は複数の３次元多項式を含み得る。いくつかの実施形態において、自律走行車両の道路ナビゲーションモデルは、共通の道路セグメント（例えば、道路セグメント１２００）又は道路セグメント１２００の車線に沿うターゲット軌跡に対応する３次元スプラインを含み得る。
【０２８７】
上記で説明したように、スパースマップに含まれる自律走行車両の道路ナビゲーションモデルは、他の情報、例えば、道路セグメント１２００に沿う少なくとも１つのランドマークの識別情報を含み得る。ランドマークは、車両１２０５、１２１０、１２１５、１２２０及び１２２５のそれぞれに設置されるカメラ（例えば、カメラ１２２）の視野内に見える場合がある。いくつかの実施形態において、カメラ１２２は、ランドマークの画像を取り込み得る。車両１２０５に提供されるプロセッサ（例えば、プロセッサ１８０、１９０又は処理ユニット１１０）は、ランドマークの画像を処理して、ランドマークに関する識別情報を抽出し得る。ランドマークの実画像よりはむしろ、ランドマークの識別情報がスパースマップ８００に格納され得る。ランドマークの識別情報は、実画像よりもかなり少ないストレージ空間しか必要としない場合がある。他のセンサ又はシステム（例えば、ＧＰＳシステム）は、ランドマーク（例えば、ランドマークの位置）の特定の識別情報を提供してもよい。ランドマークは、交通標識、矢印マーク、車線標示、破線の車線標示、交通信号灯、停止線、方向標識（例えば、方向を示す矢印を有する高速道路の出口の標識、異なる方向又は場所を示す矢印を有する高速道路の標識）、ランドマークビーコン又は街灯柱のうちの少なくとも１つを含み得る。ランドマークビーコンは、車両に設置される受信器に信号を伝送又は反射する、道路セグメントに沿って設置されたデバイス（例えば、ＲＦＩＤデバイス）を指し、車両がデバイスの側を通った場合に、車両により受信されたビーコン及びデバイスの位置（例えば、デバイスのＧＰＳの位置から判定される）が自律走行車両の道路ナビゲーションモデル及び／又はスパースマップ８００に含まれるべきランドマークとして用いられ得る。
【０２８８】
少なくとも１つのランドマークの識別情報は、少なくとも１つのランドマークの位置を含み得る。ランドマークの位置は、複数の車両１２０５、１２１０、１２１５、１２２０及び１２２５に関連付けられるセンサシステム（例えば、グローバルポジショニングシステム、慣性ベースのポジショニングシステム、ランドマークビーコンなど）を用いて実行される位置測定値に基づいて判定され得る。いくつかの実施形態において、ランドマークの位置は、複数の運転を通じて異なる車両１２０５、１２１０、１２１５、１２２０及び１２２５のセンサシステムにより検出、収集又は受信された位置測定値を平均化することにより判定され得る。例えば、車両１２０５、１２１０、１２１５、１２２０及び１２２５は、位置測定値データをサーバ１２３０に伝送してよく、サーバ１２３０は、位置測定値を平均し、平均化した位置測定値をランドマークの位置として用い得る。ランドマークの位置は、その後の運転において車両から受信した測定値により継続的に改良され得る。
【０２８９】
ランドマーク識別情報は、ランドマークのサイズを含み得る。車両（例えば、１２０５）に提供されるプロセッサは、画像の解析に基づいてランドマークの物理的サイズを推定し得る。サーバ１２３０は、異なる車両の異なる運転から同じランドマークの物理的サイズについての複数の推定値を受信し得る。サーバ１２３０は、ランドマークに関する物理的サイズが得られるように、異なる推定値を平均化し、そのランドマークのサイズを道路モデルに格納し得る。物理的サイズの推定値は、車両からランドマークまでの距離をさらに判定又は推定するために用いられ得る。ランドマークまでの距離は、車両の現在の速度と、カメラの拡張焦点に対して画像内に現れるランドマークの位置に基づくスケール拡大とに基づいて推定され得る。例えば、ランドマークまでの距離は、Ｚ＝Ｖ×ｄｔ×Ｒ／Ｄにより推定されてよく、Ｖは車両の速度であり、Ｒは時刻ｔ１におけるランドマークからの拡張焦点までの画像内の距離であり、Ｄは、ｔ１からｔ２までの画像内のランドマークに対する距離の変化である。ｄｔは、（ｔ２−ｔ１）を表す。例えば、ランドマークまでの距離は、Ｚ＝Ｖ×ｄｔ×Ｒ／Ｄにより推定されてよく、Ｖは車両の速度であり、Ｒはは、ランドマークと拡張焦点との間の画像内の距離であり、ｄｔは時間間隔であり、Ｄは、エピポーラ線に沿うランドマークの画像ずれである。上記の式と同等である他の式、例えば、Ｚ＝Ｖ×ω／Δωが、ランドマークまでの距離を推定するために用いられ得る。ここで、Ｖは車両の速度であり、ωは、（オブジェクトの幅のような）画像の長さであり、Δωは、単位時間における画像の長さの変化である。
【０２９０】
ランドマークの物理的サイズが既知の場合、ランドマークまでの距離は、以下の式、Ｚ＝ｆ×Ｗ／ωに基づいて判定されてもよく、ｆは焦点距離であり、Ｗは、ランドマークのサイズ（例えば、高さ又は幅）であり、ωは、ランドマークが画像を離れたときの画素の数である。上記の式から、距離Ｚの変化は、ΔＺ＝ｆ×Ｗ×Δω／ω２＋ｆ×ΔＷ／ωを用いて算出されてよく、ΔＷは、平均化によりゼロに減衰し、Δωは、画像の境界ボックス精度を表す画素の数である。ランドマークの物理的サイズを推定する値は、サーバ側において、複数の観測値を平均化することにより算出され得る。距離推定の結果的な誤差は、非常に小さい場合がある。上記の式、すなわちΔＷ及びΔωを用いた場合に生じ得る誤差の２つの情報源が存在する。距離の誤差に対するそれらの寄与は、ΔＺ＝ｆ×Ｗ×Δω／ω２＋ｆ×ΔＷ／ωにより与えられる。しかしながら、ΔＷは、平均化によりゼロに減衰しており、したがって、ΔＺは、Δωにより判定される（例えば、画像内の境界ボックスの不正確さ）。
【０２９１】
未知の寸法のランドマークについて、ランドマークまでの距離は、一連のフレーム間のランドマークにおける特徴点を追跡することにより推定され得る。例えば、速度制限標識に現れる特定の特徴は、２又はそれより多くの画像フレーム間で追跡され得る。それらの追跡された特徴に基づいて、特徴点ごとの距離の分布が生成され得る。距離評価は、距離の分布から抽出され得る。例えば、距離の分布に現れる最も頻度の高い距離が、距離評価として用いられ得る。別の例として、距離の分布の平均が距離評価として用いられ得る。
【０２９２】
図１３は、複数の３次元スプライン１３０１、１３０２及び１３０３により表される例示的な自律走行車両の道路ナビゲーションモデルを示す。図１３に示される曲線１３０１、１３０２及び１３０３は、あくまで例示目的である。各スプラインは、複数のデータポイント１３１０を接続する１又は複数の３次元多項式を含み得る。各多項式は、１次多項式、２次多項式、３次多項式又は異なる次元を有する任意の適切な多項式の組み合わせであってよい。各データポイント１３１０は、車両１２０５、１２１０、１２１５、１２２０及び１２２５から受信したナビゲーション情報に関連付けられ得る。いくつかの実施形態において、各データポイント１３１０は、ランドマークに関連するデータ（例えば、ランドマークのサイズ、位置及び識別情報）、及び／又は、道路シグネチャプロファイル（例えば、道路の幾何学形状、道路粗さプロファイル、道路曲率プロファイル、道路幅プロファイル）に関連付けられ得る。いくつかの実施形態において、いくつかのデータポイント１３１０は、ランドマークに関連するデータに関連付けられてよく、その他のものは、道路シグネチャプロファイルに関連するデータに関連付けられてよい。
【０２９３】
図１４は、５つの別個の運転から受信された未加工の位置データ１４１０（例えば、ＧＰＳデータ）を示す。同時に別個の車両が、別個の時間に同じ車両が、又は、別個の時間に別個の車両が通過した場合、ある運転は、別の運転とは別個であり得る。位置データ１４１０における誤差及び同じ車線内の車両の異なる位置（例えば、ある車両が、別の車両よりも車線の左側に近づいて運転し得る）を説明するために、サーバ１２３０は、１又は複数の統計技術を用いて、未加工位置データ１４１０の変動が、実際の相違又は統計的な誤差を表すかを判定するマップの概要１４２０を生成し得る。概要１４２０内の各経路は、同経路を形成した対応する未加工のデータ１４１０に遡られ得る。例えば、概要１４２０内のＡとＢとの間の経路は、運転１からではなく、運転２、３、４及び５からの未加工のデータ１４１０に対応する。概要１４２０は、（例えば、上述したスプラインとは異なり、同じ道路上の複数の車線から運転を組み合わせるので）車両をナビゲートするために用いられるのに十分に詳細でない場合があるが、有用なトポロジカル情報を提供して得、交点を定義するために用いられ得る。
【０２９４】
図１５は、マップの概要のセグメント（例えば、概要１４２０内のセグメントＡからＢ）内のスパースマップに対して、さらなる詳細が生成され得る例を示す。図１５に示されるように、データ（例えば、エゴモーションデータ及び路面標識データなど）は、運転に沿う位置Ｓ（又は、Ｓ１又はＳ２）に応じて示され得る。サーバ１２３０は、運転１５１０のランドマーク１５０１、１５０３及び１５０５と、運転１５２０のランドマーク１５０７及び１５０９との間の一意の一致を識別することによってスパースマップに対するランドマークを識別し得る。そのようなマッチングアルゴリズムは、ランドマーク１５１１、１５１３及び１５１５の識別をもたらし得る。しかしながら、当業者であれば、他のマッチングアルゴリズムが用いられてよいことを認識する。例えば、一意のマッチングの代わりに、又は、これと組み合わせて、確率最適化が用いられてよい。サーバ１２３０、運転を長手方向に整列させて、マッチングされたランドマークを整列させ得る。例えば、サーバ１２３０は、基準運転として、１つの運転（例えば、運転１５２０）を選択し、次に、整列のために他の運転（例えば、運転１５１０）をシフト及び／又は弾力的に伸ばしてよい。
【０２９５】
図１６は、スパースマップで用いる揃えられたランドマークのデータの例を示す。図１６の例において、ランドマーク１６１０は、道路標識を有する。図１６の例は、複数の運転１６０１、１６０３、１６０５、１６０７、１６０９、１６１１及び１６１３からのデータをさらに示す。図１６の例では、運転１６１３からのデータは、「ゴースト」ランドマークで構成されており、運転１６０１、１６０３、１６０５、１６０７、１６０９及び１６１１のいずれも、運転１６１３において特定されたランドマークの近傍にあるランドマークの識別情報を含まないので、サーバ１２３０は、それをそのように識別し得る。したがって、サーバ１２３０は、ランドマークが現れていない画像に対するランドマークが現れている画像の割合が閾値を超えている場合、可能性のあるランドマークを承認してよく、及び／又は、ランドマークが現れている画像に対するランドマークが現れていない画像の割合が閾値を超えている場合、可能性のあるランドマークを拒否してよい。
【０２９６】
図１７は、運転データを生成するためのシステム１７００を示し、スパースマップをクラウドソーシングするために用いられ得る。図１７に示されるように、システム１７００は、カメラ１７０１及び位置特定デバイス１７０３（例えば、ＧＰＳロケータ）を含み得る。カメラ１７０１及び位置特定デバイス１７０３は、車両（例えば、車両１２０５、１２１０、１２１５、１２２０及び１２２５のうちの１つ）に取り付けられ得る。カメラ１７０１は、複数のタイプの複数のデータ、例えば、エゴモーションデータ、交通標識データ又は道路データなどを提供し得る。カメラのデータ及び位置データは、運転セグメント１７０５にセグメント化され得る。例えば、運転セグメント１７０５はそれぞれ、１ｋｍ未満の運転からのカメラのデータ及び位置データを有し得る。
【０２９７】
いくつかの実施形態において、システム１７００は、運転セグメント１７０５における冗長性を取り除き得る。例えば、ランドマークがカメラ１７０１からの複数の画像に現れている場合、システム１７００は、運転セグメント１７０５がランドマークの位置及びこれに関連する任意のメタデータのうちの一方のみのコピーを含むように、冗長データを取り去り得る。さらなる例として、カメラ１７０１からの複数の画像内に車線標示が現れている場合、システム１７００は、運転セグメント１７０５が任意のメタデータの位置及び車線標示に関連する任意のメタデータのうちの一方のコピーのみを含むように、冗長データを取り去り得る。
【０２９８】
システム１７００は、サーバ（例えば、サーバ１２３０）も含む。サーバ１２３０は、車両から複数の運転セグメント１７０５を受信し、それらを単一の運転１７０７に再結合し得る。そのような構成は、サーバが運転全体に関連するデータを格納することを可能にしつつ、車両とサーバとの間でデータを移動させる場合の帯域幅要件を低減することも可能にし得る。
【０２９９】
図１８は、スパースマップをクラウドソーシングするためにさらに構成された図１７のシステム１７００を示す。図１７のように、システム１７００は、車両１８１０を含み、例えば、（例えば、エゴモーションデータ、交通標識データ又は道路データなどを提供する）カメラ及び位置特定デバイス（例えば、ＧＰＳロケータ）を用いて、運転データを取り込む。図１７のように、車両１８１０は、収集されたデータを複数の運転セグメント（図１８において、「ＤＳ１  １」、「ＤＳ２  １」、「ＤＳＮ  １」として示される）にセグメント化する。次に、サーバ１２３０は、運転セグメントを受信し、受信したセグメントから（図１８において「運転１」として示される）運転を再構築する。
【０３００】
図１８にさらに示されるように、システム１７００はまた、追加の車両からデータを受信する。例えば、車両１８２０はまた、例えば、（例えば、エゴモーションデータ、交通標識データ又は道路データなどを提供する）カメラ、及び、位置特定デバイス（例えば、ＧＰＳロケータ）を用いて運転データを取り込む。車両１８１０と同様に、車両１８２０は、収集されたデータを複数の運転セグメント（図１８において「ＤＳ１  ２」、「ＤＳ２  ２」、「ＤＳＮ  ２」として示される）にセグメント化する。次に、サーバ１２３０は、運転セグメントを受信し、受信したセグメントから運転（図１８において、「運転２」として示される）を再構築する。任意の数の追加の車両が用いられてよい。例えば、図１８はまた、運転データを取り込み（図１８において「ＤＳ１  Ｎ」、「ＤＳ２  Ｎ」、「ＤＳＮ  Ｎ」として示される）運転セグメントにそれをセグメント化し、（図１８において、「運転Ｎ」として示される）運転へと再構築するために、それをサーバ１２３０に送信する「自動車Ｎ」を含む。
【０３０１】
図１８に示されるように、サーバ１２３０は、複数の車両（例えば、「自動車１」（車両１８１０とも称される））、「自動車２」（車両１８２０とも称される）及び「自動車Ｎ」）から収集さえる再構築された運転（例えば、「運転１」、「運転２」及び「運転Ｎ」）を用いて、（「マップ」として示される）スパースマップを構築し得る。
【０３０２】
図１９は、道路セグメントに沿う自律走行車両のナビゲーション用のスパースマップを生成するための例示的な処理１９００を示すフローチャートである。処理１９００は、サーバ１２３０に含まれる１又は複数の処理デバイスにより実行され得る。
【０３０３】
処理１９００は、１又は複数の車両が道路セグメントを通過するときに取得された複数の画像を受信する段階（段階１９０５）を含み得る。サーバ１２３０は、車両１２０５、１２１０、１２１５、１２２０及び１２２５のうちの１又は複数内に含まれるカメラから画像を受信し得る。例えば、カメラ１２２は、車両１２０５が道路セグメント１２００に沿って走行しているときに、車両１２０５を取り囲む環境についての１又は複数の画像を取り込んでよい。いくつかの実施形態において、サーバ１２３０は、図１７に関して上述したように、車両１２０５のプロセッサにより取り除かれた冗長性を有していた取り除かれた画像データを受信してもよい。
【０３０４】
処理１９００は、複数の画像に基づいて、道路セグメントに沿って延在する路面特徴の少なくとも１つのライン表現を識別する段階（段階１９１０）をさらに含み得る。各ライン表現は、路面特徴と実質的に対応する道路セグメントに沿う経路を表し得る。例えば、サーバ１２３０は、カメラ１２２から受信した環境画像を解析して道路縁部又は車線標示を識別し、道路縁部又は車線標示に関連付けられる道路セグメント１２００に沿う走行の軌跡を判定し得る。いくつかの実施形態において、軌跡（又は、ライン表現）は、スプライン、多項式表現又は曲線を含み得る。サーバ１２３０、段階１９０５で受信したカメラのエゴモーション（例えば、３次元並進及び／又は３次元回転動作）に基づいて、車両１２０５の走行の軌跡を判定し得る。
【０３０５】
処理１９００は、複数の画像に基づいて、道路セグメントに関連付けられる複数のランドマークを識別する段階（段階１９１０）を含んでもよい。例えば、サーバ１２３０は、カメラ１２２から受信した環境画像を解析して、１又は複数のランドマーク、例えば、道路セグメント１２００に沿う道路標識を識別し得る。サーバ１２３０は、１又は複数の車両が道路セグメントを通過するときに取得された複数の画像の解析を用いてランドマークを識別し得る。クラウドソーシングを可能にするために、解析は、道路セグメントに関連付けられる可能性のあるランドマークを承認及び拒否することに関する規則を含んでよい。例えば、解析は、ランドマークが現れていない画像に対するランドマークが現れている画像の割合が閾値を超えている場合、可能性のあるランドマークを承認すること、及び／又は、ランドマークが現れている画像に対するランドマークが現れていない画像の割合が閾値を超えている場合、可能性のあるランドマークを拒否することを含み得る。
【０３０６】
処理１９００は、サーバ１２３０により実行される他の操作又は段階を含んでよい。以下でさらに詳細に議論されるように、例えば、ナビゲーション情報は、道路セグメントに沿って走行する車両に対するターゲット軌跡を含んでよく、処理１９００は、サーバ１２３０により、道路セグメントを走行している複数の車両に関連する車両の軌跡をクラスタリングする段階、及び、クラスタリングされた車両の軌跡に基づいて、ターゲット軌跡を判定する段階を含んでよい。車両の軌跡をクラスタリングする段階は、サーバ１２３０により、車両の絶対方向（ａｂｓｏｌｕｔｅ  ｈｅａｄｉｎｇ）又は車両の車線指定のうちの少なくとも一方に基づいて、道路セグメントを走行する車両に関連する複数の軌跡を複数のクラスタにクラスタリングする段階を含み得る。ターゲット軌跡を生成する段階は、サーバ１２３０により、クラスタリングされた軌跡を平均化する段階を含み得る。さらなる例として、処理１９００は、段階１９０５において受信されたデータを整列させる段階を含んでよい。上述したように、サーバ１２３０により実行される他の処理又は段階が処理１９００に含まれてもよい。
【０３０７】
開示されるシステム及び方法は、他の特徴を含んでよい。例えば、開示されるシステムは、グローバル座標よりはむしろ、ローカル座標を用いてよい。自律運転について、いくつかのシステムは、ワールド座標においてデータを示し得る。例えば、地球表面における経度及び緯度の座標が用いられてよい。ステアリング用のマップを用いるために、ホスト車両は、マップに関連するその位置及び方位を判定してよい。マップ上に車両を配置するため、車体基準フレームと世界基準フレーム（例えば、北、東及び下）との間の回転変換を見つけるために、搭載されたＧＰＳデバイスを用いることは、自然であろう。車体基準フレームが、マップ基準フレームを用いて位置合わせされると、次に、所望の経路が、車体基準フレームに表され得、ステアリングコマンドが算出又は生成され得る。
【０３０８】
開示されるシステム及び方法は、高価な調査装置を利用することなく自律走行車両それ自体により収集され得る低フットプリントモデルを用いた自律走行車両のナビゲーション（例えば、ステアリング制御）を可能にし得る。自律ナビゲーション（例えば、ステアリングアプリケーション）をサポートするために、道路モデルは、モデルに含まれる軌跡に沿う車両の場所又は位置を判定するために用いられ得る道路の幾何学形状、その車線構成及びランドマークを有するスパースマップを含んでよい。上述したように、スパースマップの生成は、道路を走行している車両と通信し、かつ、車両からデータを受信するリモートサーバにより実行され得る。データは、検知データ、検知データに基づいて再構築された軌跡、及び／又は、修正されて再構築された軌跡を表し得る推奨される軌跡を含んでよい。以下で議論されるように、サーバは、自律ナビゲーションに役立てるために、車両、又は、その後に道路を走行する他の車両に当該モデルを送り戻す場合がある。
【０３０９】
図２０は、サーバ１２３０のブロック図を示す。サーバ１２３０は、両方のハードウェアコンポーネント（例えば、通信制御回路、スイッチ及びアンテナ）、及び、ソフトウェアコンポーネント（例えば、通信プロトコル、コンピュータコード）を含み得る通信ユニット２００５を含み得る。例えば、通信ユニット２００５は、少なくとも１つのネットワークインタフェースを含んでよい。サーバ１２３０は、通信ユニット２００５を通じて車両１２０５、１２１０、１２１５、１２２０及び１２２５と通信し得る。例えば、サーバ１２３０は、通信ユニット２００５を通じて、車両１２０５、１２１０、１２１５、１２２０及び１２２５から伝送されたナビゲーション情報を受信し得る。サーバ１２３０は、通信ユニット２００５を通じて、自律走行車両の道路ナビゲーションモデルを１又は複数の自律走行車両に供給し得る。
【０３１０】
サーバ１２３０は、少なくとも１つの非一時的ストレージ媒体２０１０、例えば、ハードドライブ、コンパクトディスク、テープなどを含んでよい。ストレージデバイス１４１０は、データ、例えば、車両１２０５、１２１０、１２１５、１２２０及び１２２５から受信したナビゲーション情報、及び／又は、サーバ１２３０がナビゲーション情報に基づいて生成した自律走行車両の道路ナビゲーションモデルを格納するように構成され得る。ストレージデバイス２０１０は、任意の他の情報、例えば、スパースマップ（例えば、図８に関して上述したスパースマップ８００）を格納するように構成され得る。
【０３１１】
ストレージデバイス２０１０に加えて、又は、これの代わりに、サーバ１２３０は、メモリ２０１５を含んでよい。メモリ２０１５は、メモリ１４０又は１５０と同様であってよい、又は、これらとは異なっていてよい。メモリ２０１５は、非一時的メモリ、例えば、フラッシュメモリ、ランダムアクセスメモリなどであってよい。メモリ２０１５は、データ、例えば、プロセッサ（例えば、プロセッサ２０２０）により実行可能なコンピュータコード又は命令、マップデータ（例えば、スパースマップ８００のデータ）、自律走行車両の道路ナビゲーションモデル、及び／又は、車両１２０５、１２１０、１２１５、１２２０及び１２２５から受信したナビゲーション情報を格納するように構成され得る。
【０３１２】
サーバ１２３０は、メモリ２０１５に格納されているコンピュータコード又は命令を実行して様々な機能を実行するように構成される少なくとも１つの処理デバイス２０２０を含んでよい。例えば、処理デバイス２０２０は、車両１２０５、１２１０、１２１５、１２２０及び１２２５から受信したナビゲーション情報を解析し、当該解析に基づいて、自律走行車両の道路ナビゲーションモデルを生成し得る。処理デバイス２０２０は、通信ユニット１４０５を制御して、１又は複数の自律走行車両（例えば、車両１２０５、１２１０、１２１５、１２２０及び１２２５のうちの１又は複数、又は、その後に道路セグメント１２００を走行する任意の車両）に自律走行車両の道路ナビゲーションモデルを供給し得る。処理デバイス２０２０は、プロセッサ１８０、１９０又は処理ユニット１１０と同様であってよい、又は、これらとは異なっていてよい。
【０３１３】
図２１は、自律走行車両のナビゲーションで用いる道路ナビゲーションモデルを生成するための１又は複数の演算を実行するためのコンピュータコード又は命令を格納し得るメモリ２０１５のブロック図を示す。図２１に示されるように、メモリ２０１５は、車両のナビゲーション情報を処理するための操作を実行するための１又は複数のモジュールを格納し得る。例えば、メモリ２０１５は、モデル生成モジュール２１０５及びモデル供給モジュール２１１０を含んでよい。プロセッサ２０２０は、メモリ２０１５に含まれるモジュール２１０５及び２１１０のいずれかに格納されている命令を実行し得る。
【０３１４】
モデル生成モジュール２１０５は、プロセッサ２０２０により実行されると、車両１２０５、１２１０、１２１５、１２２０及び１２２５から受信したナビゲーション情報に基づいて、共通の道路セグメント（例えば、道路セグメント１２００）に対する自律走行車両の道路ナビゲーションモデルの少なくとも一部を生成し得る命令を格納し得る。例えば、自律走行車両の道路ナビゲーションモデルを生成する際に、プロセッサ２０２０は、共通の道路セグメント１２００に沿う車両の軌跡を異なるクラスタにクラスタリングし得る。プロセッサ２０２０は、異なるクラスタのそれぞれに対するクラスタリングされた車両の軌跡に基づいて、共通の道路セグメント１２００に沿うターゲット軌跡を判定し得る。そのような動作は、各クラスタにおいて、（例えば、クラスタリングされた車両の軌跡を表すデータを平均化することにより）クラスタリングされた車両の軌跡の中間又は平均の軌跡を求める段階を含んでよい。いくつかの実施形態において、ターゲット軌跡は、共通の道路セグメント１２００の単一の車線に関連付けられ得る。
【０３１５】
道路モデル及び／又はスパースマップは、道路セグメントに関連付けられる軌跡を格納し得る。これらの軌跡は、自律ナビゲーションに対する自律走行車両に提供されるターゲット軌跡と称され得る。ターゲット軌跡は、複数の車両から受信されてよい、又は、複数の車両から受信される実際の軌跡又は推奨される軌跡（実際の軌跡にいくつかの修正を加えたもの）に基づいて生成されてよい。道路モデル又はスパースマップに含まれるターゲット軌跡は、他の車両から受信した新しい軌跡を用いて継続的に更新（例えば、平均化）され得る。
【０３１６】
道路セグメントを走行する車両は、様々なセンサによりデータを収集し得る。データは、ランドマーク、道路シグネチャプロファイル、車両運動（例えば、加速度計データ、速度データ）、車両位置（例えば、ＧＰＳデータ）を含んでよく、実際の軌跡自体を再構築するか、車両に対する実際の軌跡を再構築するサーバにデータを伝送するかのいずれかであってよい。いくつかの実施形態において、車両は、軌跡に関連するデータ（例えば、任意の基準フレームにおける曲線）、ランドマークのデータ、及び、サーバ１２３０への走行経路に沿う車線指定を伝送し得る。複数の運転において、同じ道路セグメントに沿って走行する様々な車両は、異なる軌跡を有し得る。サーバ１２３０は、クラスタリング処理を通じて、車両から受信した軌跡から各車線に関連付けられる経路又は軌跡を識別し得る。
【０３１７】
図２２は、共通の道路セグメント（例えば、道路セグメント１２００）に対するターゲット軌跡を判定するために、車両１２０５、１２１０、１２１５、１２２０及び１２２５に関連付けられる車両の軌跡をクラスタリングする処理を示す。クラスタリング処理から判定されるターゲット軌跡又は複数のターゲット軌跡は、自律走行車両の道路ナビゲーションモデル又はスパースマップ８００に含まれ得る。いくつかの実施形態において、道路セグメント１２００に沿って走行する車両１２０５、１２１０、１２１５、１２２０及び１２２５は、複数の軌跡２２００をサーバ１２３０に伝送し得る。いくつかの実施形態において、サーバ１２３０は、車両１２０５、１２１０、１２１５、１２２０及び１２２５から受信したランドマーク、道路の幾何学形状及び車両運動の情報に基づいて軌跡を生成し得る。自律走行車両の道路ナビゲーションモデルを生成するために、サーバ１２３０は、図２２に示されるように、車両の軌跡１６００を複数のクラスタ２２０５、２２１０、２２１５、２２２０、２２２５及び２２３０にクラスタリングし得る。
【０３１８】
クラスタリングは、様々な基準を用いて実行され得る。いくつかの実施形態において、クラスタ内のすべて運転は、道路セグメント１２００に沿う絶対方向に対して類似している場合がある。絶対方向は、車両１２０５、１２１０、１２１５、１２２０及び１２２５により受信されるＧＰＳ信号から取得され得る。いくつかの実施形態において、絶対方向は、デッドレコニングを用いて取得され得る。当業者が理解するように、デッドレコニングは、以前に判定された位置、推定された速度などを用いることにより、現在位置と、したがって、車両１２０５、１２１０、１２１５、１２２０及び１２２５の進行方向とを判定するために用いられ得る。絶対方向によりクラスタリングされた軌跡は、車道に沿う経路を識別するのに有用であり得る。
【０３１９】
いくつかの実施形態において、クラスタ内のすべての運転は、道路セグメント１２００上の運転に沿う車線指定（例えば、ジャンクション前後の同じ車線における）に対して類似し得る。車線指定によりクラスタリングされる軌跡は、車道に沿う車線を識別するのに有用であり得る。いくつかの実施形態において、両方の基準（例えば、絶対方向及び車線指定）は、クラスタリングのために用いられてよい。
【０３２０】
各クラスタ２２０５、２２１０、２２１５、２２２０、２２２５及び２２３０において、軌跡は、特定のクラスタに関連付けられるターゲット軌跡を取得するために平均化され得る。例えば、同じ車線のクラスタに関連付けられる複数の運転からの軌跡が平均化され得る。平均化された軌跡は、特定の車線に関連付けられるターゲット軌跡であってよい。軌跡のクラスタを平均化するために、サーバ１２３０は、任意の軌跡Ｃ０の基準フレームを選択し得る。すべての他の軌跡（Ｃ１、・・・Ｃｎ）に対して、サーバ１２３０は、ＣｉをＣ０にマッピングするリジッド変換を見つけてよく、ｉ＝１、２、・・・ｎであり、ｎは、正の整数であり、クラスタに含まれる軌跡の総数に対応する。サーバ１２３０は、Ｃ０基準フレーム内の中間曲線又は軌跡を計算し得る。
【０３２１】
いくつかの実施形態において、ランドマークは、異なる運転間でマッチングする弧の長さを画定してよく、車線との軌跡の整合のために用いられ得る。いくつかの実施形態において、ジャンクションの前後の車線標示が、車線と軌跡の整合のために用いられ得る。
【０３２２】
軌跡から車線を組み立てるために、サーバ１２３０は、任意の車線の基準フレームを選択し得る。サーバ１２３０は、部分的に重なる車線を選択した基準フレームにマッピングし得る。サーバ１２３０は、全車線が同じ基準フレーム内となるまでマッピングし続けてよい。互いに隣接する車線は、それらが同じ車線であるかのように整合されてよく、後に横方向にずれてもよい。
【０３２３】
道路セグメントに沿って認識されるランドマークは、まず、車線レベルで、次に、ジャンクションレベルで共通基準フレームにマッピングされ得る。例えば、同じランドマークは、複数の運転における複数の車両により複数回認識される場合がある。異なる運転において受信される同じランドマークに関するデータは、わずかに異なる場合がある。そのようなデータは、平均化され、同じ基準フレーム、例えば、Ｃ０基準フレームにマッピングされ得る。さらに又は代替的に、複数の運転において受信される同じランドマークのデータの分散が算出され得る。
【０３２４】
いくつかの実施形態において、道路セグメント１２０の各車線は、ターゲット軌跡及び特定のランドマークに関連付けられ得る。ターゲット軌跡又は複数のそのようなターゲット軌跡は、自律走行車両の道路ナビゲーションモデルに含まれてよく、同じ道路セグメント１２００に沿って走行する他の自律走行車両によって後で用いられ得る。車両が道路セグメント１２００に沿って走行している間に車両１２０５、１２１０、１２１５、１２２０及び１２２５により識別されたランドマークは、ターゲット軌跡に関連して記録され得る。ターゲット軌跡及びランドマークのデータは、その後の運転の際に他の車両から受信される新たなデータを用いて継続的に又は定期的に更新され得る。
【０３２５】
自律走行車両の位置を特定するために、開示されるシステム及び方法は、拡張カルマンフィルタを用いてよい。車両の位置は、３次元位置データ、及び／又は、３次元方向データ、エゴモーションの統合による車両の現在位置の先の将来の位置の予測に基づいて判定され得る。車両の位置特定は、ランドマークの画像観測により修正又は調節され得る。例えば、車両がカメラにより取り込まれた画像内にランドマークを検出した場合、ランドマークは、道路モデル又はスパースマップ８００内に格納される既知のランドマークと比較され得る。既知のランドマークは、道路モデル及び／又はスパースマップ８００に格納されているターゲット軌跡に沿う既知の位置（例えば、ＧＰＳデータ）を有し得る。現在の速度と、ランドマークの画像とに基づいて、車両からランドマークまでの距離が推定され得る。ターゲット軌跡に沿う車両の位置は、（道路モデル又はスパースマップ８００に格納されている）ランドマークまでの距離、及び、ランドマークの既知の位置に基づいて調節され得る。道路モデル及び／又はスパースマップ８００に格納されているランドマークの位置／位置データ（例えば、複数の運転からの中間値）が正確であると仮定され得る。
【０３２６】
いくつかの実施形態において、開示されるシステムは、閉ループサブシステムを形成してよく、車両の６自由度の位置（例えば、３次元位置データ、さらに３次元方向データ）の推定が、自律走行車両をナビゲート（例えば、ホイールをステアリング）して、所望の地点（例えば、１．３秒先に格納される）に到達させるために用いられ得る。次に、ステアリング及び実際のナビゲーションから測定されたデータは、６自由度の位置を推定するために用いられ得る。
【０３２７】
いくつかの実施形態において、道路に沿うポール、例えば、街灯柱、及び、電力線ポール又はケーブル線ポールは、車両の場所を見つけ出すためのランドマークとして用いられ得る。他のランドマーク、例えば、交通標識、交通信号灯、道路上の矢印、停止線、及び、道路セグメントに沿うオブジェクトの静的な特徴又はシグネチャが、車両の場所を見つけ出すためのランドマークとして用いられてもよい。位置を特定するためにポールが用いられる場合、ポールの一番下が遮られる場合があり、それらが道路平面にないことがあるので、ｙ観測（すなわち、ポールまでの距離）よりはむしろ、ポールのｘ観測（すなわち、車両からの視野角）が用いられ得る。
【０３２８】
図２３は、クラウドソーシングされたスパースマップを用いた自律ナビゲーションに用いられ得る車両用のナビゲーションシステムを示す。例として、車両は、車両１２０５として示される。図２３に示される車両は、例えば、車両１２１０、１２１５、１２２０及び１２２５、並びに、他の実施形態において示される車両２００を含む本明細書に開示される任意の他の車両であってよい。図１２に示されるように、車両１２０５は、サーバ１２３０と通信し得る。車両１２０５は、画像取込デバイス１２２（例えば、カメラ１２２）を含み得る。車両１２０５は、道路（例えば、道路セグメント１２００）を走行するために、車両１２０５にナビゲーションガイダンスを提供するために構成されるナビゲーションシステム２３００を含み得る。車両１２０５は、他のセンサ、例えば、速度センサ２３２０及び加速度計２３２５を含んでもよい。速度センサ２３２０は、車両１２０５の速度を検出するように構成され得る。加速度計２３２５は、車両１２０５の加速度又は減速度を検出するように構成され得る。図２３に示される車両１２０５は、自律走行車両であってよく、ナビゲーションシステム２３００は、ナビゲーションガイダンスを自律運転に提供するために用いられ得る。代替的に、車両１２０５は、非自律、人により制御される車両であってもよく、ナビゲーションシステム２３００は、さらに、ナビゲーションガイダンスを提供するために用いられ得る。
【０３２９】
ナビゲーションシステム２３００は、通信経路１２３５を通じてサーバ１２３０と通信するように構成される通信ユニット２３０５を含み得る。ナビゲーションシステム２３００は、ＧＰＳ信号を受信及び処理するように構成されるＧＰＳユニット２３１０も含んでよい。ナビゲーションシステム２３００は、データ、例えば、ＧＰＳ信号、（車両１２０５に搭載されたストレージデバイスに格納され、及び／又は、サーバ１２３０から受信され得る）スパースマップ８００からのマップデータ、道路プロファイルセンサ２３３０により検知された道路の幾何学形状、カメラ１２２により取り込まれた画像、及び／又は、サーバ１２３０から受信した自律走行車両の道路ナビゲーションモデルを処理うるように構成される少なくとも１つのプロセッサ２３１５をさらに含み得る。道路プロファイルセンサ２３３０は、異なるタイプの道路プロファイル、例えば、路面の粗さ、道路幅、道路の標高、道路曲率などを測定するための異なるタイプのデバイスを含み得る。例えば、道路プロファイルセンサ２３３０は、車両２３０５のサスペンションの動きを測定して、道路粗さプロファイルを導出するデバイスを含んでよい。いくつかの実施形態において、道路プロファイルセンサ２３３０は、車両１２０５から道端（例えば、道端の境界）までの距離を測定し、これにより、道路の幅を測定するレーダセンサを含んでよい。いくつかの実施形態において、道路プロファイルセンサ２３３０は、道路の上下の高度を測定するために構成されるデバイスを含んでよい。いくつかの実施形態において、道路プロファイルセンサ２３３０は、道路曲率を測定するように構成されるデバイスを含んでよい。例えば、カメラ（カメラ１２２、又は、別のカメラ）は、道路曲率を示す道路の画像を取り込むために用いられ得る。車両１２０５は、そのような画像を用いて、道路曲率を検出し得る。
【０３３０】
少なくとも１つのプロセッサ２３１５は、車両１２０５に関連付けられる少なくとも１つの環境画像をカメラ１２２から受信するようプログラミングされ得る。少なくとも１つのプロセッサ２３１５は、少なくとも１つの環境画像を解析して、車両１２０５に関連するナビゲーション情報を判定し得る。ナビゲーション情報は、道路セグメント１２００に沿う車両１２０５の走行に関連する軌跡を含み得る。少なくとも１つのプロセッサ２３１５は、カメラ１２２（したがって、車両）の動作、例えば、３次元並進及び３次元回転動作に基づいて、軌跡を判定し得る。いくつかの実施形態において、少なくとも１つのプロセッサ２３１５は、カメラ１２２により取得された複数の画像の解析に基づいて、カメラ１２２の並進及び回転動作を判定し得る。いくつかの実施形態において、ナビゲーション情報は、車線指定情報（例えば、車両１２０５がどの車線を道路セグメント１２００に沿って走行するか）を含み得る。車両１２０５からサーバ１２３０に伝送されるナビゲーション情報は、自律走行車両の道路ナビゲーションモデルを生成及び／又は更新するためにサーバ１２３０により用いられてよく、自律ナビゲーション案内を車両１２０５に提供するために、サーバ１２３０から車両１２０５へ送り返され得る。
【０３３１】
少なくとも１つのプロセッサ２３１５は、車両１２０５からサーバ１２３０にナビゲーション情報を伝送するようプログラミングされてもよい。いくつかの実施形態において、ナビゲーション情報は、道路情報と共にサーバ１２３０に伝送され得る。道路の位置情報は、ＧＰＳユニット２３１０により受信されるＧＰＳ信号、ランドマークの情報、道路の幾何学形状、車線情報などのうちの少なくとも１つを含み得る。少なくとも１つのプロセッサ２３１５は、自律走行車両の道路ナビゲーションモデル又はモデルの一部をサーバ１２３０から受信し得る。サーバ１２３０から受信した自律走行車両の道路ナビゲーションモデルは、車両１２０５からサーバ１２３０に伝送されたナビゲーション情報に基づく少なくとも１つの更新を含み得る。サーバ１２３０から車両１２０５に伝送されるモデルの一部は、モデルの更新された部分を含み得る。少なくとも１つのプロセッサ２３１５は、受信した自律走行車両の道路ナビゲーションモデル又はモデルの更新された部分に基づいて、車両１２０５による少なくとも１つのナビゲーション操作（例えば、方向転換を行う、ブレーキをかける、加速する、別の車両を追い越すなどのステアリング）を行い得る。
【０３３２】
少なくとも１つのプロセッサ２３１５は、通信ユニット１７０５、ＧＰＳユニット２３１５、カメラ１２２、速度センサ２３２０、加速度計２３２５及び道路プロファイルセンサ２３３０を含む、車両１２０５に含まれる様々なセンサ及ビーコンポーネントと通信するように構成され得る。少なくとも１つのプロセッサ２３１５は、様々なセンサ及ビーコンポーネントからの情報又はデータを収集し、情報又はデータを通信ユニット２３０５を通じてサーバ１２３０に伝送し得る。代替的に又はさらに、車両１２０５の様々なセンサ又はコンポーネントは、サーバ１２３０と通信し、センサ又はコンポーネントにより収集されたデータ又は情報をサーバ１２３０に伝送してもよい。
【０３３３】
いくつかの実施形態において、車両１２０５、１２１０、１２１５、１２２０及び１２２５は、互いに通信してよく、互いにナビゲーション情報を共有してよく、その結果、車両１２０５、１２１０、１２１５、１２２０及び１２２５のうちの少なくとも１つは、例えば、他の車両により共有される情報に基づいて、クラウドソーシングを用いて自律走行車両の道路ナビゲーションモデルを生成し得る。いくつかの実施形態において、車両１２０５、１２１０、１２１５、１２２０及び１２２５は、互いにナビゲーション情報を共有してよく、各車両は、車両に提供される独自の自律走行車両の道路ナビゲーションモデルを更新してよい。いくつかの実施形態において、車両１２０５、１２１０、１２１５、１２２０及び１２２５のうちの少なくとも１つ（例えば、車両１２０５）は、ハブ車両として機能し得る。ハブ車両（例えば、車両１２０５）の少なくとも１つのプロセッサ２３１５は、サーバ１２３０により実行される機能の一部又はすべてを実行し得る。例えば、ハブ車両の少なくとも１つのプロセッサ２３１５は、他の車両と通信し、他の車両からナビゲーション情報を受信し得る。ハブ車両の少なくとも１つのプロセッサ２３１５は、自律走行車両の道路ナビゲーションモデルを生成してよい、又は、他の車両から受信した共有される情報に基づいてモデルを更新してよい。ハブ車両の少なくとも１つのプロセッサ２３１５は、自律ナビゲーション案内を提供するために、自律走行車両の道路ナビゲーションモデル又は当該モデルに対する更新を他の車両に伝送し得る。
【０３３４】
マッピング高度を利用したナビゲーションパラメータ決定
【０３３５】
自律又は半自律ナビゲーションの多くの態様において、ホスト車両の環境におけるオブジェクトに対する距離の判定が有用となり得る。場合によっては、当該距離判定は、ＬＩＤＡＲシステム又はＲＡＤＡＲシステムからの１又は複数の出力に基づいて実行されてよい。代替的に又はさらに、当該距離判定は、１又は複数の画像取込デバイスから取得された画像の解析に基づいて実行されてよい。しかしながら、場合によっては、取得された画像の解析には、特定の困難が伴い得る。例えば、ホスト車両の環境におけるオブジェトが、ホスト車両に対して異なる高度を有する場合、画像解析に基づく距離測定はより困難となり得る。例えば、収集画像の解析において、ホスト車両の高度よりも高い高度にあるターゲット車両は、実際の距離よりも、ホスト車両から遠くにあると捉えられ得る。この問題に対処するため、画像解析に基づく距離の判定は、検出されたオブジェクトとホスト車両との間の高度の差を考慮してよい。これにより、相対距離判定の精度向上が実現される。このような高度情報は様々な方法で判定され得る。一方、いくつかの実施形態において、高度情報が道路セグメントに対して格納され得る（例えば、上述のスパースマップに含まれる）。このマッピング高度情報を、ホスト車両から（特に解析されている１又は複数の画像を取り込んだデバイスから）、画像内で検出されたターゲットオブジェクトとの間の距離の判定に利用してよい。取得画像に基づく距離測定で高度を考慮するこの技術を、以下により詳細に説明する。
【０３３６】
図２４は、開示される実施形態と矛盾しない、メモリのブロック図を示す。いくつかの実施形態において、メモリ１４０又は１５０は、マップ情報２４０１と、高度情報２４０３と、オブジェクト識別モジュール２４０５と、位置特定モジュール２４０７と、距離モジュール２４０９と、ナビゲーションモジュール２４１１とを含み得る。開示される実施形態は、メモリ１４０又は１５０のいかなる特定の構成にも限定されない。さらに、プロセッサ（例えばアプリケーションプロセッサ１８０、画像プロセッサ１９０、及び／又は処理ユニット１１０）は、メモリ１４０又は１５０に含まれるモジュール２４０５、２４０７、２４０９及び２４１１のいずれかに格納されている命令を実行してよい。さらに、各種モジュール（上述及び下記）が開示される実施形態に関連した機能を実行するために説明されるが、これらモジュールは論理的に分離していなくてもよく、代替的に、取得画像を解析し、これらの画像の解析により検出されたホスト車両環境の特徴に基づいて、次のナビゲーション状態を判定するように構成された総合ナビゲーションシステムに含まれるか、（任意の組み合わせで）一体化されてよい。
【０３３７】
１つの実施形態において、オブジェクト識別モジュール２４０５は、プロセッサにより実行されると、プロセッサに画像セットの画像解析を実行可能にし、画像セット内のオブジェクトを識別可能にする命令を格納してよい。１つの実施形態において、オブジェクト識別モジュール２４０５は、単眼画像解析モジュール４０２及び／又はステレオ画像解析モジュール４０４を含み得る。上述のように、単眼画像解析モジュール４０２は、画像セット内の特徴セット、例えば、車線標示、車両、歩行者、道路標識、高速道路出口ランプ、交通信号灯、危険物、及び車両の環境に関連付けられる他の任意の特徴を検出するための命令を含み得る。また上述のように、ステレオ画像解析モジュール４０４は、第１及び第２画像セット内の特徴セット、例えば、車線標示、車両、歩行者、道路標識、高速道路出口ランプ、交通信号灯、危険物、及び車両の環境に関連付けられる他の任意の特徴を検出するための命令を含み得る。オブジェクト識別モジュール２４０５は、この特徴に基づき、車両、歩行者、車道内のオブジェクト、マンホールの蓋、交通信号灯、交通標識など、オブジェクトの種類を識別する命令を含んでよい。さらに、画像解析処理の一環として、識別された特定種類の各オブジェクトに、関連画像内のオブジェクトのエッジ境界に関連付けられた境界ボックスが割り当てられてよい。
【０３３８】
１つの実施形態において、位置特定モジュール２４０７は、プロセッサにより実行されると、プロセッサにホスト車両の位置を判定可能にする命令を格納してよい。１つの実施形態において、プロセッサは、ＧＰＳデバイス、速度センサ、及び／又は加速度計などの、ホスト車両の少なくとも１つのセンサの出力に基づいて、ホスト車両の位置を判定してよい。１つの実施形態において、プロセッサは、スパースマップ道路モデル（上述）上の位置特定に基づいて、ホスト車両の位置を判定してよい。本開示と矛盾しないスパースマップは、１又は複数の道路特徴を表すデータを含んでもよい。そのような道路特徴は、認識されたランドマーク、道路シグネチャプロファイル及び車両をナビゲートするのに有用な他の任意の道路関連の特徴を含み得る。１又は複数の取得画像内で識別された、認識されたランドマークを、スパースマップに含まれた１又は複数のターゲット軌跡とともに使用して、プロセッサはマップ内のターゲット軌跡に対するホスト車両の位置を判定してよい。そのような位置情報は、ホスト車両の判定された位置に対する、ホスト車両の環境に関連付けられた特定の特徴をホスト車両に通知し得る。例えば、スパースマップに道路セグメントに沿ったくぼみの位置を格納する場合、特定のターゲット軌跡に対するホスト車両の位置を特定することで、現在のターゲット軌跡に沿って、ホスト車両の１１４メートル先にくぼみがあると判定可能となり得る。同様に、スパースマップに道路高度情報が格納される場合（例えば、１０ｃｍ毎、１ｍ毎、２ｍ毎、５ｍ毎、１０ｍ毎、５０ｍ毎、１００ｍ毎など）、プロセッサは特定ターゲット軌跡に対するホスト車両の現在の特定位置の１２８ｍ先の道路セグメントの高度が、ホスト車両の現在の特定位置での道路セグメントの高度よりも２７ｍ高いと判定し得る。ホスト車両の位置特定後、上述のように、プロセッサは、認識されたランドマーク間でのホスト車両のエゴモーションを示すセンサ出力に基づいて、ターゲット軌跡に対するその位置（例えば認識されたランドマーク識別の間）を推定してよい。
【０３３９】
１つの実施形態において、マップ情報２４０１（例えば、上述のスパースマップを含む）は、特定の道路セグメントに関連付けられた特徴を格納してよい。特徴は、検出された車線標示、道路標識、高速道路出口ランプ、交通信号灯、道路インフラストラクチャ、道路幅情報、ガードレール、木、建物、街灯柱、及び車両の環境に関連した任意の他の特徴などを含み得る。１つの実施形態において、マップ情報２４０１はさらに高度情報２４０３を含んでもよい。高度情報２４０３は、特定の位置の道路セグメントの高さ（例えば、１０メートル、２０メートル、３０メートル、など）を含んでよく、あるいは勾配（例えば１０度又は１１度など）を含んでよい。１つの実施形態において、高度情報２４０３は、原点（例えば、海抜、又は特定の道路セグメントに関連付けられた特定の原点）に対する高さを含んでよい。１つの実施形態において、高度情報２４０３は、それぞれが道路セグメントに対応する数式（例えば数式（２））として格納されてよい。１つの実施形態において、高度情報２４０３は、各高度情報エントリが道路セグメントに沿った特定の位置に対応する表に格納されてよい。このような高度情報は、任意の適切な間隔（例えば、１０ｃｍ毎、１ｍ毎、２ｍ毎、５ｍ毎、１０ｍ毎、５０ｍ毎、１００ｍ毎など）でスパースマップに格納され得る。１つの実施形態において、再度図１３を参照すると、複数の３次元スプライン１３０１、１３０２、及び１３０３が、複数のデータポイント１３１０における車線について、高度情報とともに格納されてよい。プロセッサは、特定の高度格納プロトコル（例えば、表から高度情報を読み出す、記憶されたプロファイル又は関数／数式から高度を判定する、ターゲット軌跡を示すのに使用される３次元スプラインのｚ軸投影から高度を判定するなど）に適した任意の適切な方法で、スパースマップから高度情報を取得し得る。
【０３４０】
１つの実施形態において、距離モジュール２４０９は、プロセッサにより実行されると、識別されたオブジェクトへのホスト車両からの距離を判定するように構成された命令を格納してよい。距離は、尺度法及び／又はオプティカルフロー法などの、画像解析からの測定に基づいて判定されてよい。場合によっては、画像解析に基づく距離判定は、ＬＩＤＡＲシステム又はＲＡＤＡＲシステムの出力に基づく１又は複数の距離判定に対して冗長であるか、又はその検証に利用されるものであってよい。ホスト車両から、１又は複数の画像内で識別されたオブジェクトまでの判定された距離は、ホスト車両に対する識別されたオブジェクトの高度に依存し得る。例えば、ターゲット車両の高度がホスト車両よりも高い場合、高度を考慮しなければ、実際の距離よりも、判定された距離が長くなり得る。ホスト車両に対する適切なナビゲーション動作を決定するには、検出されたオブジェクトに対する正確な距離値が利用可能であるべきである。
【０３４１】
開示される実施形態と矛盾することなく、プロセッサは、ホスト車両から識別されたオブジェクトへの距離を、高度情報２４０３に基づいて判定し得る。図２５Ａ及び図２５Ｂは、ターゲット車両２５０３が、ホスト車両２５０１よりも高い高度の道路セグメントに位置する状況を示す概略図である。例えば、ホスト車両２５０１がグランドプレーン上に存在してよく、ターゲット車両２５０３がグランドプレーンよりも高い位置の平面上に配置されると仮定され得る。グランドプレーンから、ターゲット車両２５０３が存在する平面までの高さである高さＹは、次式を使用して表すことができる。
【数１】
2021517680.tif 000003
【０３４２】
式中、ｙはターゲット車両２５０３の最下部の、画像空間内の垂直方向の変位を示し、ｆは画像取込デバイスの焦点距離を示し、Ｚはホスト車両からターゲット車両への距離を示す。
【０３４３】
さらに、道路モデルに基づいて、高さＹは次式から判定され得る。
【数２】
2021517680.tif 000004
【０３４４】
式中、ａは予め定められた定数を示し、Ｈはグランドプレーンに対する画像取込デバイスの高さを示す。１つの実施形態において、定数ａはマップ情報、スパースマップ、及び／又は３次元スプラインに格納可能である。場合によっては、定数ａはスプラインの局所近似であってよい。１つの実施形態において、式（２）は、より複雑な関数を含んでよい（例えばＹ＝関数（Ｚ））。
【０３４５】
場合によっては、プロセッサは式（１）及び（２）を使用して、ホスト車両２５０１からターゲット車両２５０３への距離である距離Ｚを判定してよい。例えば、近接領域を平面として近似してよい。平面（地平線）の消線を、道路の近接部の消失点から判定してよい。代替的に、局地道路平面を、任意の適切な画像解析技術により判定してよい。「地平線」に対する画像内の車両の一番下は、車両の一番下に対する空間直線を定義し得る。即ちＹ＝−ｙＺ／ｆである。これにより以下の式が得られる。
【数３】
2021517680.tif 000005
この方程式をＺについて解くことで、ホスト車両と、ターゲット車両との間の距離を判定できる。
【０３４６】
１つの実施形態において、ナビゲーションモジュール２４１１は、プロセッサにより実行可能であり、判定された距離に基づいて、所望のナビゲーション動作を決定するソフトウェア命令を格納してよい。１つの実施形態において、ナビゲーションモジュール２４１１は、ナビゲーション応答モジュール４０８を含む。ホスト車両から識別されたオブジェクト（例えば、ターゲット車両）への判定された距離は、例えば、自律走行車両の適切なナビゲーション応答生成に重要となり得る。判定された距離に基づいて、自律走行車両の１又は複数のナビゲーション目標実現に向けて、ナビゲーション動作が決定され得る（例えば、Ａ点からＢ点に走行、歩行者をはねない、歩行者から少なくとも１メートル空ける、速度が時速３０キロ（など）を超える場合は歩行者から少なくとも１０メートル空ける、先行車両から少なくとも安全な距離を空ける、安全な距離内で接近を避けるようにブレーキを掛ける、及びその他多数のナビゲーション目標）。プロセッサは少なくともホスト車両と、検出されたオブジェクトとの間の正確な距離判定に依存して、これら目標を達成し得る。例えば、ホスト車両が検出された歩行者に接近すると、ブレーキシステムがトリガされて、ホスト車両を歩行者から安全な距離に停止させてよい。１つの実施形態において、プロセッサは判定された距離を予め定められた閾値と比較してよい。判定された距離が予め定められた閾値（例えば、ホスト車両に関連付けられた反応時間に対してホスト車両が最高加速度で走行できる距離、ホスト車両がその最大ブレーキレベルで停止できる距離範囲、ターゲット車両がその最大ブレーキレベルで停止できる距離範囲、及び任意で、停止後にターゲット車両に対するを維持するための所定の最低近接バッファとの合計に対応し得る先行車両に対する安全な距離）を超える場合、プロセッサはホスト車両に現在の速度、進路、加速度などを維持可能にしてよい。しかしながら、判定された距離が予め定められた閾値と等しいか又はそれよりも低い場合、プロセッサはホスト車両にブレーキを掛けるか、方向変換などをさせてよい。いくつかの実施形態において、ナビゲーション応答は、判定された距離値と、相対速度及び加速度の組み合わせに基づいて判定されてよい。
【０３４７】
図２６は、開示される実施形態と矛盾しない、ホスト車両のナビゲートのフローチャートである。段階２６０１において、プロセッサは、ホスト車両の環境を表す少なくとも１つの画像を画像取込デバイスから受信し得る。この画像は、画像取込デバイス１２２、１２４、及び／又は１２６から、ネットワーク又は通信経路を介して送られた未加工又は処理済みデータであり得る。データは、任意の適切な画像形式を含み得る。
【０３４８】
段階２６０３において、プロセッサは、少なくとも１つの画像を解析して、ホスト車両の環境内のオブジェクトを識別し得る。画像２５００は、多数の異なるオブジェクトを含む、ホスト車両の環境を示す。プロセッサは、画像２５００を解析して、画像内のオブジェクトを識別し得る。プロセッサは、オブジェクト識別モジュール２４０５にアクセスして、任意の適切な画像解析技術を利用し得る。当該技術の例として、物体認識、画像セグメント化、特徴抽出、光学式文字認識（ＯＣＲ）、オブジェクトベース画像解析、形状領域技術、エッジ検出手法、画素ベース検出などが挙げられる。加えて、プロセッサはさらに、画像内の異なるオブジェクトを区別するため、分類アルゴリズムを使用し得る。１つの実施形態において、プロセッサは適切に訓練された機械学習アルゴリズム及びモデルを使用して、オブジェクト識別を行い得る。アルゴリズムは、線形回帰、ロジスティック回帰、線形判別分析、分類木及び回帰木、ナイーブベイズ、ｋ近傍法、学習ベクトル量子化、サポートベクタマシン、バギング及びランダムフォレスト、及び／又はブースティング及びアダブーストなどを含み得る。いくつかの実施形態において、プロセッサは、オブジェクト識別モジュール２４０５の実行時に、オブジェクトの視覚的特徴（例えば、サイズ、形状、風合い、文字、色など）に少なくとも基づいて、画像内のオブジェクトを識別してよい。
【０３４９】
段階２６０５において、プロセッサはホスト車両の位置を判定し得る。１つの実施形態において、プロセッサは画像の解析に基づいて位置を判定し得る。さらに、プロセッサは上述のように、道路セグメントに沿ったホスト車両のターゲット軌跡を表す３次元スプラインに沿った、ホスト車両の特定位置として、ホスト車両の位置を判定してよい。さらに、開示される実施形態と矛盾することなく、予め定められた３次元スプラインに沿ったホスト車両の位置の予測は、少なくとも１つの認識されたランドマークの観測位置に基づいてよい。開示される実施形態と矛盾することなく、プロセッサは、スパースマップ道路モデル上の位置特定に基づいて、ホスト車両の位置を予測し得る。１つの実施形態において、上述のように、ホスト車両の位置を、ＧＰＳデバイス、速度センサ、及び／又は加速度計などの、ホスト車両の少なくとも１つのセンサの出力に基づいて判定してよい。例えば、ＧＰＳ受信機からの位置情報は、ホスト車両の位置の判定に寄与し得る。
【０３５０】
段階２６０７において、プロセッサは、ホスト車両の判定された位置に関連付けられたマップ情報を受信し得る。このマップ情報は、ホスト車両の環境に関連付けられた高度情報を含む。判定された位置（例えば、ＧＰＳ出力、又はスパースマップに対する前回の位置特定）に基づいて、プロセッサは、特定の位置又は特定の道路セグメントについてのマップ情報を取得し得る。取得したマップ情報は、ホスト車両が走行する道路セグメントについての高度情報を含み得る。高度情報は、例えば上述の任意の方法で、マップに格納され得る。
【０３５１】
段階２６０９において、プロセッサは少なくとも高度情報に基づいて、ホスト車両からオブジェクトへの距離を判定し得る。開示される実施形態によると、プロセッサは上述の式を利用して、１又は複数の画像内で識別されたオブジェクトへの距離を判定してよい。例えば、格納されたマップからの高度情報に基づいて、式（２）を利用してターゲットオブジェクトへの相対距離を計算してよい。
【０３５２】
段階２６１１において、プロセッサは判定された距離に基づいて、ホスト車両に対するナビゲーション動作を決定し得る。１つの実施形態において、プロセッサはナビゲーションモジュール２４１１にアクセスして、ナビゲーション動作を決定し得る。ナビゲーション動作は、識別されたターゲットオブジェクトへの判定された距離に依存し得る、上述の任意のナビゲーション動作を含み得る。
【０３５３】
場合によっては、上記のとおり、判定されたナビゲーション動作は、ホスト車両がその他車両に対して少なくとも安全な距離を保つという目標に応じて展開された１又は複数のナビゲーション動作を含んでよい。例えば、ホスト車両と識別されたターゲット車両との間の高度差を考慮した、判定された距離が、安全な距離以下である場合、又はホスト車両が安全な距離緩衝領域に近接している場合、ナビゲーションプロセッサは、識別されたターゲット車両に対する安全な距離を少なくとも実現又は保つことを目的とした、ホスト車両に対するナビゲーション動作を決定してよい。例えば、場合によっては、安全な距離は、ホスト車両の現在の速度、及びその現在の最大ブレーキ性能に基づくホスト車両の現在の停止距離と、ホスト車両に関連付けられた反応時間の間に、ホスト車両が現状の最大加速性能で走行する距離に対応する加速距離と、ターゲット車両の最大ブレーキ性能により、ターゲット車両が現在の速度をゼロに落とすまでの停止距離との和であり得る。ナビゲーション動作は、責任感知型安全論（ＲＳＳ）モデルに関連して上記した数式のうち、１又は複数に基づいて決定されてよい。
【０３５４】
いくつかの実施形態において、プロセッサは、ホスト車両の最大ブレーキ性能、ホスト車両の現在速度、ホスト車両の最大加速性能、及び／又はホスト車両に関連付けられた反応時間により、ホスト車両が、ホスト車両とターゲット車両との間の、判定された次状態距離（すなわち、判定されたナビゲーション動作を実行した結果としての、ホスト車両とターゲット車両との間の距離）未満の停止距離で停止可能であれば、判定されたナビゲーション動作を実現してよい。場合によっては、判定されたナビゲーション動作の実現にはさらに、ターゲット車両の判定された速度と、最大ブレーキ性能とに基づく、その停止距離が考慮されてよい。先行する視認可能なターゲット車両と、ホスト車両との間に、衝突することなく又はホスト車両の責任となる衝突が起きることなく、さらに、先行する視認可能なターゲット車両がいつでも突如完全停止し得ると仮定し、次状態距離に停止する十分な距離があるとホスト車両プロセッサが判定した場合に、ホスト車両のプロセッサは予定どおりナビゲーション動作を実行してよい。一方、衝突せずに、又は衝突の責任を被ることなくホスト車両を停止するには不十分な距離である場合、判定されたナビゲーション動作を実行しなくてよい。
【０３５５】
マッピングされた車線幅を使用したナビゲーションパラメータ決定
【０３５６】
特定の道路セグメントについて、高度情報がスパースマップに格納され得る上述の実施形態と同様に、道路セグメントについて測定された車線幅も、スパースマップに格納され得る。例えば、車両が道路セグメントを通過する際、道路セグメントに沿って車線幅判定が実行されてよい。クラウドソーシングにより、これら車線幅測定値は、精緻化の後、上述のスパースマップに統合され得る。例えば、車線幅情報は、道路セグメントの長手方向に対する表として、道路セグメントに沿って走行するための車線についてのターゲット軌跡を示す１又は複数の３次元スプラインに関して、長手方向に沿った幅を定義する関数又は式として、又はその他任意の適切な形態で格納され得る。さらに詳細に後述するように、マッピングされた車線幅情報は、ホスト車両と、道路セグメント上で識別された１又は複数のターゲットオブジェクトとの間の距離判定に有用であり得る。判定された距離は、ＬＩＤＡＲシステム、ＲＡＤＡＲシステムからの測定値の検証、又はホスト車両に対する１又は複数のナビゲーション動作の決定などに有用であり得る。
【０３５７】
上述のように１つの実施形態において、プロセッサは、ホスト車両の周囲環境を表す１又は複数の取得画像を受信し得る。１つの実施形態において、上述のように、オブジェクト識別モジュール２４０５は、プロセッサにより実行されると、プロセッサに画像セットの画像解析を実行し、画像セット内のオブジェクトの識別を可能にする命令を格納し得る。プロセッサは、複数の画像内のオブジェクト、道路セグメントに関連付けられた複数のランドマーク（例えば、道路標識）を識別し得る。オブジェクトは上記開示の技術のうちの任意のもので識別され得る。例えば、物体認識、画像セグメント化、特徴抽出、光学式文字認識（ＯＣＲ）、オブジェクトベース画像解析、形状領域技術、エッジ検出手法、画素ベース検出などは、全て単独で又は組み合わせて使用され得る。
【０３５８】
１つの実施形態において、上述のように、プロセッサはホスト車両の位置を判定し得る。上述のように、ＧＰＳ位置特定、スパースマップのターゲット軌跡に沿った認識されたランドマーク位置特定、これらの組み合わせ、その他様々な技術により位置が判定され得る。例えば、図２７Ａを参照にすると、上述の技術を使用して、ホスト車両２７０１が走行する道路セグメントの車線に関連付けられたターゲット軌跡を表すスプラインに沿った、ホスト車両の２７０１の特定位置を、ランドマーク２７０５を使用して判定してよい。
【０３５９】
１つの実施形態において、上述のように距離モジュール２４０９は、プロセッサにより実行されると、プロセッサにホスト車両から識別されたオブジェクトへの距離を判定可能とする命令を格納し得る。例えば、図２７Ａを参照にすると、（Ｘ，Ｙ，Ｚ）座標に対する３次元空間内に、ホスト車両２７０１、ターゲット車両２７０３、ランドマーク２７０５、及び２つのスプラインＳ１及びＳ２が示されている。スプラインＳ１及びＳ２は、ホスト車両２７０１が走行する道路セグメントに関連付けられた車線の境界を表し得る。ホスト車両２７０１と、ターゲット車両２７０３との間の距離判定は、ＬＩＤＡＲ又はＲＡＤＡＲシステムの出力に基づいてよい。ホスト車両２７０１と、ターゲット車両２７０３との間の距離はさらに、例えば、一連の画像間のオブジェクトのスケーリングを利用した、画像解析により判定されてよい。距離判定は、上述の項に記載したとおり、高度差を考慮してよい。距離判定はさらに、ターゲット車両２７０３の追跡軌跡に基づいてもよく、観測された追跡軌跡をマッピング情報（走行車線を表すスプラインなど）と比較して、ターゲット車両がターゲット軌跡に沿って、どこに位置するかを判定してよい。ホスト車両２７０１と、ターゲット車両２７０３との間の距離は、ホスト車両とターゲット車両との間の最短直線距離として判定されてよい。他の場合、ホスト車両２７０１と、ターゲット車両２７０３との間の距離は、ホスト車両と、ターゲット車両との間のカーブした３次元路（例えば、車線エッジスプラインＳ１及びＳ２の間のスプラインに沿い、ホスト車両が走行するターゲット軌跡を表す）の距離として判定されてよい。
【０３６０】
プロセッサはさらに、ホスト車両から識別されたオブジェクトへの距離を、マッピングされた車線幅情報に基づいて判定してよい。例えば上述のスパースマップ内のマップ情報は、ホスト車両が走行する道路セグメントに関連付けられた車線幅情報を含み得る。上述のように、スパースマップは、車線幅情報を、任意の適切の形式（例えば、関係表、道路セグメント長手方向に沿った周期的な値、図２７Ａ及び図２７Ｂに示すスプラインＳ１及びＳ２間などの、車線幅を判定可能な３次元スプライン）で格納し得る。例えば、ターゲット車両２７０３に関連付けられた長さ距離でのスプラインＳ１及びＳ２間の車線幅は、スプラインＳ２に関連付けられた点ｙ２でのｘ座標投影と、スプラインＳ１に関連付けられた点ｙ１でのｘ座標投影との間の差として表され得る。
【０３６１】
図２８Ａを参照すると、ホスト車両２８０１、ターゲット車両２８０３、ランドマーク２８０５、及び２つのスプラインＳ１及びＳ２が示されている。スプラインＳ１及びＳ２は、ホスト及びターゲット車両が走行する道路セグメントに関連付けられた車線の境界を表し得る。図示のように、スプラインＳ１及びＳ２の間に幅Ｗがある。いくつかの実施形態において、幅Ｗは検出された車線の境界を表す２つのスプライン間で一定又はほぼ一定であり得る。図２８Ｂは、（ｘ，ｙ）２次元座標系（例えば画像空間内）に投影されたスプラインＳ１及びＳ２を示す。既知の車線幅情報（例えば、Ｗ＝３．８メートル）に基づいて、以下の式により、ホスト車両２８０１からターゲット車両２８０３までの距離Ｚが判定され得る。
【数４】
2021517680.tif 000006
【０３６２】
式中、ｆは画像取込デバイスの焦点距離を示し、ｗは画像空間内の車線の幅を示す。例えば、ｗは１２５画素、ｆは１４００画素となり得る。物理空間内の車線幅Ｗが（例えば格納されたスパースマップに基づき）３．８メートルと分かっている場合、Ｚは４２．５６メートルと計算され得る。
【０３６３】
図２９Ａは、（ｘ，ｙ）２次元座標系内にスプラインｓ１、ｓ２、及びｓ３が含まれた別の画像を示す。図２９Ｂは、３次元座標内のスプラインＳ１、Ｓ２、及びＳ３の画像を示す。１つの実施形態において、サーバは取得画像２９００を受信し、その画像を使用して、（ｘ，ｙ）２次元座標を（Ｘ，Ｙ，Ｚ）３次元座標系にマッピングすることで、画像２９１０を構築し得る。例えば、画像２９１０を構築するため、サーバはターゲット車両２９０３を検出し、ターゲット車両２９０３の一番下の（ｘ，ｙ）値を判定し得る。いくつかの実施形態において、マッピング関数を適用して、サーバは点（ｘ，ｙ）の（Ｘ，Ｙ，Ｚ）値を計算し得る。したがって、２次元画像に基づいて３次元スプラインが構築され得る。
【０３６４】
１つの実施形態において、構築された全てのスプラインを利用して、サーバは路面モデルを生成し得る。例えば、画像２９１０を使用して、サーバは路面モデルを生成し得、これをマップのセグメントとして使用し得る。例えば、路面モデルを生成するため、サーバはスプラインＳ１、Ｓ２、及びＳ３上で予め定められた間隔（例えば１メートル間隔）で点を選択し得る。さらに、図２９Ｂに示すように、サーバはドロネー三角形分割を適用し得る。図３０は、２次元座標に投影された例示的スプラインを示す。図３１は、ドロネー三角形分割の結果を示す。図示のとおり、道路縁部３１０１の外のポイントがフィルタにより除かれている。さらに、領域３１０３が道路縁部外の固定幅の余白として追加されている。これら（Ｘ，Ｙ，Ｚ）３次元座標は、上述のようにサーバにより（ｘ，ｙ）２次元座標から構築され得る。この３次元値から、サーバは、道路３１０１と、道路付近の領域（例えば、領域３１０３）についての情報を取得し得る。
【０３６５】
いくつかの実施形態において、サーバは、マップからの１又は複数の３Ｄスプラインを使用して、座標（例えば位置及び回転情報）をマッピングして、（ｘ，ｙ）２次元座標を（Ｘ，Ｙ，Ｚ）３次元座標系にマッピングし得る。例えば、サーバは、車線の境界を表す３Ｄスプラインを画像内に投影し得る。スプラインに沿った全３Ｄ点（例えば、ある間隔を空けている）について、サーバは、画像を取り込んだ１又は複数のカメラについての既知の情報（例えば、焦点距離、主点、レンズ歪など）を使用して、２Ｄ画像投影を計算し得る。ＲＧＢ値を判定する代わりに、サーバは投影点の（Ｘ，Ｙ，Ｚ）値を決定及び格納し得る。したがって、サーバは、画像内の投影スプラインに沿った、全（ｘ，ｙ）２次元座標に対して（Ｘ，Ｙ，Ｚ）値を決定し得る。サーバが車両と、その道路との接触点（例えば画像データ内で検出される）を検出すると、サーバは、付近のスプラインｓ１及びｓ２上の点ｙ１及びｙ２を確認し、ｙ１及びｙ２の（加重）平均として、車両への距離を判定し得る。このような手法は、車両に複数のサラウンドカメラが搭載されている場合に有効であり得る。
【０３６６】
図３２は、カメラの位置特定に基づいて、画像に投影された関連三角形を示す。サーバは、ドロネー三角形分割関数を適用する際、画像内の点が三角形の中に入ると、同三角形に基づいて、当該点に（Ｘ，Ｙ，Ｚ）３次元値を割り当てる。
【０３６７】
１つの実施形態において、ホスト車両のプロセッサは、面モデルを受信し得る。上述のように、プロセッサは上述の技術を使用して、ホスト車両の位置と、３次元座標系におけるホスト車両の位置とを判定し得る。例えば、そのような位置判定は、特定されたランドマークに対する位置特定、及び／又はランドマーク間の識別されたオブジェクト（例えばターゲット車両）に対するホスト車両の判定されたエゴモーションに基づく位置特定に基づいてよい。プロセッサは、路面モデルを使用して、ホスト車両から識別されたオブジェクトへの距離を判定し得る。例えば、ターゲット車両２９０３が検出されると、道路との接触点（ｘ，ｙ）が空間直線となる。当該線と、路面との交差３Ｄ点により、ホスト車両からターゲット車両への距離Ｚが得られる。
【０３６８】
上述のように、プロセッサは、少なくとも判定された距離に基づいてナビゲーション動作を決定し得る。例えば、ホスト車両からターゲット車両への判定された距離が現在の停止距離未満である場合、プロセッサはブレーキを掛けるなどと判定してよい。
【０３６９】
図３３は、開示される実施形態と矛盾しない、ホスト車両をナビゲートする例示的なプロセスを示すフローチャートである。段階３３０１において、プロセッサは、ホスト車両の環境を表す少なくとも１つの画像を画像取込デバイスから受信し得る。この画像は、画像取込デバイス１２２、１２４、及び／又は１２６から、ネットワーク又は通信経路を介して送られた未加工又は処理済みデータであり得る。データは、ある画像形式で記述されたものを含み得る。
【０３７０】
段階３３０３において、プロセッサは、少なくとも１つの画像を解析して、ホスト車両の環境内のオブジェクトを識別し得る。画像２８００は、多数の異なるオブジェクトを含む、ホスト車両の環境を示す。プロセッサは、画像２８００を解析して、画像内のオブジェクトを識別し得る。上述のように、プロセッサは、オブジェクト識別モジュール２７０５にアクセスして、任意の適切な画像解析技術を利用し得る。加えて、プロセッサはさらに、画像内の異なるオブジェクトを区別するため、分類アルゴリズムを使用し得る。１つの実施形態において、プロセッサは適切に訓練された機械学習アルゴリズム及びモデルを使用して、オブジェクト識別を行い得る。
【０３７１】
段階３３０５において、プロセッサはホスト車両の位置を判定し得る。１つの実施形態において、上述のように、プロセッサは道路セグメントに沿ったホスト車両のターゲット軌跡を表す、予め定められた３次元スプラインに沿った、ホスト車両の位置予測に基づいて、ホスト車両の位置を判定し得る。例えば、図２７Ａを参照すると、プロセッサはホスト車両の位置を、特定されたランドマーク２７０５に基づいて判定し得る。さらに、開示される実施形態と矛盾することなく、予め定められた３次元スプラインに沿ったホスト車両の位置の予測は、少なくとも１つの認識されたランドマークの観測位置に基づいてよい。１つの実施形態において、上述のように、ホスト車両の位置は、ＧＰＳデバイス、速度センサ、及び／又は加速度計などの、ホスト車両の少なくとも１つのセンサの出力に基づいて判定してよい。
【０３７２】
段階３３０７において、プロセッサは、ホスト車両の判定された位置に関連付けられたマップ情報にアクセスし得る。このマップ情報は、ホスト車両の環境に内の道路に関連付けられた車線幅情報を含む。１つの実施形態において、プロセッサはホスト車両が走行中の特定のセグメントに関連するスパースマップを受信し得る。次に、上述のように、プロセッサはマップ内の軌跡に対するホスト車両の位置を判定し得る。軌跡が判定されると、プロセッサはホスト車両の将来の経路を、そのターゲット軌跡を表す３次元スプラインに沿った、判定されたホスト車両の特定位置に基づいて判定し得る。さらに、プロセッサはホスト車両の先の道路セグメントに沿った全点（又は少なくとも等間隔点）での車線幅情報を受信し得る。車線幅情報は、任意の適切な形式でスパースマップに格納され得る。形式の例は上述のとおりである。いくつかの実施形態において、車線幅情報はスプラインに沿った予め定められた長手方向距離値でのターゲット軌跡スプラインに対する、左及び右値を含む、及び／又はその他任意の格納形式を含むことができる。
【０３７３】
段階３３０９において、プロセッサは少なくとも車線幅情報に基づいて、ホスト車両からオブジェクトへの距離を判定し得る。例えば、上述のように、プロセッサはスプラインが２次元座標に投影される際、ｙの値の平均をとってよい（例えば、Ｚ＝（ｙ１＋ｙ２）／２）。別の例では、式（４）を利用して、プロセッサはホスト車両からオブジェクトへの距離を判定してよい。代替的に、ＬＩＤＡＲシステム、ＲＡＤＡＲシステム、ＧＰＳデバイス、速度センサ、及び／又は加速度計などのホスト車両の少なくとも１つのセンサの出力に基づいて、距離が判定されてよい。１つの実施形態において、ホスト車両の別のセンサの出力に基づいて判定された距離の検証に、少なくとも車線幅情報に基づきホスト車両からオブジェクトへの距離を判定する画像解析式方法を利用してよい。
【０３７４】
段階３３１１において、プロセッサは判定された距離に基づいて、ホスト車両に対するナビゲーション動作を決定し得る。例えば、上述のように、ナビゲーション動作は、１又は複数の検出された車両に対する安全な距離（例えば、上述のようにＲＳＳモデルに関する）を維持又は実現するために決定され得る。
【０３７５】
一部視認不能なターゲット車両の車線位置判定
【０３７６】
場合によっては、ホスト車両に関連付けられた画像取込デバイスで取得された画像内に、ターゲット車両の全体が表され得る。そのような場合、ターゲット車両への距離判定は、画像内で、ターゲット車両が路面に接触する観測された線又は位置に基づき得る。しかし他の場合では、取得画像内に１又は複数のターゲット車両の全体が表されない場合があり得る。例えば、（１又は複数の）取り込まれた画像から、１又は複数のターゲット車両と路面との交点が観測不能となるように、同ターゲット車両が一部視認不能となり得る。そのような場合、１又は複数の検出されたターゲット車両に対する位置情報を推定し、ホスト車両と検出されたターゲット車両との間の距離を判定するのに、別の技術が使用され得る。代替的に又はさらに、検出されたターゲット車両に関して推定された位置情報は、任意で格納されたマップ情報（例えば上述のスパースマップから）と組み合わせて、検出されたターゲット車両が走行する走行車線、ターゲット車両の予期される進行方向などの判定に使用可能である。
【０３７７】
上述のように１つの実施形態において、画像処理用のプロセッサは、ホスト車両の周囲環境を表す１又は複数の取得画像を受信し得る。１つの実施形態において、上述のように、プロセッサは画像セットに対して画像解析を実行して、画像セット内のオブジェクトを識別し得る。プロセッサは、複数の画像内のオブジェクト、道路セグメントに関連付けられた複数のランドマーク（例えば、道路標識）を識別し得る。オブジェクトは上記開示の技術のうちの任意のもので識別され得る。例えば、物体認識、画像セグメント化、特徴抽出、光学式文字認識（ＯＣＲ）、オブジェクトベース画像解析、形状領域技術、エッジ検出手法、画素ベース検出などである。
【０３７８】
１つの実施形態において、解析に基づいて、プロセッサは環境内の第１オブジェクト（例えば、ターゲット車両）を識別してよい。第１オブジェクトと、第１オブジェクトが位置する道路は、第２オブジェクト（例えば、遮蔽物、道路標識など）により一部視認不能となっている。図３４Ａは、ホスト車両３４０１から取り込まれた画像内で、ターゲット車両が少なくとも一部視認不能となり得る一例示的状況を表す。図３４Ａは、ターゲット車両３４０３及び遮蔽物３４０５などの、その他オブジェクトに対するホスト車両３４０１の位置を示す。
【０３７９】
図３４Ｂは、ホスト車両３４０１に関連付けられたカメラで取得され得る例示的画像を表す。図３４Ｂに表される画像内で、ターゲット車両３４０３は画像内で検出され得る。しかし、遮蔽物３４０５が表現されていることで、ターゲット車両３４０３の画像が一部視認不能となっている。例えば、ターゲット車両３４０３の一番下が遮蔽物３４０５により視認不能である。それでも、ターゲット車両が走行する関連車線（あるいは、ターゲット車両が走行中、そして走行することが予期される経路）は、例えば、ターゲット車両３４０３の経時的移動を追跡し（例えば、２つ以上の取得画像により表される）、それをマッピング情報（例えば、上述のスパースマップ）と比較して、ターゲット車両３４０３が移動する車線又は経路を推定することで判定され得る。
【０３８０】
より具体的には、２つ又はそれよりも多くの取得画像に基づいて、プロセッサは格納されたマップ情報に対する、車線位置及び／又はターゲット車両の位置を判定し得る。例えば、道路セグメント（複数の交差する道路部分を含み得る）に沿った、走行可能な車線について、軌跡を格納するスパースマップに基づいて、プロセッサはターゲット車両３４０３がターゲット軌跡Ｌ１に関連付けられた車線上に位置すると判定し得る。即ち、上述の位置特定技術を使用して、プロセッサはホスト車両３４０１の位置を判定し得る。ターゲット車両３４０３の画像座標は、線Ｖ１によりマッピングされ得る。上述のように、画像座標はマップ座標に変換可能である。マップ座標と、線Ｖ１と車線Ｌ１の交点に基づき、プロセッサはターゲット車両３４０３の位置を判定し得る。
【０３８１】
代替的に又はさらに、ホスト車両は、ターゲット車両３４０３の２つ又はそれより多くの画像を取り込み、取得した画像内でターゲット車両の表現が如何に変化するかを観測し得る。例えば、ホスト車両３４０１とターゲット車両３４０３とが合流箇所に近づくと、ターゲット車両３４０３を含む取得画像には、ターゲット車両３４０３が取得画像に占める割合が、ホスト車両３４０１とターゲット車両３４０３との距離が短くなるにつれ、大きくなることが示される。ターゲット車両３４０３の画像表現サイズの変化に基づき（あるいはホスト車両３４０１とターゲット車両３４０３との間の相対移動に関連した、その他任意の観測可能な画像特徴に基づき）、プロセッサはターゲット車両３４０３の走行車線を推定し得る。例えば、プロセッサは格納されたスパースマップにアクセスし、図３４Ｂに表す取得画像内で観測された、遮蔽物３４０５の反対側に存在し得る走行車線を判定し得る。図示の例では、プロセッサは遮蔽物３４０５の反対側に、走行車線が１つ存在し、その車線がターゲット軌跡Ｌ１に関連付けられていると判定し得る。プロセッサは、ターゲット車両３４０３に関連付けられた、観測された移動特徴を検証し、その移動特徴がターゲット軌跡Ｌ１に沿ったターゲット車両の動きに一致するかを判定し得る。一致する場合、ホスト車両３４０１のナビゲーションプロセッサは、ターゲット車両３４０３が遮蔽物３４０５の反対側の車線内の経路Ｌ１に沿って走行していると推定し得る。この情報により、ホスト車両プロセッサはターゲット車両の将来の経路を推定し得る。この推定は、例えば、ターゲット車両が如何にホスト車両と相互作用し得るか、又はこれらが先の車線合流点で合流するかを推定することを含む。場合によっては、ターゲット車両が一部視認不能であっても、ホスト車両は先の車線合流点で、ターゲット車両に先を譲るために、減速し得る。場合によっては、ホスト車両は車線合流点で、ターゲット車両の前に居続けるため加速し得る。ホスト車両は、スパースマップ情報に基づきターゲット車両への距離を判定し、ターゲット車両３４０３の画像座標は線Ｖ１によりマッピングされてよい。
【０３８２】
図示の例では、走行車線が１本のみ含まれているが、車線推定及び差判定技術は、ホスト車両の画像取込デバイスの視界から、複数の車線が視認不能である場合にも使用され得る。例えば、遮蔽物３４０５により視認不能となっている車線が２本、３本、あるいはそれ以上あれば、２つ以上の取り込まれた画像内のターゲット車両の観測された移動特徴を、スパースマップに格納された車線／軌跡情報と比較する同じ技術により、ホスト車両プロセッサは視認不能の車線のうち、ターゲット車両が走行する車線を推定可能になる。この情報から、ターゲット車両の将来の経路が判定可能である。
【０３８３】
図３５Ａは、視認不能な車線が複数ある例を示す。図３５Ｂは、それぞれ線Ｖ１及びＶ２によりマッピングされたｔ１及びｔ２でのターゲット車両３５０３の画像座標を示す。ホスト車両３５０１は、二車線道路３５０７との交差点に差し掛かっている。プロセッサは、識別されたターゲット車両３５０３が、車線Ｌ１にあるか、車線Ｌ２にあるかを判定し得る。この判定は、適切なナビゲーション動作展開に重要となり得る。例えば、ターゲット車両が軌跡Ｌ１に関連付けられた車線にあると判定されると、ホスト車両が左折して軌跡Ｌ１に関連付けられた車線に入るのに空間が不足し得る。一方、車両３５０３の観測された動き特徴と、格納されたマップデータに基づく推定技術により、ホスト車両プロセッサが、軌跡Ｌ２に関連付けられた車線をターゲット車両３５０３が走行していると判定すると、プロセッサは検出されたターゲット車両の妨げになることなく、ホスト車両３５０１が左折して軌跡Ｌ１に関連付けられた車線に入るのに十分な空間があると結論づけ得る。１つの実施形態において、ホスト車両からターゲット車両への距離と、画像からのターゲット車両の位置に基づき、プロセッサはターゲット車両の速度を判定又は推定し得る。例えば、線Ｖ１及びＶ２に基づき、プロセッサは、既知の時間間隔ｔ２−ｔ１に関するターゲット車両３５０３の走行距離を判定し得る。したがって、ターゲット車両の速度が判定され得る。
【０３８４】
図３５Ｂに示すように、ホスト車両３５０１が時間ｔ１からｔ２の間に交差点に差し掛かる場合、ホスト車両３５０１からターゲット車両３５０３への距離が短くなり、画像３５１０内のターゲット車両３５０３のサイズも大きくなる。１つの実施形態において、プロセッサは下の式を使用して、ｔ１でのホスト車両３５０１からターゲット車両３５０３への距離Ｚ１と、ｔ２でのホスト車両３５０１からターゲット車両３５０３への距離Ｚ２とを判定し得る。
【数５】
2021517680.tif 000007
【数６】
2021517680.tif 000008
【０３８５】
式中、ｗ１はｔ１における画像３５１０内のターゲット車両３５０３のサイズを示し得、ｗ２はｔ２における画像３５１０内のターゲット車両３５０３のサイズを示し得、ｄＺはｔ１からｔ２の間のホスト車両３５０１の走行距離を示し得る。これは、上述の画像解析技術を使用してプロセッサにより検出され得る。ｄＺ値は、速度センサ（例えば速度計）からの情報により判定され得る。計算されたＺ１及びＺ２に基づいて、プロセッサはターゲット車両３５０３の車線位置を判定し得る。
【０３８６】
図３６Ａは、ホスト車両３６０１及びターゲット車両３６０３の両方が車線合流点に差し掛かかっている、多車線の別の例を示す。図３６Ｂは、それぞれＶ１及びＶ２によりマッピングされた時間ｔ１からｔ２でのターゲット車両３６０３の画像座標を示す。図３６Ａに示すように、カーブ車線３６０９が道路３６０７と合流する。プロセッサは、計算を単純にするため、カーブ車線３６０９を直線３６１３と近似し得る。プロセッサは下の式を使用して、ｔ１でのホスト車両３６０１からターゲット車両３６０３への距離Ｚ１と、ｔ２でのホスト車両３６０１からターゲット車両３６０３への距離Ｚ２とを判定し得る。
【数７】
2021517680.tif 000009
【数８】
2021517680.tif 000010
【０３８７】
式中、ｄＺはｔ１からｔ２の間のホスト車両３６０１の走行距離を示し得、ａは線３６１３と道路３６０７との間の角度を示し得、ｗ１はｔ１における画像３６１０内のターゲット車両３６０３のサイズを示し得、ｗ２はｔ２における画像３６１０内のターゲット車両３６０３のサイズを示し得る。１つの実施形態において、簡潔性のため、プロセッサは画像取込デバイス（例えば、カメラ）を仮想的に回転させて、光軸を車線Ｌ１とＬ２とに垂直となるようにし得る。これにより、ターゲット車両３６０３の動きが無視され得る。さらに、計算されたＺ１及びＺ２に基づき、プロセッサは、格納されたマップデータとの比較に基づく推定により、ターゲット車両３６０３の車線位置を判定し得る（例えば、どの車線軌跡がターゲット車両の観測された動き特徴に最も合うかを判定する）。
【０３８８】
１つの実施形態において、プロセッサは識別されたオブジェクトについてのスケール変化情報を判定し得る。スケール変化情報は、画像内の識別されたオブジェクトのサイズ変化情報を含み得る。例えば、画像３５１０において、プロセッサは画像内のターゲット車両３５０３（又はターゲット車両の識別可能部位、あるいは一部）のサイズが、ｔ１よりもｔ２において大きいかを判定し得る。スケール変化情報はさらに、画像内の識別されたオブジェクトの位置変化情報を含み得る。例えば、画像３５１０において、プロセッサは画像内の、ターゲット車両２５０３による、時間ｔ１からｔ２における右から左への移動を検出し得る。画像内のオブジェクトのサイズは、画素で表され得る。１つの実施形態において、画像のタイムスタンプに基づき、時間間隔が決定され得る。１つの実施形態において、スケール変化情報は、道路の車線構成に関する構成情報を含む。画像解析に基づき、プロセッサは道路の車線構成を判定し得る。構成は、車線の特徴を含み得る（例えば、直線車線、迂回路、２メートル幅車線、前方右折、など）。
【０３８９】
１つの実施形態において、上述のように、プロセッサは識別されたオブジェクトの判定された車線位置に基づき、所望のナビゲーション動作を決定し得る。例えば、ターゲット車両３５０３が図３５Ａの車線Ｌ２に位置すると判定された場合、プロセッサはホスト車両３５０１を左折させ安全にＬ１に進入させ得る。ターゲット車両３５０３が車線Ｌ１に位置すると判定された場合、プロセッサはホスト車両３５０１に減速し、左折するまで待機させ得る。別の例では、ターゲット車両３６０３が図３６Ａの車線Ｌ１に位置する場合、プロセッサはターゲット車両３６０３と衝突しないように、ホスト車両３６０１を減速させ得る。さらに上述のように、プロセッサはターゲット車両の判定された車線位置とＲＳＳ安全な距離に基づいて、ナビゲーション動作を決定し得る。
【０３９０】
図３７は、開示される実施形態と矛盾しない、ホスト車両のナビゲートのフローチャートである。段階３７０１において、プロセッサは、ホスト車両の環境を表す少なくとも１つの画像を画像取込デバイスから受信し得る。この画像は、画像取込デバイス１２２、１２４、及び／又は１２６から、ネットワーク又は通信経路を介して送られた未加工又は処理済みデータであり得る。データは、ある画像形式で記述されたものを含み得る。
【０３９１】
段階３７０３において、プロセッサは、複数の画像のうちの少なくとも１つを解析して、ホスト車両の環境内の第１オブジェクトを識別してよい。車両の環境内の第２オブジェクトにより、第１オブジェクト及び第１オブジェクトが位置する道路が少なくとも一部視認不能となっている。上述のように、画像３４１０、３５１０、３６１０はホスト車両の環境を示し得る。上述のように、プロセッサは例えば物体認識、画像セグメント化、特徴抽出、光学式文字認識（ＯＣＲ）、オブジェクトベース画像解析、形状領域技術、エッジ検出手法、画素ベース検出などを含む画像解析技術を使用して、画像を解析し、画像内のオブジェクトを識別し得る。例えば、解析に基づいて、プロセッサは第１ターゲット車両３５０３が遮蔽物３５０５画像３５１０により視認不能となっていると識別し得る。
【０３９２】
段階３７０５において、プロセッサは複数の画像のうちの少なくとも２つに基づいて、第１オブジェクトについてスケール変化情報を判定し得る。例えば、プロセッサは、ｔ１とｔ２の両方における、ターゲット車両３５０３の画像を含む画像３５１０を比較し得、画像内のターゲット車両３５０３のサイズ変化を判定し得る。
【０３９３】
段階３７０７において、第１オブジェクトについて判定されたスケール変化情報に基づいて、プロセッサは、第１オブジェクトが位置する道路の車線に対する第１オブジェクトの車線位置を判定し得る。上述のように、Ｚ１及びＺ２に基づき、プロセッサはターゲット車両の車線位置を判定し得る。
【０３９４】
段階３７０９において、プロセッサは、第１オブジェクトの判定された車線位置に基づいて、ホスト車両に対するナビゲーション動作を決定し得る。上述のように、例えば、ターゲット車両３５０３が図３５Ａの車線Ｌ２に位置すると判定されると、プロセッサはホスト車両３５０１を左折させ安全にＬ１に進入させ得る。ターゲット車両３５０３が車線Ｌ１に位置すると判定された場合、プロセッサはホスト車両３５０１に減速し、左折するまで待機させ得る。
【０３９５】
追跡軌跡に基づくターゲット車両の道路位置判定
【０３９６】
上述のように、取得画像内で、ターゲット車両は一部視認不能となり得る。そのような場合、格納されたスパースマップ情報との比較を利用して、検出されたターゲット車両までの距離が判定され得る。代替的に又はさらに、上述のように、検出されたターゲット車両の移動特徴（画像解析により観測）がスパースマップ情報に比較され、ターゲット車両が走行する走行車線、ターゲット車両の予期される進行方向などが推定され得る。
【０３９７】
上述のように１つの実施形態において、画像処理用のプロセッサは、ホスト車両の周囲環境を示す１又は複数の取得画像を受信し得る。１つの実施形態において、上述のように、プロセッサは画像セットに対して画像解析を実行して、画像セット内のオブジェクトを識別し得る。プロセッサは、複数の画像内のオブジェクト、道路セグメントに関連付けられた複数のランドマーク（例えば、道路標識）を識別し得る。オブジェクトは上記開示の技術のうちの任意のもので識別され得る。例えば、物体認識、画像セグメント化、特徴抽出、光学式文字認識（ＯＣＲ）、オブジェクトベース画像解析、形状領域技術、エッジ検出手法、画素ベース検出などである。
【０３９８】
１つの実施形態において、解析に基づいて、プロセッサは環境内の第１オブジェクト（例えば、ターゲット車両）を識別してよい。第１オブジェクトと、第１オブジェクトが位置する道路は、第２オブジェクト（例えば、遮蔽物、道路標識、環状交差点など）により一部視認不能となっている。図３８Ａは、道路セグメント上のオブジェクトに対するホスト車両３８０１の位置を示す。ホスト車両３８０１のプロセッサは、１又は複数の取得画像の解析により、ターゲット車両３８０３及び環状交差点３８０５を検出し得る。ホスト車両に対する判定された位置に基づいて、ホスト車両に関連付けられたプロセッサは上述のように、ホスト車両の環境に関連付けられたマップ情報を受信し得る。例えば、ホスト車両３８０１が走行する道路セグメントに関連付けられたスパースマップが、ホスト車両３８０１に提供され得る。
【０３９９】
図３８Ａは、時間ｔ１、ｔ２、ｔ３での、ターゲット車両３８０３及び環状交差点３８０５に対するホスト車両３８０１の位置を示す。ターゲット車両３８０３の取得画像の位置から、及び／又はターゲット車両に関連付けられたその他移動特徴（例えば、取得画像間のオブジェクト拡縮など）に基づいて、プロセッサはターゲット車両３８０３についての軌跡（例えば、時間ｔ１から時間ｔ３までの間にターゲット車両が走行した追跡軌跡）を判定し得る。環状交差点に進入したターゲット車両３８０３は、右折し得る。初期転向角は、右（時間ｔ１及びｔ２での元の走行方向に対して）に約９０度であり得る。さらに、ターゲット車両は、環状交差点の周りを走行するとき、環状交差点から出るまで左折し続ける。図３８Ｂは、時間ｔ２とその後の時間ｔ３で、画像取込デバイスからホスト車両３８０１のプロセッサが受信した２つの異なる画像を表す、例示的合成画像を示す。画像が合成されることで、時間ｔ２から時間ｔ３までの間のターゲット車両３８０３の進みが示される。ターゲット車両３８０３は、遮蔽物３８０５により一部視認不能となっている。
【０４００】
上述のように、ｔ１からｒ３の間に取り込まれた画像に基づき、プロセッサは画像内のターゲット車両３８０３のサイズ（又は幅（ｗ））の変化を追跡し得る。プロセッサは、ターゲット車両の走行方向も追跡し得る。この情報から、ターゲット車両について、一部視認不能であっても、走行経路が判定され得る。判定された走行経路を、スパースマップ内に格納された車線軌跡と比較することで、格納された車線軌跡のうち、ターゲット車両の、画像解析から判定された走行経路に一致するものが判定され得る。走行車線をこのように確認することで、ホスト車両ナビゲーションプロセッサは、先の時間におけるターゲット車両の予期される走行経路を判定し、検出されたターゲット車両について判定された走行車線に関して、ホスト車両に対するナビゲーション動作を決定可能となり得る。
【０４０１】
図３８Ｃは、画像内のターゲット車両３８０３の位置（ｘ）と幅（ｗ）との間の関係を示す図である。図示のとおり、ターゲット車両３８０３が環状交差点に入る位置で、変曲点が生じ得る。変曲点に基づいて、プロセッサは変曲点が生じた時間で撮像された画像を選択し得る。上述の画像解析に基づいて、プロセッサはホスト車両３８０１からターゲット車両３８０８までの距離Ｚを判定し得る。判定された距離Ｚ及び画像幅（ｗ）に基づいて、プロセッサは実際の車両幅Ｗを、上述の式を利用して計算し得る。画像内の幅（ｗ）と実際の幅Ｗの両方が判定されると、プロセッサは画像解析で画像幅（ｗ）が判定された任意の点で、ホスト車両３８０１からターゲット車両３８０３までの距離Ｚを計算し得る。ホスト車両からターゲット車両への距離を判定するための上述の方法は、画像幅（ｗ）と画像位置（ｘ）との間の関係を示す図において、変曲点が生じる任意のターゲット車両軌跡に適用され得る。
【０４０２】
図３９Ａは、一例における、ターゲット車両３９０３、環状交差点３９０５、及び遮蔽物３９０７に対するホスト車両３９０１の位置を示す。図３９Ｂは、ホスト車両３９０１のプロセッサが画像取込デバイスから受信した１つの画像を示す。１つの実施形態において、プロセッサはターゲット車両３９０３の車線位置を判定し得る。即ち、ターゲット車両３９０３が内側車線（Ｔ１）にあるか、外側車線（Ｔ２）にあるかなどである。格納されたスパースマップ情報に基づいて、プロセッサは図３９Ａに示すように、ホスト車両の現在位置から、車線Ｔ１及びＴ２の間の車線分離帯の既知の中心位置までの接線を生成し得る。この接線を使用して図３９Ｂに示す取り込まれた画像を解析することで、プロセッサはターゲット車両３９０３の車線位置を判定し得る。例えば、ターゲット車両３９０３が画像内の接線の左側にある場合、プロセッサはターゲット車両３９０３が外側車線（Ｔ２）にあると判定し得る。ターゲット車両３９０３が画像内の接線の右側にある場合、プロセッサはターゲット車両３９０３が内側車線（Ｔ１）にあると判定し得る。ターゲット車両の車線位置を判定するための上述の方法は、任意の多車線カーブ又は環状交差点に適用され得る。
【０４０３】
図４０Ａは、ターゲット車両４００３に接近しているホスト車両４００１が遮蔽物４００７により一部視認不能となっている別の例を示す。図４０Ｂは、ホスト車両に関連付けられた画像取込デバイスからプロセッサが受信する例示的画像を示す。開示される実施形態と矛盾することなく、プロセッサはホスト車両４００１の画像取込デバイスにより取り込まれた画像４０１０を受信し得る。画像４０１０に示すように、ターゲット車両４００３の底部が遮蔽物４００７で視認不能となっている。取得画像の解析に基づいて、プロセッサは、ターゲット車両４００３が、線Ｖ１に沿った正確な位置は不明でも、ホスト車両に対して線Ｖ１に沿って位置すると判定し得る。ターゲット車両４００３の実際の位置を判定するため、プロセッサはホスト車両４００１からターゲット車両４００３までの距離（例えばＺ１又はＺ２）を仮定し得る。プロセッサは、上述のように、２つ又はそれよりも多くの取り込まれた画像間の、ターゲット車両４００３の観測された移動特徴を監視し、それぞれターゲット車両の異なる観測軌跡に関連付けられ得る各仮定距離（例えば、Ｚ１又はＺ２）について、ターゲット車両の観測軌跡を判定し得る。プロセッサはターゲット車両についての観測軌跡を、遮蔽物４００７の反対側の、走行可能な車線と、それに関連付けられた軌跡とを示す、格納されたマップ情報に比較し得る。この比較により、プロセッサは仮定軌跡のうち、よる可能性の高いものを判定し得る（例えば、格納されたマップに表される実際の車線及び軌跡値に最も合うもの）。場合によっては、プロセッサは、ターゲット車両についての特定の仮定軌跡がターゲット車両の実際の軌跡に一致するかについての信頼度（又はその他数値）に応じて、各仮定軌跡をランク付けし得る（例えば、利用可能又は関連するマッピング軌跡に最も一致する観測された軌跡はどれか）。
【０４０４】
一例では、図４０Ａに示すように、ターゲット車両の実際位置がＴ１の場合、ターゲット車両の経路Ｚ１からＺ１'が車線Ｌ１に平行になる。言い換えると、車両４００３がホスト車両から距離Ｚ１にあると仮定され、ホスト車両が２つ又はそれよりも多くの取り込まれた画像の間の車両４００３の移動特徴を観測すると、ホスト車両のプロセッサは、ターゲット車両の画像表現が、格納されたマップに表される経路Ｌ１に沿って移動するターゲット車両に合わせて変化したと判定し得る。一方、プロセッサが、ターゲット車両がホスト車両から距離Ｚ２離れていると仮定すると（例えば、ターゲット車両位置４００５）、ターゲット車両の画像表現内の観測された変化は経路Ｌ１とも経路Ｌ２とも異なる軌跡となる。例えば、Ｚ２開始距離に基づく観測軌跡は、Ｚ２からＺ２'まで延在し得る。この経路は、経路Ｌ１又はＬ２のいずれにも平行とならない。その結果、ホスト車両のプロセッサは、距離Ｚ２の仮定に基づく観測軌跡がマップに格納されたいずれの有効軌跡にも一致しないため、ターゲット車両が距離Ｚ２にないと判定できる。一方、距離Ｚ１に関連付けられた観測軌跡はマップに格納された有効軌跡に一致するため、プロセッサはターゲット車両がホスト車両から距離Ｚ１にあり、経路Ｌ１に沿って走行すると判定し得る。
【０４０５】
この解析に基づき、経路Ｌ１が、一部視認不能な車両４００３の実際の軌跡に対する、最も可能性の高い候補として考えられ得る。マップデータはさらに、当該道路区間又は同様の道路区間について、クラウドソーシングから蓄積された、格納された「可能性の高い経路」情報も含み得る。この場合、初期軌跡判定が不正確であって、正しい経路がＺ２からＺ２'である場合、車両は車線変更動作処理中であり得る。ある時点で、車両はＬ１上にあることとなり、その時、上述の処理を繰り返すことで、ターゲット車両が現在経路Ｌ１に沿って走行していると判定される。これは、上述の状況に対する包括的な解決方法を呈し得る。例えば、図３８Ａにおけるターゲット車両が追跡され、様々な距離が仮定された場合に、マップデータに正確に沿うのは仮定されたうちの１つのみとなる。特定の経路の尤度の推定に、機械学習方法が利用され得る。図４０Ａを再度参照すると、ＲＳＳフレームワークによって、Ｖ１に沿ったターゲット車両の任意の位置に対して、自車両が安全であることを示す。しかしながら、ＣＲＳＳフレームワーク（例えば、緩衝距離がホスト車両の責任となる衝突が起きないことを保証する最短安全距離よりも長い）は、最も尤度の高い位置を仮定できる。
【０４０６】
概して、プロセッサは上述のように、２つ又はそれよりも多くの取り込まれた画像間の、ターゲット車両４００３の観測移動特徴を監視し、ターゲット車両の１又は複数の推定軌跡を判定し得る。観測されたターゲット軌跡を、遮蔽物４００７の反対側の走行可能な車線とそれに関連付けられた軌跡を示す、格納されたマップ情報に比較することで、プロセッサはターゲット車両が通過している利用可能な車線がいずれかを判定可能である。例えば、プロセッサは、ターゲット車両４００３の観測された動き（例えば、拡縮など）が軌跡Ｌ１に一致するが、軌跡Ｌ２には一致しないと判定し得る。
【０４０７】
上述のように、プロセッサは次の式からホスト車両４００１からターゲット車両４００３までの距離を判定し得る。
【数９】
2021517680.tif 000011
【０４０８】
式中、ｗはｔ１での画像内のターゲット車両４００３の幅を示し、ｗ'はｔ２での画像内のターゲット車両４００３の幅を示す。
【０４０９】
例えば、画像４０１０ａから、プロセッサはＺ１＝４０メートル、Ｚ２＝４４メートル、車線幅＝４メートルと判定し得る。予測に基づき、ターゲット車両４００３が車線Ｌ２で横方向に移動する状況で、プロセッサは、Ｚ１'＝３０メートル、Ｚ２'＝３３メートルと判定し得る。
【０４１０】
したがって、Ｚ２'が３２メートルと予測されると、プロセッサはターゲット車両４００３が車線Ｌ２の中心から車線Ｌ１へ１メートルずれたと判定し得る。又はＺ２'が３５メートルと予測されると、プロセッサはターゲット車両４００３が車線Ｌ２から逸れたと判定し得る。
【０４１１】
上述のように、プロセッサは格納されたマップ情報を受信し、距離Ｚ１＝４０メートルがマッピング情報に一致するか判定し得る。距離が格納されたマップ情報に一致する場合、ターゲット車両（例えば、ターゲット車両４００３）の軌跡が、車線Ｌ１に対応すると確認され得る。この方法は、交差点、環状交差点、又はその他任意の道路セグメント構造における、ターゲット車両走行車線の推定にも適用され得る。１つの実施形態において、ホスト車両に関連付けられたプロセッサは、取り込まれた画像内のオブジェクト表現の、前から後への遠近感又は順番にも基づいて、例えばターゲット車両について走行車線を推定し得る。例えば、図４０Ｃはターゲット車両４００３がターゲット車両４００５を視認不能にしている、取り込まれた画像を表す。ホスト車両プロセッサは、取り込まれた画像を解析すると、取り込まれた画像内で車両４００３が車両４００５を視認不能にしているという事実に基づき、ターゲット車両４００３がターゲット車両４００５よりもホスト車両に近いと判定し得る。この情報に基づいて、ホスト車両プロセッサは、車両４００５が車両４００３よりもホスト車両から遠くで走行していると推定し得る。この推定を格納されたマップ情報と比較することで、ホスト車両プロセッサは、遮蔽物４００７により一部視認不能になっていたとしても、各ターゲット車両４００３及び４００５が走行中の、走行可能な走行車線を判定可能となる。
【０４１２】
図４１は、開示される実施形態と矛盾しない、ホスト車両をナビゲートするための例示的方法を表すフローチャートである。段階４１０１において、プロセッサは、ホスト車両の環境を表す少なくとも１つの画像を画像取込デバイスから受信し得る。この画像は、画像取込デバイス１２２、１２４、及び／又は１２６から、ネットワーク又は通信経路を介して送られた未加工又は処理済みデータであり得る。
【０４１３】
段階４１０３において、プロセッサは、複数の画像のうちの少なくとも１つを解析して、ホスト車両の環境内のターゲット車両を識別してよい。上述のように、画像３８１０、３９１０、及び４０１０は、ホスト車両の環境を示し得る。上述のように、プロセッサは画像を解析して、画像解析技術を使用して画像内のオブジェクトを識別し得る。例えば、解析に基づき、プロセッサはターゲット車両３９０３、環状交差点３９０５、及び遮蔽物３９０７を識別し得る。
【０４１４】
段階４１０５において、プロセッサはホスト車両の環境に関連付けられたマップ情報を受信し得る。例えば、プロセッサはホスト車両の位置を判定し、判定された位置に関連するマップ情報を取得し得る。例えば、判定されたホスト車両位置に基づいて、プロセッサは、特定の位置を含む、又は判定された位置に関連するマップ情報を取得し得る。マップ情報は、走行可能な車線のターゲット軌跡、ランドマークのタイプ及び位置、オブジェクトの種類及び位置、道路構造、高度情報、車線幅、及び／又は制限速度などを含み得る。
【０４１５】
段階４１０７において、プロセッサは、検出されたターゲット車両の、ある期間内での軌跡を、複数の取り込まれた画像の解析に基づいて判定し得る。上述のように、プロセッサは、受信画像内の識別されたオブジェクト（例えばターゲット車両）の動きを監視し得る。即ち、プロセッサは、画像内のターゲット車両のサイズと位置を追跡し、ターゲット車両が３次元マップ（例えば、画像２９１０）のどこにあるかを推定し得る。例えば、プロセッサはターゲット車両が直進、右折、その後左折していると判定すると、ターゲット車両が環状交差点に進入していると判定し得る。
【０４１６】
段階４１０９において、プロセッサは、ターゲット車両の判定された軌跡と、マップ情報とに基づいて、ホスト車両の環境内の道路に対するターゲット車両の位置を判定し得る。１つの実施形態において、プロセッサは、ターゲット車両が走行した軌跡を示し得る３次元マップとの比較するものとして、ターゲット車両の判定された軌跡を使用し得る。比較に基づき、プロセッサはターゲット車両の判定された軌跡を、マップからの軌跡に対して検証し、ターゲット車両についての妥当な状況に資する軌跡がどれかを判定し得る。プロセッサはさらに、マップ内の軌跡のうち、どれがターゲット車両の観測された軌跡に最も合うかも推測し得る。
【０４１７】
段階４１１１において、プロセッサは、ターゲット車両の判定された位置、及び／又はターゲット車両の判定された軌跡又は走行車線に基づいて、ホスト車両に対するナビゲーション動作を決定し得る。上述の情報に基づき、プロセッサはターゲット車両の位置特定を、その軌跡に沿って実現し得る。位置特定に基づき、プロセッサはホスト車両からターゲット車両への距離を判定し得る。次にプロセッサは判定された距離に基づいて、様々なナビゲーション応答（例えば、ＲＳＳ安全距離を維持するためなど）を判定し得る。あるいは、上述のように、ターゲット車両の車線位置に基づき、プロセッサはターゲット車両と衝突しないように、ホスト車両に左折させないようにし得る。場合によっては、ホスト車両プロセッサは、格納マップ内の判定されたターゲット車両が走行すると判定されたターゲット軌跡の判定に基づき、ターゲット車両について、予想進行方向を判定し得る。ホスト車両プロセッサはこのターゲット車両の進行方向に基づき、ホスト車両に必要な、１又は複数のナビゲーション変更（例えばブレーキ、車線変更など）を判定し得る。
【０４１８】
ターゲット車両の一部（特に、下部及びその路面との接点）が視認不能であると、車両まで、又はターゲット車両がある車線への距離の判定が困難となり得る。この問題を解決するため、上述のシステムは、観測された経時的スケール変化と、既知の道路車線構成に基づいて、一部視認不能ターゲット車両の車線位置を判定し得る。例えば、スケール変化と車線構成は、道路の車線の有効車両軌跡にスケール変化が一致する車線を判定するため、互いに比較又は検証可能である。その後、判定された車線情報を使用して、車線に基づくナビゲーション応答を生成可能である。
【０４１９】
システムはさらに距離を推定し、その推定距離情報を使用して、ナビゲーション判断を下すことが可能である。例えば、ターゲット車両が環状交差点に入る際、先の道路の特定カーブを曲がる際などに、ターゲット車両への距離を判定又は少なくとも推定するため、格納されたマップ軌跡を、画像解析によるターゲット車両検出と組み合わせて使用可能である。例えばこの距離情報は、環状交差点に入るか、又は安全に通過できるかを判断するのに使用可能である。図４２に示す例を参照すると、ホスト車両４２０２が、車両４２０４の後ろを走行し、その環境の画像を取り込む。これら取得画像の解析に基づき、ホスト車両４２０２に関連付けられたプロセッサは、前方の道路のカーブに入る準備中の、少なくとも１つの接近ターゲット車両４２０６を識別し得る。画像解析により、ターゲット車両４２０６がホスト車両４２０２に対して、視線Ｖ１に沿って位置すると判定可能となり得る。しかし、線Ｖ１に沿ったターゲット車両の絶対位置又はそこまでの距離は未知であり得る。しかし、格納されたマップ情報を使用して、ホスト車両４２０２は軌跡Ｌ１に対する自車両の位置特定をし得る。プロセッサは、線Ｖ１と、検出された接近ターゲット車両４２０６の有効な走行車線に関連付けられた軌跡Ｌ２との間の交点を判定し得る。ホスト車両４２０２の特定位置と、視線Ｖ１と検出されたターゲット車両の軌跡Ｌ２との交点により、ホスト車両プロセッサはホスト車両と、検出されたターゲット車両との間の距離を判定し得る。この距離情報は、適切なナビゲーション動作の決定に使用され得る（例えば、車両４２０４を追い抜くのに十分な空間があるか）。Ｖ１とは異なる別の視線を使用して、（例えば、ホスト車両とターゲット車両の両方がカーブ４２０８に向かって走行する際に）測定を繰り返すことで、接近車両速度が判定可能となる。例えば、ホスト車両は、軌跡Ｌ２と自視線との２つの異なる交点を判定し得、この２つの交点間の距離を判定し得、画像取得間の既知の時間を使用して、ターゲット車両４２０６が第１マップ／視線交点から、第２マップ／視線交点まで移動するのにかかった時間を判定し得る。これにより、車両速度が計算可能となり得る。
【０４２０】
上記の説明は、例示の目的のために提示されている。正確な形式又は開示される実施形態に対して網羅的ではなく、限定されることはない。開示される実施形態の明細書及び慣例の考慮から、修正及び適応が当業者に明らかとなる。さらに、開示される実施形態の態様は、メモリに格納されているものとして説明されているが、当業者であれば、これらの態様が、二次ストレージデバイスなどの他のタイプのコンピュータ可読媒体、例えば、ハードディスク又はＣＤ−ＲＯＭ、又は、他の形式のＲＡＭ又はＲＯＭ、ＵＳＢメディア、ＤＶＤ、Ｂｌｕ−ｒａｙ（登録商標）、４Ｋ  Ｕｌｔｒａ  ＨＤ  Ｂｌｕ−ｒａｙ又は他の光ドライブメディアに格納されることもできる。
【０４２１】
記載される説明及び開示される方法に基づくコンピュータプログラムは、経験のある開発者の技術の範囲内にある。様々なプログラム又はプログラムモジュールは、当業者に知られる技術のいずれかを用いて生成されてよく、又は既存のソフトウェアに関連して設計されてよい。例えば、プログラムセクション又はプログラムモジュールは、Ｎｅｔ  Ｆｒａｍｅｗｏｒｋ、Ｎｅｔ  Ｃｏｍｐａｃｔ  Ｆｒａｍｅｗｏｒｋ（及び、Ｖｉｓｕａｌ  Ｂａｓｉｃ、Ｃなど関連する言語）、Ｊａｖａ（登録商標）、Ｃ＋＋、Ｏｂｊｅｃｔｉｖｅ−Ｃ、ＨＴＭＬ、ＨＴＭＬ／ＡＪＡＸの組み合わせ、ＸＭＬ、又は、Ｊａｖａ（登録商標）アプレットに含まれるＨＴＭＬにおいて、又は、それらによって、設計され得る。
【０４２２】
さらに、本明細書において、例示的な実施形態が説明されてきたが、同等の要素、修正、省略、（例えば、様々な実施形態にわたる態様の）組み合わせ、適応及び／又は改変を有する任意及びすべての実施形態の範囲は、本開示に基づいて当業者により理解される。特許請求の範囲における限定は、特許請求の範囲において使用される言語に基づいて広く解釈され、本願の明細書又は本願の手続き中に説明される例に限定されることはない。例は、非限定的なものとして解釈されるべきである。さらに、開示される方法の段階は、段階を並べ替えること、及び／又は、段階を挿入又は削除することを含めて、任意の手法で修正されてよい。したがって、本明細書及び事例は例示するだけのものととらえられるべきであり、真の範囲及び精神が以下の特許請求の範囲及びその均等物の全範囲によって示されることが意図される。
［項目１］
ホスト車両をナビゲートするためのシステムであって、上記システムは、
少なくとも１つの処理デバイスであって、
画像取込デバイスから、上記ホスト車両の環境を表す少なくとも１つの画像を受信することと、
上記少なくとも１つの画像を解析して、上記ホスト車両の上記環境内のオブジェクトを識別することと、
上記ホスト車両の位置を判定することと、
上記ホスト車両の上記判定された位置に関連付けられたマップ情報であって、上記ホスト車両の上記環境に関連付けられた高度情報を含む、マップ情報を受信することと、
少なくとも上記高度情報に基づいて、上記ホスト車両から上記オブジェクトまでの距離を判定することと、
上記判定された距離に基づいて、上記ホスト車両に対するナビゲーション動作を決定することと、
を行うようにプログラミングされる少なくとも１つの処理デバイスを備える、システム。
［項目２］
上記高度情報は、上記ホスト車両の上記位置に対する高度の少なくとも１つのインジケーションを含む、項目１に記載のシステム。
［項目３］
上記高度情報は、上記ホスト車両の上記位置から離れる方向に延在する道路の高度プロファイルを含む、項目１に記載のシステム。
［項目４］
上記ホスト車両から上記オブジェクトまでの上記距離の判定は、上記少なくとも１つの画像の解析にさらに基づく、項目１に記載のシステム。
［項目５］
上記ホスト車両から上記オブジェクトまでの上記距離の判定は、上記ホスト車両の上記位置にさらに基づく、項目１に記載のシステム。
［項目６］
上記ホスト車両の上記位置の判定は、上記ホスト車両の少なくとも１つのセンサの出力に基づく、項目１に記載のシステム。
［項目７］
上記少なくとも１つのセンサは、ＧＰＳデバイス、速度センサ、又は加速度計を含む、項目６に記載のシステム。
［項目８］
上記ホスト車両の上記位置の判定は、道路セグメントに沿った上記ホスト車両のターゲット軌跡を表す予め定められた３次元スプラインに沿った、上記ホスト車両の位置の予測に基づき、上記予め定められた３次元スプラインに沿った上記ホスト車両の上記位置の上記予測は、少なくとも１つの認識されたランドマークの観測位置に基づく、項目１に記載のシステム。
［項目９］
上記ホスト車両から上記オブジェクトまでの上記距離の判定は、上記ホスト車両の少なくとも１つのセンサの出力にさらに基づく、項目１に記載のシステム。
［項目１０］
上記少なくとも１つのセンサは、ＧＰＳデバイス、速度センサ、又は加速度計を含む、項目９に記載のシステム。
［項目１１］
上記ナビゲーション動作は、上記ホスト車両のナビゲーションアクチュエータの少なくとも１つの調節を実行させることを含む、項目１に記載のシステム。
［項目１２］
上記ナビゲーションアクチュエータは、上記ホスト車両のステアリング機構と、ブレーキと、アクセルのうちの少なくとも１つを含む、項目１１に記載のシステム。
［項目１３］
上記オブジェクトはターゲット車両を含む、項目１に記載のシステム。
［項目１４］
ホスト車両をナビゲートするための方法であって、
画像取込デバイスから、上記ホスト車両の環境を表す少なくとも１つの画像を受信する段階と、
上記少なくとも１つの画像を解析して、上記ホスト車両の上記環境内のオブジェクトを識別する段階と、
上記ホスト車両の位置を判定する段階と、
上記ホスト車両の上記判定された位置に関連付けられたマップ情報であって、上記ホスト車両の上記環境に関連付けられた高度情報を含む、マップ情報を受信する段階と、
少なくとも上記高度情報に基づいて、上記ホスト車両から上記オブジェクトまでの距離を判定する段階と、
上記判定された距離に基づいて、上記ホスト車両に対するナビゲーション動作を決定する段階と、
を備える、方法。
［項目１５］
上記高度情報は、上記ホスト車両の上記位置に対する高度の少なくとも１つのインジケーションを含む、項目１４に記載の方法。
［項目１６］
上記高度情報は、上記ホスト車両の上記位置から離れる方向に延在する道路の高度プロファイルを含む、項目１４に記載の方法。
［項目１７］
上記ホスト車両から上記オブジェクトまでの上記距離の判定は、上記少なくとも１つの画像の解析にさらに基づく、項目１４に記載の方法。
［項目１８］
上記ホスト車両から上記オブジェクトまでの上記距離の判定は、上記ホスト車両の上記位置にさらに基づく、項目１４に記載の方法。
［項目１９］
上記ホスト車両の上記位置の判定は、上記ホスト車両の少なくとも１つのセンサの出力に基づく、項目１４に記載の方法。
［項目２０］
上記少なくとも１つのセンサは、ＧＰＳデバイス、速度センサ、又は加速度計を含む、項目１９に記載の方法。
［項目２１］
ホスト車両をナビゲートするためのシステムであって、上記システムは、
少なくとも１つの処理デバイスであって、
画像取込デバイスから、上記ホスト車両の環境を表す少なくとも１つの画像を受信することと、
上記少なくとも１つの画像を解析して、上記ホスト車両の上記環境内のオブジェクトを識別することと、
上記ホスト車両の位置を判定することと、
上記ホスト車両の上記判定された位置に関連付けられたマップ情報であって、上記ホスト車両の上記環境内の道路に関連付けられた車線幅情報を含む、マップ情報を受信することと、
少なくとも上記車線幅情報に基づいて、上記ホスト車両から上記オブジェクトまでの距離を判定することと、
上記判定された距離に基づいて、上記ホスト車両に対するナビゲーション動作を決定することと、
を行うようにプログラミングされる少なくとも１つの処理デバイスを備える、システム。
［項目２２］
上記車線幅情報は、上記道路の長さに沿った車線幅プロファイルを含む、項目２１に記載のシステム。
［項目２３］
上記車線幅情報は、車線幅変化シグネチャを含む、項目２１に記載のシステム。
［項目２４］
上記車線幅情報は、上記道路の基準点に対する距離を含む、項目２１に記載のシステム。
［項目２５］
上記ホスト車両から上記オブジェクトまでの上記距離の判定は、上記少なくとも１つの画像の解析にさらに基づく、項目２１に記載のシステム。
［項目２６］
上記ホスト車両から上記オブジェクトまでの上記距離の判定は、上記ホスト車両の上記位置にさらに基づく、項目２１に記載のシステム。
［項目２７］
上記ホスト車両の上記位置の判定は、上記ホスト車両の少なくとも１つのセンサの出力に基づく、項目２１に記載のシステム。
［項目２８］
上記少なくとも１つのセンサは、ＧＰＳデバイス、速度センサ、又は加速度計を含む、項目２７に記載のシステム。
［項目２９］
上記ホスト車両の上記位置の判定は、道路セグメントに沿った上記ホスト車両のターゲット軌跡を表す予め定められた３次元スプラインに沿った、上記ホスト車両の位置の予測に基づき、上記予め定められた３次元スプラインに沿った上記ホスト車両の上記位置の上記予測は、少なくとも１つの認識されたランドマークの観測位置に基づく、項目２１に記載のシステム。
［項目３０］
上記ホスト車両から上記オブジェクトまでの上記距離の判定は、上記ホスト車両の少なくとも１つのセンサの出力にさらに基づく、項目２１に記載のシステム。
［項目３１］
上記少なくとも１つのセンサは、ＧＰＳデバイス、速度センサ、又は加速度計を含む、項目３０に記載のシステム。
［項目３２］
上記ナビゲーション動作は、上記ホスト車両のナビゲーションアクチュエータの少なくとも１つの調節を実行させることを含む、項目２１に記載のシステム。
［項目３３］
上記ナビゲーションアクチュエータは、上記ホスト車両のステアリング機構と、ブレーキと、アクセルのうちの少なくとも１つを含む、項目３２に記載のシステム。
［項目３４］
上記オブジェクトはターゲット車両を含む、項目２１に記載のシステム。
［項目３５］
ホスト車両をナビゲートするための方法であって、
画像取込デバイスから、上記ホスト車両の環境を表す少なくとも１つの画像を受信する段階と、
上記少なくとも１つの画像を解析して、上記ホスト車両の上記環境内のオブジェクトを識別する段階と、
上記ホスト車両の位置を判定する段階と、
上記ホスト車両の上記判定された位置に関連付けられたマップ情報であって、上記ホスト車両の上記環境内の道路に関連付けられた車線幅情報を含む、マップ情報を受信する段階と、
少なくとも上記車線幅情報に基づいて、上記ホスト車両から上記オブジェクトまでの距離を判定する段階と、
上記判定された距離に基づいて、上記ホスト車両に対するナビゲーション動作を決定する段階と、
を備える、方法。
［項目３６］
上記車線幅情報は、上記道路の長さに沿った車線幅プロファイルを含む、項目３５に記載の方法。
［項目３７］
上記車線幅情報は、車線幅変化シグネチャを含む、項目３５に記載の方法。
［項目３８］
上記車線幅情報は、上記道路の基準点に対する距離を含む、項目３５に記載の方法。
［項目３９］
上記ホスト車両から上記オブジェクトまでの上記距離の判定は、上記少なくとも１つの画像の解析にさらに基づく、項目３５に記載の方法。
［項目４０］
上記ホスト車両から上記オブジェクトまでの上記距離の判定は、上記ホスト車両の上記位置にさらに基づく、項目３５に記載の方法。
［項目４１］
ホスト車両をナビゲートするためのシステムであって、上記システムは、
少なくとも１つの処理デバイスであって、
画像取込デバイスから、上記ホスト車両の環境を表す複数の画像を受信することと、
上記複数の画像のうちの少なくとも１つを解析して、上記車両の上記環境内の第１オブジェクトを識別することであって、上記車両の上記環境内の第２オブジェクトにより、上記第１オブジェクト及び上記第１オブジェクトが位置する道路が少なくとも一部視認不能となっている、識別することと、
上記複数の画像のうちの少なくとも２つに基づいて、上記第１オブジェクトについてのスケール変化情報を判定することと、
上記第１オブジェクトについての上記判定されたスケール変化情報に基づいて、上記第１オブジェクトが位置する上記道路の車線に対する、上記第１オブジェクトの車線位置を判定することと、
上記第１オブジェクトの上記判定された車線位置に基づいて、上記ホスト車両に対するナビゲーション動作を決定することと、
を行うようにプログラミングされる少なくとも１つの処理デバイスを備える、システム。
［項目４２］
上記第１オブジェクトについての上記スケール変化情報は、ある期間に対する、上記第１オブジェクトの画像表現のサイズの変化を含む、項目４１に記載のシステム。
［項目４３］
上記第１オブジェクトの上記車線位置を判定することは、上記スケール変化情報を、上記道路の１又は複数の車線に関連付けられた、予期されるスケール変化と比較することをさらに含む、項目４１に記載のシステム。
［項目４４］
上記スケール変化情報は、上記道路の車線構成に関する構成情報を含む、項目４３に記載のシステム。
［項目４５］
上記ナビゲーション動作は、上記ホスト車両のナビゲーションアクチュエータの少なくとも１つの調節を実行させることを含む、項目４１に記載のシステム。
［項目４６］
上記ナビゲーションアクチュエータは、上記ホスト車両のステアリング機構と、ブレーキと、アクセルのうちの少なくとも１つを含む、項目４５に記載のシステム。
［項目４７］
上記第１オブジェクトは第１ターゲット車両を含む、項目４１に記載のシステム。
［項目４８］
上記第２オブジェクトは第２ターゲット車両を含む、項目４１に記載のシステム。
［項目４９］
上記第２オブジェクトは、上記第１オブジェクトの下部を少なくとも一部視認不能にする、項目４１に記載のシステム。
［項目５０］
上記第１オブジェクトは車両を含み、上記複数の画像内で、上記車両のタイヤが視認不能となっており、表示されない、項目４１に記載のシステム。
［項目５１］
上記第１オブジェクトは車両を含み、上記複数の画像内で、上記車両の上部のみが視認可能で、表示される、項目４１に記載のシステム。
［項目５２］
ホスト車両をナビゲートするための方法であって、
画像取込デバイスから、上記ホスト車両の環境を表す複数の画像を受信する段階と、
上記複数の画像のうちの少なくとも１つを解析して、上記車両の上記環境内の第１オブジェクトを識別することであって、上記車両の上記環境内の第２オブジェクトにより、上記第１オブジェクト及び上記第１オブジェクトが位置する道路が少なくとも一部視認不能となっている、識別する段階と、
上記複数の画像のうちの少なくとも２つに基づいて、上記第１オブジェクトについてのスケール変化情報を判定する段階と、
上記第１オブジェクトについての上記判定されたスケール変化情報に基づいて、上記第１オブジェクトが位置する上記道路の車線に対する、上記第１オブジェクトの車線位置を判定する段階と、
上記第１オブジェクトの上記判定された車線位置に基づいて、上記ホスト車両に対するナビゲーション動作を決定する段階と、
を備える、方法。
［項目５３］
上記第１オブジェクトについての上記スケール変化情報は、ある期間に対する、上記第１オブジェクトの画像表現のサイズの変化を含む、項目５２に記載の方法。
［項目５４］
上記第１オブジェクトの上記車線位置を判定する段階は、上記スケール変化情報を、上記道路の１又は複数の車線に関連付けられた、予期されるスケール変化と比較する段階をさらに含む、項目５２に記載の方法。
［項目５５］
上記スケール変化情報は、上記道路の車線構成に関する構成情報を含む、項目５４に記載の方法。
［項目５６］
上記ナビゲーション動作は、上記ホスト車両のナビゲーションアクチュエータの少なくとも１つの調節を実行させることを含む、項目５２に記載の方法。
［項目５７］
上記ナビゲーションアクチュエータは、上記ホスト車両のステアリング機構と、ブレーキと、アクセルのうちの少なくとも１つを含む、項目５６に記載の方法。
［項目５８］
上記第１オブジェクトは第１ターゲット車両を含む、項目５２に記載の方法。
［項目５９］
上記第２オブジェクトは第２ターゲット車両を含む、項目５２に記載の方法。
［項目６０］
上記第２オブジェクトは、上記第１オブジェクトの下部を少なくとも一部視認不能にする、項目５２に記載の方法。
［項目６１］
ホスト車両をナビゲートするためのシステムであって、上記システムは、
少なくとも１つの処理デバイスであって、
画像取込デバイスから、上記ホスト車両の環境を表す複数の画像を受信することと、
上記複数の画像のうちの少なくとも１つを解析して、上記ホスト車両の上記環境内のターゲット車両を識別することと、
上記ホスト車両の環境に関連付けられたマップ情報を受信することと、
上記複数の画像の解析に基づいて、上記ターゲット車両の、ある期間内での軌跡を判定することと、
上記ターゲット車両の上記判定された軌跡及び上記マップ情報に基づいて、上記ホスト車両の上記環境内の道路に対する、上記ターゲット車両の位置を判定することと、
上記ターゲット車両の上記判定された位置に基づいて、上記ホスト車両に対するナビゲーション動作を決定することと、
を行うようにプログラミングされる少なくとも１つの処理デバイスを備える、システム。
［項目６２］
上記ターゲット車両の、上記期間内での上記軌跡の判定は、上記ホスト車両の少なくとも１つのナビゲーションセンサの出力にさらに基づく、項目６１に記載のシステム。
［項目６３］
上記少なくとも１つのナビゲーションセンサは、ＧＰＳデバイス、速度センサ、又は加速度計を含む、項目６２に記載のシステム。
［項目６４］
上記道路に対する上記ターゲット車両の上記位置を判定することは、上記ターゲット車両の上記軌跡に関連付けられた１又は複数の変曲点の解析と、上記マップ情報に表示される１又は複数の道路の軌跡に対する、上記１又は複数の変曲点の比較を含む、項目６１に記載のシステム。
［項目６５］
上記道路に対する上記ターゲット車両の上記位置の判定は、ＧＰＳ情報にさらに基づく、項目６１に記載のシステム。
［項目６６］
上記ナビゲーション動作は、上記ホスト車両のナビゲーションアクチュエータの少なくとも１つの調節を実行させることを含む、項目６１に記載のシステム。
［項目６７］
上記ナビゲーションアクチュエータは、上記ホスト車両のステアリング機構と、ブレーキと、アクセルのうちの少なくとも１つを含む、項目６６に記載のシステム。
［項目６８］
上記ターゲット車両の上記位置は、上記道路のカーブで生じる、項目６１に記載のシステム。
［項目６９］
上記ターゲット車両の上記位置は、上記道路の環状交差点で生じる、項目６１に記載のシステム。
［項目７０］
ホスト車両をナビゲートするための方法であって、
画像取込デバイスから、上記ホスト車両の環境を表す複数の画像を受信する段階と、
上記複数の画像のうちの少なくとも１つを解析して、上記ホスト車両の上記環境内のターゲット車両を識別する段階と、
上記ホスト車両の環境に関連付けられたマップ情報を受信する段階と、
上記複数の画像の解析に基づいて、上記ターゲット車両の、ある期間内での軌跡を判定する段階と、
上記ターゲット車両の上記判定された軌跡及び上記マップ情報に基づいて、上記ホスト車両の上記環境内の道路に対する、上記ターゲット車両の位置を判定する段階と、
上記ターゲット車両の上記判定された位置に基づいて、上記ホスト車両に対するナビゲーション動作を決定する段階と、
を備える、方法。
［項目７１］
上記ターゲット車両の、上記期間内での上記軌跡の判定は、上記ホスト車両の少なくとも１つのナビゲーションセンサの出力にさらに基づく、項目７０に記載の方法。
［項目７２］
上記少なくとも１つのナビゲーションセンサは、ＧＰＳデバイス、速度センサ、又は加速度計を含む、項目７１に記載の方法。
［項目７３］
上記道路に対する上記ターゲット車両の上記位置を判定する段階は、上記ターゲット車両の上記軌跡に関連付けられた１又は複数の変曲点の解析と、上記マップ情報に表示される１又は複数の道路の軌跡に対する、上記１又は複数の変曲点の比較を含む、項目７０に記載の方法。
［項目７４］
上記道路に対する上記ターゲット車両の上記位置の判定は、ＧＰＳ情報にさらに基づく、項目７０に記載の方法。
［項目７５］
上記ナビゲーション動作は、上記ホスト車両のナビゲーションアクチュエータの少なくとも１つの調節を実行させることを含む、項目７０に記載の方法。
［項目７６］
上記ナビゲーションアクチュエータは、上記ホスト車両のステアリング機構と、ブレーキと、アクセルのうちの少なくとも１つを含む、項目７５に記載の方法。
［項目７７］
上記ターゲット車両の上記位置は、上記道路のカーブで生じる、項目７０に記載の方法。
［項目７８］
上記ターゲット車両の上記位置は、上記道路の環状交差点で生じる、項目７０に記載の方法。
【図１】
2021517680.tif 000012
【図２Ａ】
2021517680.tif 000013
【図２Ｂ】
2021517680.tif 000014
【図２Ｃ】
2021517680.tif 000015
【図２Ｄ】
2021517680.tif 000016
【図２Ｅ】
2021517680.tif 000017
【図２Ｆ】
2021517680.tif 000018
【図３Ａ】
2021517680.tif 000019
【図３Ｂ】
2021517680.tif 000020
【図３Ｃ】
2021517680.tif 000021
【図３Ｄ】
2021517680.tif 000022
【図４】
2021517680.tif 000023
【図５Ａ】
2021517680.tif 000024
【図５Ｂ】
2021517680.tif 000025
【図５Ｃ】
2021517680.tif 000026
【図５Ｄ】
2021517680.tif 000027
【図５Ｅ】
2021517680.tif 000028
【図５Ｆ】
2021517680.tif 000029
【図６】
2021517680.tif 000030
【図７】
2021517680.tif 000031
【図８】
2021517680.tif 000032
【図９Ａ】
2021517680.tif 000033
【図９Ｂ】
2021517680.tif 000034
【図１０】
2021517680.tif 000035
【図１１Ａ】
2021517680.tif 000036
【図１１Ｂ】
2021517680.tif 000037
【図１１Ｃ】
2021517680.tif 000038
【図１１Ｄ】
2021517680.tif 000039
【図１２】
2021517680.tif 000040
【図１３】
2021517680.tif 000041
【図１４】
2021517680.tif 000042
【図１５】
2021517680.tif 000043
【図１６】
2021517680.tif 000044
【図１７】
2021517680.tif 000045
【図１８】
2021517680.tif 000046
【図１９】
2021517680.tif 000047
【図２０】
2021517680.tif 000048
【図２１】
2021517680.tif 000049
【図２２】
2021517680.tif 000050
【図２３】
2021517680.tif 000051
【図２４】
2021517680.tif 000052
【図２５Ａ】
2021517680.tif 000053
【図２５Ｂ】
2021517680.tif 000054
【図２６】
2021517680.tif 000055
【図２７Ａ】
2021517680.tif 000056
【図２７Ｂ】
2021517680.tif 000057
【図２８Ａ】
2021517680.tif 000058
【図２８Ｂ】
2021517680.tif 000059
【図２９Ａ】
2021517680.tif 000060
【図２９Ｂ】
2021517680.tif 000061
【図３０】
2021517680.tif 000062
【図３１】
2021517680.tif 000063
【図３２】
2021517680.tif 000064
【図３３】
2021517680.tif 000065
【図３４Ａ】
2021517680.tif 000066
【図３４Ｂ】
2021517680.tif 000067
【図３５Ａ】
2021517680.tif 000068
【図３５Ｂ】
2021517680.tif 000069
【図３６Ａ】
2021517680.tif 000070
【図３６Ｂ】
2021517680.tif 000071
【図３７】
2021517680.tif 000072
【図３８Ａ】
2021517680.tif 000073
【図３８Ｂ】
2021517680.tif 000074
【図３８Ｃ】
2021517680.tif 000075
【図３９Ａ】
2021517680.tif 000076
【図３９Ｂ】
2021517680.tif 000077
【図４０Ａ】
2021517680.tif 000078
【図４０Ｂ】
2021517680.tif 000079
【図４０Ｃ】
2021517680.tif 000080
【図４１】
2021517680.tif 000081
【図４２】
2021517680.tif 000082
【国際調査報告】
2021517680.tif 000083
2021517680.tif 000084
2021517680.tif 000085
2021517680.tif 000086